(57)【要約】【課題】既に確立したＰＤＮコネクションを、より最適なゲートウェイを用いた新たなＰＤＮコネクションへ切り替えてＵＥの通信を継続するための最適な通信制御を実現することとなる。【解決方法】ＭＭＥはＰＤＮコネクションが有効でないことを検出し、最適でないゲートウェイから、より最適なゲートウェイを端点とするＰＤＮコネクション内で確立されているベアラへ変更する。【選択図】図１
2019221000.tif 000002
【特許請求の範囲】
【請求項１】
端末装置であって、
ＡＰＮ(Access Point Name)をコアネットワークに送信してＰＤＮコネクションを確立し、
ＰＤＮ(Packet Data Network)コネクションを確立し、
前記ＰＤＮコネクションは、前記ＰＤＮコネクションの通信路を第１のゲートウェイ装置に対する通信路と、第２のゲートウェイ装置に対する通信路で構成するＰＤＮコネクションであり、
前記ＰＤＮコネクションを用いて前記第１のゲートウェイ装置とユーザデータの送受信を行い、
アイドル状態からアクティブ状態に遷移する為のサービス要求メッセージ又はトラッキングエリアを更新する為のトラッキングエリア更新要求メッセージを基地局装置に送信してサービス要求手続き又はトラッキングエリア更新手続きを開始し、
前記サービス要求手続き又は前記トラッキングエリア更新手続きに基づいて、前記ＰＤＮコネクションを用いて前記第２のゲートウェイ装置とユーザデータの送受信を行う
ことを特徴とする端末装置。
【請求項２】
前記ＡＰＮは、前記ＰＤＮコネクション用いて前記端末装置がユーザデータを送受信するゲートウェイ装置を、前記第１のゲートウェイ装置から前記第２のゲートウェイ装置に変更することを許可する許可情報と対応づけられたＡＰＮである、
ことを特徴とする請求項１に記載の端末装置。
【請求項３】
前記ＰＤＮコネクションに対応づけられた第１のＩＰアドレスと第２のＩＰアドレスをコアネットワークから取得し、
前記第１のＩＰアドレスを用いて、前記ＰＤＮコネクションを用いた前記第１のゲートウェイ装置とのユーザデータの送受信を実行し、
前記第２のＩＰアドレスを用いて、前記ＰＤＮコネクションを用いた前記第２のゲートウェイ装置とのユーザデータの送受信を実行する
ことを特徴とする請求項１又は２に記載の端末装置。
【請求項４】
前記サービス要求手続き又は前記トラッキングエリア手続きに基づいて、前記第２のＩＰアドレスを使用することを示す識別情報を基地局装置から受信し、
前記識別情報に基づいて、前記第２のＩＰアドレスを用いて、前記ＰＤＮコネクションを用いた前記第２のゲートウェイ装置とのユーザデータの送受信を実行する
ことを特徴とする請求項３に記載の端末装置。
【請求項５】
前記第１のゲートウェイ装置は、オフロード用に配置されたＬＧＷ（Local Gateway）であり、
前記第２のゲートウェイ装置は、コア網内に配置されたＰＧＷ（Packet Data Gateway）である
ことを特徴とする請求項１から４の何れか一項に記載の端末装置。
【請求項６】
ＭＭＥ(Mobility Management Entity)であって、
端末装置が送信する、アイドル状態からアクティブ状態に遷移する為のサービス要求メッセージ、又は、端末装置が送信する、トラッキングエリアを更新する為のトラッキングエリア更新要求メッセージを基地局装置から受信し、
前記サービス要求メッセージ又はトラッキングエリア更新要求メッセージの受信に基づいて、ＰＤＮ(Packet Data Network)コネクションのゲートウェイ変更手続きを開始し、
前記ＰＤＮコネクションは、前記ＰＤＮコネクションの通信路を第１のゲートウェイ装置に対する通信路と、第２のゲートウェイ装置に対する通信路で構成する前記端末装置が確立するＰＤＮコネクションであり、
前記ゲートウェイ変更手続きは、前記第１のゲートウェイ装置対する通信路から前記第２のゲートウェイ装置に対する通信路へ、前記ＰＤＮコネクションを用いた通信で使用する通信路を変更するための手続きであり、
前記ゲートウェイ変更手続きにおいて、少なくとも通信路を切り替えるための通知情報を基地局装置に送信する
ことを特徴とするＭＭＥ。
【請求項７】
前記ＰＤＮコネクションは、ＡＰＮ(Access Point Name)を用いて確立したＰＤＮコネクションであり、
前記ＡＰＮは、少なくとも、第１のゲートウェイ装置に対する通信路と、第２のゲートウェイ装置に対する通信路を構成するＰＤＮコネクションの確立を許可する許可情報と対応づけられたＡＰＮである、
ことを特徴とする請求項６に記載のＭＭＥ。
【請求項８】
アタッチ手続きに基づいて、前記端末装置から前記ＡＰＮを受信し、
前記ＡＰＮに基づいて、第１のゲートウェイ装置及び前記第２のゲートウェイ装置を選択し、
前記第１のゲートウェイ装置に対する通信路を確立するための第１のセッション生成要求メッセージを、前記基地局装置とコアネットワークを接続するＳＧＷ（Serving Gateway）又は前記第１のゲートウェイ装置に送信し、
前記第２のゲートウェイ装置に対する通信路を確立するための第２のセッション生成要求メッセージを前記ＳＧＷ又は前記第２のゲートウェイ装置に送信する
ことを特徴とする請求項７に記載のＭＭＥ。
【請求項９】
前記第１のゲートウェイ装置は、オフロード用に配置されたＬＧＷ（Local Gateway）であり、
前記第２のゲートウェイ装置は、コア網内に配置されたＰＧＷ（Packet Data Gateway）である
ことを特徴とする請求項６から８の何れか一項に記載のＭＭＥ。
【請求項１０】
基地局装置であって、
端末装置が主導するアタッチ手続きに基づいて、
ＰＤＮ(Packet Data Network)コネクションに対応づけられ、前記端末装置に割り当てられた第１のＩＰアドレスと第２のＩＰアドレスを含んだアタッチ受託メッセージをコアネットワークから受信し、
前記ＰＤＮコネクションは、前記ＰＤＮコネクションの通信路を第１のゲートウェイ装置に対する通信路と、第２のゲートウェイ装置に対する通信路で構成するＰＤＮコネクションであり、
前記アタッチ受託メッセージを前記端末装置に送信する
ことを特徴とする基地局装置。
【請求項１１】
前記端末装置が主導するサービス手続又はトラッキングエリア手続きにおいて、前記第１のＩＰアドレス又は前記第２のＩＰアドレスを使用すること示す識別情報を前記端末装置に通知する
ことを特徴とする請求項１０に記載の基地局装置。
【請求項１２】
端末装置の通信制御方法であって、
ＡＰＮ(Access Point Name)をコアネットワークに送信してＰＤＮ(Packet Data Network)コネクションを確立するステップと、
前記ＰＤＮコネクションは、前記ＰＤＮコネクションの通信路を第１のゲートウェイ装置に対する通信路と、第２のゲートウェイ装置に対する通信路で構成するＰＤＮコネクションであり、
前記ＰＤＮコネクションを用いて前記第１のゲートウェイ装置とユーザデータの送受信を行うステップと、
アイドル状態からアクティブ状態に遷移する為のサービス要求メッセージ又はトラッキングエリアを更新する為のトラッキングエリア更新要求メッセージを基地局装置に送信してサービス要求手続き又はトラッキングエリア更新手続きを開始するステップと、
前記サービス要求手続き又は前記トラッキングエリア更新手続きに基づいて、前記ＰＤＮコネクションを用いて前記第２のゲートウェイ装置とユーザデータの送受信を行うステップと
を有することを特徴とする端末装置の通信制御方法。
【請求項１３】
前記ＡＰＮは、前記ＰＤＮコネクション用いて前記端末装置がユーザデータを送受信するゲートウェイ装置を、前記第１のゲートウェイ装置から前記第２のゲートウェイ装置に変更することを許可する許可情報と対応づけられたＡＰＮである、
こと特徴とする請求項１２に記載の端末装置の通信制御方法。
【請求項１４】
前記ＰＤＮコネクションに対応づけられた第１のＩＰアドレスと第２のＩＰアドレスをコアネットワークから取得するステップと、
前記第１のＩＰアドレスを用いて、前記ＰＤＮコネクションを用いた前記第１のゲートウェイ装置とのユーザデータの送受信を実行するステップと、
前記第２のＩＰアドレスを用いて、前記ＰＤＮコネクションを用いた前記第２のゲートウェイ装置とのユーザデータの送受信を実行するステップと
を更に有することを特徴とする請求項１２又は１３に記載の端末装置の通信制御方法。
【請求項１５】
前記サービス要求手続き又は前記トラッキングエリア手続きに基づいて、前記第２のＩＰアドレスを使用することを示す識別情報を基地局装置から受信するステップと、
前記ＰＤＮコネクションを用いた前記第２のゲートウェイ装置とのユーザデータの送受信に用いるＩＰアドレスとして、前記識別情報に基づいて前記第２のＩＰアドレスを選択するステップと
を更に有することを特徴とする請求項１４に記載の端末装置の通信制御方法。
【請求項１６】
前記第１のゲートウェイ装置は、オフロード用に配置されたＬＧＷ（Local Gateway）であり、
前記第１のゲートウェイ装置は、コア網内に配置されたＰＧＷ（Packet Data Gateway）である
ことを特徴とする請求項１２から１５の何れか一項に記載の端末装置通信制御方法。
【請求項１７】
ＭＭＥ(Mobility Management Entity)の通信制御方法であって、
端末装置が送信する、アイドル状態からアクティブ状態に遷移する為のサービス要求メッセージ、又は、端末装置が送信する、トラッキングエリアを更新する為のトラッキングエリア更新要求メッセージを基地局装置から受信するステップと、
前記サービス要求メッセージ又はトラッキングエリア更新要求メッセージの受信に基づいて、ＰＤＮ(Packet Data Network)コネクションのゲートウェイ変更手続きを開始するステップと、
前記ＰＤＮコネクションは、前記ＰＤＮコネクションの通信路を第１のゲートウェイ装置に対する通信路と、第２のゲートウェイ装置に対する通信路で構成する前記端末装置が確立するＰＤＮコネクションであり、
前記ゲートウェイ変更手続きは、前記第１のゲートウェイ装置対する通信路から前記第２のゲートウェイ装置に対する通信路へ、前記ＰＤＮコネクションを用いた通信で使用する通信路を変更するための手続きであり、
前記ゲートウェイ変更手続きにおいて、少なくとも通信路を切り替えるための通知情報を基地局装置に送信するステップと
を有することを特徴とするＭＭＥの通信制御方法。
【請求項１８】
前記ＰＤＮコネクションは、ＡＰＮ(Access Point Name)を用いて確立したＰＤＮコネクションであり、
前記ＡＰＮは、少なくとも、第１のゲートウェイ装置に対する通信路と、第２のゲートウェイ装置に対する通信路を構成するＰＤＮコネクションの確立を許可する許可情報と対応づけられたＡＰＮである、
ことを特徴とする請求項１７に記載のＭＭＥの通信制御方法。
【請求項１９】
アタッチ手続きに基づいて、前記端末装置から前記ＡＰＮを受信するステップと、
前記ＡＰＮに基づいて、第１のゲートウェイ装置及び前記第２のゲートウェイ装置を選択するステップと、
前記第１のゲートウェイ装置に対する通信路を確立するための第１のセッション生成要求メッセージを、前記基地局装置とコアネットワークを接続するＳＧＷ（Serving Gateway）又は前記第１のゲートウェイ装置に送信するステップと、
前記第２のゲートウェイ装置に対する通信路を確立するための第２のセッション生成要求メッセージを前記ＳＧＷ又は前記第２のゲートウェイ装置に送信するステップと
を更に有することを特徴とする請求項１８に記載のＭＭＥの通信制御方法。
【請求項２０】
前記第１のゲートウェイ装置は、オフロード用に配置されたＬＧＷ（Local Gateway）であり、
前記第２のゲートウェイ装置は、コア網内に配置されたＰＧＷ（Packet Data Gateway）である
ことを特徴とする請求項１７から１９の何れか一項に記載のＭＭＥの通信制御方法。
【請求項２１】
基地局装置の通信制御方法であって、
端末装置が主導するアタッチ手続きに基づいて、ＰＤＮ (Packet Data Network) コネクションに対応づけられ、前記端末装置に割り当てられた第１のＩＰアドレスと第２のＩＰアドレスを含んだアタッチ受託メッセージをコアネットワークから受信するステップと、
前記ＰＤＮコネクションは、前記ＰＤＮコネクションの通信路を第１のゲートウェイ装置に対する通信路と、第２のゲートウェイ装置に対する通信路で構成するＰＤＮコネクションであり、
前記アタッチ受託メッセージを前記端末装置に送信するステップと
を有することを特徴とする基地局装置の通信制御方法。
【請求項２２】
前記端末装置が主導するサービス手続又はトラッキングエリア手続きにおいて、前記第１のＩＰアドレス又は前記第２のＩＰアドレスを使用すること示す識別情報を前記端末装置に通知するステップを更にことを特徴とする請求項２１に記載の基地局装置の通信制御方法。
【発明の詳細な説明】
【技術分野】
【０００１】
本発明は、端末装置、基地局装置、ＭＭＥ、および通信制御方法に関する。
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System）の仕様化作業を進めている。
【０００３】
また、以下の非特許文献２には、ＳＩＰＴＯ（Selected IP Traffic Offload）を実現するための方法が開示されている。ＳＩＰＴＯは、ＵＥ（端末装置：Ｕｓｅｒ  Ｅｑｕｉｐｍｅｎｔ）がｅＮＢ（基地局装置：ｅＮｏｄｅＢ）に接続しつつ、移動通信システムのコアネットワークを介さないオフロード通信路を提供する機能である。この際、ＵＥは、ＵＥの位置に近いゲートウェイ装置を用いてＳＩＰＴＯのためのオフロード通信路を確立する。
【０００４】
３ＧＰＰでは、ＳＩＰＴＯのためのオフロード通信路を確立する際のゲートウェイ装置としてＬＧＷ（Ｌｏｃａｌ  ＧＷ）を定義し、ｅＮＢに接続するＵＥはＬＧＷとの間にＳＩＰＴＯ用のＰＤＮコネクションを確立し、ＳＩＰＴＯ用のＰＤＮコネクションを用いてブロードバンドネットワークを経由してネットワーク上の装置とデータの送受信を行うことが検討されている。なお、ＵＥは、ＳＩＰＴＯ用のＰＤＮコネクション確立時においては、ＵＥの位置に近いＬＧＷとの間で通信路を確立することができ、最適なオフロード通信路を用いて通信をすることができる。
【０００５】
また、ＵＥは、移動に伴いｅＮＢを変更しながら通信を継続することができる。その場合、ＵＥはＬＧＷとの間で確立したＳＩＰＴＯ用のＰＤＮコネクションを維持し、それを用いてオフロード通信を継続することができる。
【０００６】
しかしながら、ＬＧＷは通信システムに複数配置されることが想定されている。そのため、ＵＥの移動に伴って、ＳＩＰＴＯ用のＰＤＮコネクション確立時に選択されたＬＧＷより、ＵＥの位置に近いＬＧＷが存在する可能性がある。
【０００７】
オフロード通信路は、ＵＥの位置に近いゲートウェイからオフロードするほどオフロード効果が高い。そのため、ＵＥが確立したＳＩＰＴＯ用のＰＤＮコネクションは、ＵＥが移動することにより、必ずしも最適でない通信路となってしまう可能性がある。
【０００８】
こうした事情を鑑みて、非特許文献３にあるように、移動通信システムを規格化する３ＧＰＰでは、既に確立されたＰＤＮコネクションを、より最適なゲートウェイ装置を用いた新たなＰＤＮコネクションに切り替えて通信を継続することが、要求条件として規定した。
【先行技術文献】
【非特許文献】
【０００９】
【非特許文献１】3GPP TS23.401 General Packet Radio Service (GPRS) enhancements for Evolved Universal Terrestrial Radio Access Network (E-UTRAN) access
【非特許文献２】3GPP TR 23.829 Local IP Access and Selected IP Traffic Offload
【非特許文献３】3GPP TR 22.828 Study on Co-ordinated P-GW change for SIPTO
【発明の概要】
【発明が解決しようとする課題】
【００１０】
しかしながら、現在、既に確立したＰＤＮコネクションを、より最適なゲートウェイ装置を用いた新たなＰＤＮコネクションに切り替えて通信を継続するための具体的な手段は明らかになっていない。
【００１１】
また、通信路の切り替えにおいては、通信が切断を極力少なくするなどのシームレス性の高い方法が望まれる。
【００１２】
本発明はこのような事情を鑑みてなされたもので、既に確立したＰＤＮコネクションを、より最適なゲートウェイを用いた新たなＰＤＮコネクションへ切り替えてＵＥの通信を継続するための最適な通信制御を実現することを目的とした通信システム等を提供することである。
【課題を解決するための手段】
【００１３】
上記の目的を達成するために、本発明は、以下のような手段を講じた。
【００１４】
端末装置であって、第１のゲートウェイ装置と第１のＰＤＮ(Packet Data Network)コネクションを確立し、第１のＰＤＮコネクションは、第１のＰＤＮコネクションの通信路を第１のゲートウェイ装置に対する通信路から第２のゲートウェイ装置に対する通信路に変更可能なＰＤＮコネクションであり、アイドル状態からアクティブ状態に遷移する為に、サービス要求メッセージを基地局装置に送信してサービス要求手続きを開始し、サービス要求手続きに基づいて、第１のＰＤＮコネクションの通信路を、第１のゲートウェイ装置から第２のゲートウェイ装置に変更し、第１のＰＤＮコネクションを用いて通信を行うことを特徴とする。
【００１５】
第１のＡＰＮ(Access Point Name)をコアネットワークに送信して第１のＰＤＮコネクションを確立し、第１のＡＰＮは、第１のＰＤＮコネクションの通信路を、第１のゲートウェイ装置から第２のゲートウェイ装置に変更することを許可する許可情報と対応づけられたＡＰＮであることを特徴とする。
【００１６】
第１のＩＰアドレスを用いて第１のＰＤＮコネクションでユーザデータを送受信し、サービス手続きに基づいて、第２のＩＰアドレスをコアネットワークから受信し、第１のＩＰアドレスを第２のＩＰアドレスに変更し、第２のＩＰアドレスを用いて第１のＰＤＮコネクションでユーザデータの送受信することを特徴とする。
【００１７】
第２のＡＰＮをコアネットワークに送信して第１のゲートウェイ装置と第２のＰＤＮコネクションを確立し、第２のＡＰＮは、第１のＡＰＮとは異なるＡＰＮであり、且つＰＤＮコネクションの通信路を、第１のゲートウェイ装置から第２のゲートウェイ装置に変更することを許可する許可情報と対応づけられていないＡＰＮであり、アイドル状態からアクティブ状態に遷移する為に、サービス要求メッセージを基地局装置に送信してサービス要求手続きを開始し、サービス要求メッセージの応答であり、サービス要求をリジェクトするサービスリジェクトメッセージを受信し、サービスリジェクトメッセージの受信に基づいて、第２のＡＰＮをコアネットワークに送信して第２のゲートウェイ装置と第３のＰＤＮコネクションを確立することを特徴とする。
【００１８】
第１のゲートウェイ装置は、オフロード用に配置されたＬＧＷ（Local Gateway）であり、第２のゲートウェイ装置は、コアネットワーク内に配置されたＰＧＷ（Packet Data Gateway）であることを特徴とする。
【００１９】
ＭＭＥ(Mobility Management Entity)であって、アイドル状態からアクティブ状態に遷移する為に、端末装置が送信するサービス要求メッセージを基地局装置から受信し、端末装置が少なくとも第１のＰＤＮコネクションを確立している場合には、第１のＰＤＮコネクションをサービス要求手続きに基づいて、第１のＰＤＮコネクションの通信路を、第１のゲートウェイ装置から第２のゲートウェイ装置に変更する制御手続きを開始し、第１のＰＤＮコネクションは、第１のＰＤＮコネクションの通信路を第１のゲートウェイ装置に対する通信路から第２のゲートウェイ装置に対する通信路に変更可能なＰＤＮコネクションであることを特徴とする。
【００２０】
第１のＰＤＮコネクションは、第１のＡＰＮ(Access Point Name)を用いて確立したＰＤＮコネクションであり、第１のＡＰＮは、第１のＰＤＮコネクションの通信路を、第１のゲートウェイ装置から第２のゲートウェイ装置に変更することを許可する許可情報と対応づけられたＡＰＮであることを特徴とする。
【００２１】
端末装置が少なくとも第２のＰＤＮコネクションを確立している場合には、サービス要求メッセージの受信に基づいて、サービス要求メッセージの応答であり、サービス要求をリジェクトするサービスリジェクトメッセージを送信し、サービスリジェクトメッセージの送信により、端末装置にアタッチ手続きの開始を要求し、第２のＰＤＮコネクションは、第２のＡＰＮを用いて確立したＰＤＮコネクションであり、第２のＡＰＮは、第１のＡＰＮとは異なるＡＰＮであり、且つＰＤＮコネクションの通信路を、第１のゲートウェイ装置から第２のゲートウェイ装置に変更することを許可する許可情報と対応づけられていないＡＰＮであることを特徴とする。
【００２２】
第１のゲートウェイ装置は、オフロード用に配置されたＬＧＷ（Local Gateway）であり、第２のゲートウェイ装置は、コアネットワーク内に配置されたＰＧＷ（Packet Data Gateway）であることを特徴とする。
【００２３】
基地局装置であって、アイドル状態からアクティブ状態に遷移する為に送信するサービス要求メッセージを端末装置から受信し、サービス要求メッセージをコアネットワークに送信し、コアネットワークから端末装置に割り当てるＩＰアドレスを受信し、ＩＰアドレスを端末装置に通知することを特徴とする。
【００２４】
基地局装置であって、アイドル状態からアクティブ状態に遷移する為に送信するサービス要求メッセージを端末装置から受信し、サービス要求メッセージをコアネットワークに送信し、コアネットワークから第１の識別情報を受信し、第１の識別情報は、端末装置がＩＰアドレスの再取得が必要であることを示す識別情報であり、第１の識別情報を端末装置に通知することを特徴とする。
【００２５】
端末装置の通信制御方法であって、第１のゲートウェイ装置と第１のＰＤＮ(Packet Data Network)コネクションを確立するステップと、第１のＰＤＮコネクションは、第１のＰＤＮコネクションの通信路を第１のゲートウェイ装置に対する通信路から第２のゲートウェイ装置に対する通信路に変更可能なＰＤＮコネクションであり、アイドル状態からアクティブ状態に遷移する為に、サービス要求メッセージを基地局装置に送信してサービス要求手続きを開始するステップと、サービス要求手続きに基づいて、第１のＰＤＮコネクションの通信路を、第１のゲートウェイ装置から第２のゲートウェイ装置に変更し、第１のＰＤＮコネクションを用いて通信を行うステップとを有すること特徴とする。
【００２６】
第１のＰＤＮコネクションを確立するために第１のＡＰＮ(Access Point Name)をコアネットワークに送信するステップと、第１のＡＰＮは、第１のＰＤＮコネクションの通信路を、第１のゲートウェイ装置から第２のゲートウェイ装置に変更することを許可する許可情報と対応づけられたＡＰＮであることを更に有することを特徴とする。
【００２７】
第１のＩＰアドレスを用いて第１のＰＤＮコネクションでユーザデータの送受信するステップと、サービス手続きに基づいて、第２のＩＰアドレスをコアネットワークから受信するステップと、第１のＩＰアドレスを第２のＩＰアドレスに変更するステップと、第２のＩＰアドレスを用いて第１のＰＤＮコネクションでユーザデータの送受信するステップとを更に有することを特徴とする。
【００２８】
第２のＡＰＮをコアネットワークに送信して第１のゲートウェイ装置と第２のＰＤＮコネクションを確立するステップと、第２のＡＰＮは、第１のＡＰＮとは異なるＡＰＮであり、且つＰＤＮコネクションの通信路を、第１のゲートウェイ装置から第２のゲートウェイ装置に変更することを許可する許可情報と対応づけられていないＡＰＮであり、アイドル状態からアクティブ状態に遷移する為に、サービス要求メッセージを基地局装置に送信してサービス要求手続きを開始するステップと、サービス要求メッセージの応答であり、サービス要求をリジェクトするサービスリジェクトメッセージを受信するステップと、サービスリジェクトメッセージの受信に基づいて、第２のＡＰＮをコアネットワーク送信して第２のゲートウェイ装置と第３のＰＤＮコネクションを確立するステップとをさらに有することを特徴とする。
【００２９】
第１のゲートウェイ装置は、オフロード用に配置されたＬＧＷ（Local Gateway）であり、第２のゲートウェイ装置は、コアネットワーク内に配置されたＰＧＷ（Packet Data Gateway）であることを特徴とする。
【００３０】
ＭＭＥ(Mobility Management Entity)の通信制御方法であって、アイドル状態からアクティブ状態に遷移する為に、端末装置が送信するサービス要求メッセージを基地局装置から受信するステップと、端末装置が少なくとも第１のＰＤＮコネクションを確立している場合には、第１のＰＤＮコネクションをサービス要求手続きに基づいて、第１のＰＤＮコネクションの通信路を、第１のゲートウェイ装置から第２のゲートウェイ装置に変更する制御手続きを開始するステップを有し、第１のＰＤＮコネクションは、第１のＰＤＮコネクションの通信路を第１のゲートウェイ装置に対する通信路から第２のゲートウェイ装置に対する通信路に変更可能なＰＤＮコネクションであることを特徴とする。
【００３１】
第１のＰＤＮコネクションは、第１のＡＰＮ(Access Point Name)を用いて確立したＰＤＮコネクションであり、第１のＡＰＮは、第１のＰＤＮコネクションの通信路を、第１のゲートウェイ装置から第２のゲートウェイ装置に変更することを許可する許可情報と対応づけられたＡＰＮであることを特徴とする。
【００３２】
端末装置が少なくとも第２のＰＤＮコネクションを確立している場合には、サービス要求メッセージの受信に基づいて、サービス要求メッセージの応答であり、サービス要求をリジェクトするサービスリジェクトメッセージを送信するステップと、サービスリジェクトメッセージの送信により、端末装置にアタッチ手続きの開始を要求するステップと、第２のＰＤＮコネクションは、第２のＡＰＮを用いて確立したＰＤＮコネクションであり、第２のＡＰＮは、第１のＡＰＮとは異なるＡＰＮであり、且つＰＤＮコネクションの通信路を、第１のゲートウェイ装置から第２のゲートウェイ装置に変更することを許可する許可情報と対応づけられていないＡＰＮであることを更に有することを特徴とする。
【００３３】
第１のゲートウェイ装置は、オフロード用に配置されたＬＧＷ（Local Gateway）であり、第２のゲートウェイ装置は、コアネットワーク内に配置されたＰＧＷ（Packet Data Gateway）であることを特徴とする。
【００３４】
基地局装置の通信制御方法であって、アイドル状態からアクティブ状態に遷移する為に送信するサービス要求メッセージを端末装置から受信するステップと、サービス要求メッセージをコアネットワークに送信するステップと、コアネットワークから端末装置に割り当てるＩＰアドレスを受信し、ＩＰアドレスを端末装置に通知するステップと、を有することを特徴とする。
【００３５】
基地局装置の通信制御方法であって、アイドル状態からアクティブ状態に遷移する為に送信するサービス要求メッセージを端末装置から受信するステップと、サービス要求メッセージをコアネットワークに送信するステップと、コアネットワークから第１の識別情報を受信するステップと、第１の識別情報は、端末装置がＩＰアドレスの再取得が必要であることを示す識別情報であり、第１の識別情報を端末装置に通知するステップとを有することを特徴とする。
【発明の効果】
【００３６】
本発明によれば、ＵＥは、既に確立したゲートウェイとの間のＰＤＮコネクションを、より最適なゲートウェイを用いた新たなＰＤＮコネクションへ切り替えてＵＥの通信を継続することができる。
【図面の簡単な説明】
【００３７】
【図１】第１実施形態における移動通信システム１の概要を説明するための図である。
【図２】実施形態におけるＵＥの機能構成を説明するための図である。
【図３】実施形態におけるＵＥの記憶部を説明するための図である。
【図４】実施形態におけるｅＮＢの機能構成を説明するための図である。
【図５】実施形態におけるｅＮＢの記憶部を説明するための図である。
【図６】実施形態におけるＭＭＥの機能構成を説明するための図である。
【図７】実施形態におけるＭＭＥの記憶部を説明するための図である。
【図８】確立されるＰＤＮコネクションを説明するための図である。
【図９】実施形態におけるアタッチ手続きを説明するための図である。
【図１０】実施形態におけるセッション生成手続きを説明するための図である。
【図１１】実施形態におけるＰＤＮ接続手続きを説明するための図である。
【図１２】実施形態におけるサービス要求手続きを説明するための図である。
【図１３】実施形態におけるサービス要求手続きの続きを説明するための図である。
【図１４】実施形態におけるサービス要求手続きの続きを説明するための図である。
【図１５】実施形態におけるトラッキングエリア更新手続きを説明するための図である。
【図１６】移動通信システム２の概要を説明するための図である。
【発明を実施するための形態】
【００３８】
以下、図面を参照して本発明を実施するための形態について説明する。なお、本実施形態では、一例として、本発明を適用した場合の移動通信システムの実施形態について、図を用いて詳細に説明する。
【００３９】
［１．第１実施形態］
まず、本発明を適用した第１実施形態について、図面を参照して説明する。
【００４０】
［１．１  移動通信システムの概要］
図１は、本実施形態における移動通信システム１の概略を説明するための図である。図１（ａ）に示すように、移動通信システム１は、ＵＥ（端末装置）１０と、ＰＤＮ（Ｐａｃｋｅｔ  Ｄａｔａ  Ｎｅｔｗｏｒｋ）９０とがＩＰ移動通信ネットワーク５を介して接続されて構成されている。ＵＥ１０はＩＰ移動通信ネットワーク５に接続し、ＩＰ移動通信ネットワーク５はＰＤＮ９０と接続される。
【００４１】
ＩＰ移動通信ネットワーク５は、例えば、移動通信事業者が運用する無線アクセスネットワークとコアネットワークによって構成されるネットワークでもよいし、固定通信事業者が運用するブロードバンドネットワークであって良い。ここで、ブロードバンドネットワークは、ＡＤＳＬ（Asymmetric Digital Subscriber Line）等により接続し、光ファイバー等のデジタル回線による高速通信を提供する、通信事業者が運用するＩＰ通信ネットワークであってよい。さらに、これらに限らずＷｉＭＡＸ（Worldwide Interoperability for Microwave Access）等で無線アクセスするネットワークであって良い。
【００４２】
ＵＥ１０は、ＬＴＥ(Long Term Evolution)やＷＬＡＮ（Wireless LAN）等のアクセスシステムを用いて接続する通信端末であり、３ＧＰＰ  ＬＴＥの通信インターフェースやＷＬＡＮの通信インターフェース等を搭載して接続することにより、ＩＰアクセスネットワークへ接続することが可能である。
【００４３】
具体的な例としては、ＵＥ１０は携帯電話端末やスマートフォンであり、その他通信機能を備えたタブレット型コンピュータやパソコン、家電などである。
【００４４】
ＰＤＮ９０は、パケットでデータのやり取りを行うネットワークサービスを提供するネットワークのことであり、例えば、インターネットやＩＭＳ（IP Multimedia Subsystem）などである。さらに、グループ通話などのグループ通信サービスを提供するネットワークであって良い。
【００４５】
ＵＥ１０はＩＰ移動通信ネットワークに接続して通信路を確立し、ＰＤＮ９０との接続性を確立する。これによりＵＥ１０はＰＤＮ９０とのデータ送受信を実現する。
【００４６】
ＰＤＮ９０は、ＩＰアクセスネットワークへ有線回線等を利用して接続される。例えば、ＡＤＳＬや光ファイバー等によって構築される。ただし、これに限らずＬＴＥや、ＷＬＡＮ、ＷｉＭＡＸ等の無線アクセスネットワークであって良い。
【００４７】
[１．１．１  ＩＰ移動通信ネットワークの構成例]
図１に示すように、移動通信システム１は、ＵＥ１０と、ＩＰ移動通信ネットワーク５と、ＰＤＮ９０とから構成される。
【００４８】
ＩＰ移動通信ネットワーク５はコアネットワーク７と無線アクセスネットワークで構成される。
【００４９】
コアネットワーク７は、ＭＭＥ３０(Mobile Management Entity)と、ＬＧＷ４０（Local GateWay）とＳＧＷ５０(Serving Gateway)と、ＰＧＷ（アクセス制御装置）６０と、ＨＳＳ７０(Home Subscriber Server)と、ＰＣＲＦ８０(Policy and charging rules function)と、を含んで構成される。
【００５０】
なお、コアネットワーク７には、ＭＭＥ３０ＡやＭＭＥ３０Ｂなど、複数のＭＭＥ３０が配置されてもよい。
【００５１】
また、コアネットワーク７には、ＳＧＷ５０ＡやＳＧＷ５０Ｂなど、複数のＳＧＷ５０が配置されてもよい。
【００５２】
また、コアネットワーク７には、ＰＧＷ６０ＡやＰＧＷ６０Ｂなど、複数のＰＧＷ６０が配置されてもよい。
【００５３】
また、コアネットワーク７には、ＬＧＷ４０ＡやＬＧＷ４０Ｂなど、複数のＬＧＷ４０が配置されてもよい。さらに、ＬＧＷ４０は、コアネットワークに含まれて配置されてもよいし、無線アクセスネットワーク９に含まれて配置されてもよい。
【００５４】
なお、図１ではＬＧＷ４０はコアネットワーク７内に配置されているが、図１６に示すように、ＬＧＷ４０は、ＬＴＥ＿ＡＮ９の近傍に配置される、インターネットやブロードバンドネットワークとＬＴＥ＿ＡＮ９を接続するゲートウェイ装置であってよい。ＭＭＥ３０は、ＵＥ１０の接続する基地局装置に応じて、基地局装置の近傍に配置されるＬＧＷ４０を、ＵＥ１０が確立するＰＤＮコネクションの端点として選択してもよい。
【００５５】
ここで、図１６（ｃ）に示すように、ＬＧＷ４０は、ｅＮＢ２０と同じ装置で構成されてよい。また、図１６（ｂ）に示すように、ＬＧＷ４０は、ｅＮＢ２０と異なる装置で構成されてよい。
【００５６】
なお、ＭＭＥ３０は、基地局装置の近傍に配置されるＬＧＷが存在しない場合、ＵＥ１０が確立するＰＤＮコネクションの端点となるゲートウェイ装置にＰＧＷ６０を選択してもよい。
【００５７】
なお、こうしたＭＭＥ３０によるゲートウェイ選択は、ＵＥ１０がＰＤＮコネクションを確立するために送信するＡＰＮの許可情報に基づいて実行されてよい。
【００５８】
ここで、ＡＰＮとは、ＵＥ１０が接続するＰＤＮを選択するための識別情報である。なお、ＰＤＮは複数構成されてよい。例えば、インターネットや音声通話サービス網（ＩＭＳ網）など、サービス毎に複数のＰＤＮが構成されてよい。さらに、ＵＥ１０は複数のＡＰＮを記憶してよい。ＵＥ１０は、ＡＰＮをコアネットワークに通知することにより、ＭＭＥ３０は、ＡＰＮに対応するＰＤＮの選択、およびＰＤＮに接続するためのゲートウェイ装置を選択する。
【００５９】
このように、ＡＰＮは、ＵＥ１０が接続するＰＤＮを選択するための識別情報であり、ＰＤＮへ接続するためのゲートウェイ装置を選択するための識別情報であってよい。
【００６０】
さらに、ＭＭＥ３０は、ＵＥ１０に送信するＡＰＮに応じてＰＤＮへの接続、およびＰＤＮコネクションの確立を承認する。そのため、ＡＰＮは、ＵＥ１０がＰＤＮへの接続、またはＰＤＮコネクションを確立するための認証情報としての意味も有する識別情報である。
【００６１】
無線アクセスネットワーク９は、コアネットワーク７に接続されている。さらに、ＵＥ１０は無線アクセスネットワークに無線接続することができる。
【００６２】
無線アクセスネットワークには、ＬＴＥアクセスシステムで接続できるＬＴＥアクセスネットワーク９（LTE AN）を構成することができる。ＬＴＥ  ＡＮ９は、ＬＴＥアクセスシステムを用いた基地局装置を含んだネットワークであり、公衆網のアクセスネットワークであってもよいし、家庭に構成されるホームネットワークであっても良い。
【００６３】
なお、各装置はＥＰＳを利用した移動通信システムにおける従来の装置と同様に構成されるため、詳細な説明は省略するが、簡単に機能を説明すると、ＰＧＷ６０はＰＤＮ９０と、ＳＧＷ５０と、ＰＣＲＦ８０とに接続されており、ＰＤＮ９０とコアネットワーク７のゲートウェイ装置としてユーザデータ配送を行う。
【００６４】
ＳＧＷ５０は、ＰＧＷ６０と、ＭＭＥ３０とＬＴＥ  ＡＮ９とに接続されており、コアネットワーク７とＬＴＥ  ＡＮ９とのゲートウェイ装置としてユーザデータの配送を行う。
【００６５】
ＰＧＷ６０は、コアネットワーク７とＰＤＮ９０を接続するゲートウェイ装置であり、ユーザデータの配送を行う。なお、ＰＧＷ６０はＵＥ１０との間にＰＤＮコネクションを確立し、ＰＤＮコネクションを用いてＵＥ１０とＰＤＮ６０に配置される通信装置との間のデータ送受信を実現することができる。
【００６６】
ＬＧＷ４０は、ＳＧＷ５０とＬＴＥ  ＡＮ９とＰＤＮ９０とに接続されており、ＰＤＮ９０とのゲートウェイ装置としてユーザデータ配送を行う。また、ＬＧＷ４０は、ブロードバンドネットワークと接続され、ブロードバンドネットワークを経由してＰＤＮ９０に接続されてもよい。このようにＬＧＷ４０は、ＵＥ１０との間にオフロードのための通信路を確立するゲートウェイ装置である。つまり、ＬＧＷ４０は、ＵＥ１０が確立するＳＩＰＴＯ用ＰＤＮコネクションの端点であり、ブロードバンドネットワークやＰＤＮ９０へのオフロードを実行する装置である。
【００６７】
ＭＭＥ３０は、ＳＧＷ５０とＬＴＥ  ＡＮ９とＬＧＷ４０とに接続されており、ＬＴＥ  ＡＮ９を経由したＵＥ１０の位置管理、アクセス制御を行う制御装置である。
【００６８】
ＨＳＳ７０は、ＳＧＷ５０とＡＡＡ５５とに接続されており、加入者情報の管理を行う。
【００６９】
ＰＣＲＦ８０は、ＰＧＷ６０に接続されており、データ配送に対するＱｏＳ管理を行う。
【００７０】
また、図１（ｂ）に示すように、無線アクセスネットワークには、ＵＥ１０が実際に接続する装置（例えば、基地局装置）等が含まれている。接続に用いられる装置は、無線アクセスネットワークに適応した種々の装置が考えられるが、本実施形態においては、ＬＴＥ  ＡＮ９はｅＮＢ２０を含んで構成される。ｅＮＢ２０はＬＴＥアクセスシステムでＵＥ１０が接続する無線基地局であり、ＬＴＥ  ＡＮ９には１又は複数の無線基地局が含まれて構成されてよい。
【００７１】
なお、本明細書において、ＵＥ１０が無線アクセスネットワークに接続されるとは、無線アクセスネットワークに含まれる基地局装置に接続されることをいい、送受信されるデータや信号等も、基地局装置を経由している。
【００７２】
例えば、ＬＴＥ  ＡＮ９にＵＥ１０が接続されるとは、ＵＥ１０がｅＮＢ２０を介して接続されることを言う。
【００７３】
［１．２  装置構成］
続いて、各装置構成について図を用いて簡単に説明する。
【００７４】
[１．２．１  ＵＥの構成]
図２を基に本実施形態におけるＵＥ１０の機能構成を示す。ＵＥ１０は、制御部１００に、第１インターフェース部１１０と、記憶部１４０とがバスを介して接続されている。
【００７５】
制御部１００は、ＵＥ１０を制御するための機能部である。制御部１００は、記憶部１４０に記憶されている各種情報、各種プログラムを読みだして実行することにより各種処理を実現する。
【００７６】
第１インターフェース部１１０は、ＬＴＥアクセス方式によりＬＴＥ  ＡＮ９と接続し、無線通信によるデータの送受信を実行する機能部である。第１インターフェース部１１０には、ＬＴＥアクセス方式によりデータの送受信を行うための外部アンテナ１１２が接続されている。
【００７７】
記憶部１４０は、ＵＥ１０の各種動作に必要なプログラム、データ等を記憶する機能部である。記憶部１４０は、例えば、半導体メモリや、ＨＤＤ（Hard Disk Drive）等により構成されている。さらに、記憶部１４０には、ＡＰＮリストと、ＵＥ通信路コンテキスト１４２が記憶されている。
【００７８】
ＡＰＮリストは、ＵＥ１０が使用することができるＡＰＮを記憶している。ＵＥ１０は、ＡＰＮリストに複数のＡＰＮを記憶してもよい。
【００７９】
ＡＰＮ（アクセスポイントネーム）は、ＩＰ移動通信ネットワーク５においてＵＥ１０が確立するＰＤＮコネクションの端点となるゲートウェイ装置をＭＭＥ３０が選択するために使用される識別情報である。また、ＡＰＮは、ＰＤＮ９０に対応づけた識別情報であってよい。ＩＭＳや映像配信など、サービスごとに異なるＰＤＮ９０が構成されている場合には、サービスを識別する識別情報としても使用することができる。なお、ＳＩＰＴＯ用のＰＤＮコネクションを確立可能なＡＰＮと、オフロード通信を行わないＡＰＮとを、異なるＡＰＮとして管理してもよい。この場合、オフロード用のＡＰＮで選択されるゲートウェイは、ＬＧＷ４０であり、オフロード通信を行わないＡＰＮで選択されるゲートウェイは、コアネットワーク７に構成されるＰＧＷ６０であって良い。
【００８０】
また、ＡＰＮは、異なるゲートウェイを端点としたＰＤＮコネクションへの切り替えを許可する許可情報と対応づけられていても良い。
【００８１】
例えば、ＡＰＮ１は、ＳＩＰＴＯ用のＰＤＮコネクションが確立可能なＡＰＮであり、異なるゲートウェイを端点としたＰＤＮコネクションへの切り替えは許可されないＡＰＮであり、ＡＰＮ２は、ＳＩＰＴＯ用のＰＤＮコネクションが確立可能であり、且つ異なるゲートウェイを端点としたＰＤＮコネクションへの切り替えを許可するＡＰＮであり、ＡＰＮ３は、ＳＩＰＴＯ用のＰＤＮコネクションを確立することができず、且つ異なるゲートウェイを端点としたＰＤＮコネクションへの切り替えは許可されないＡＰＮであり、ＡＰＮ４は、ＳＩＰＴＯ用のＰＤＮコネクションを確立することができず、且つ異なるゲートウェイを端点としたＰＤＮコネクションへの切り替えは許可されているＡＰＮであり、ＡＰＮ５は、ＳＩＰＴＯ用のＰＤＮコネクションが確立可能であり、且つ異なるゲートウェイを端点として複数の接続性をもつことを許可されたＡＰＮなどであってよい。また、ＡＰＮ５は、１つのＰＤＮコネクションで異なるゲートウェイを端点とする複数のベアラを同時に確立することができるＡＰＮであってよい。
【００８２】
ＵＥ通信路コンテキスト１４２は、ＵＥが確立する通信路に対応づけられて記憶される情報群である。ＵＥ通信路コンテキスト１４２では、ＰＤＮコネクションごとに通信路コンテキストを記憶する。図３にＵＥ通信路コンテキスト１４２の具体例を示す。図３は、ＡＰＮ５で確立したＰＤＮコネクションに対してＵＥ１０が管理する情報要素の一例を示している。
【００８３】
図３に示すように、ＵＥ１０は、ＰＤＮコネクションを確立した場合、有効なＰＤＮコネクション毎に管理される情報要素として、ＰＤＮコネクションを確立するために使用したＡＰＮ、割り当てられるＰＤＮタイプ、ＩＰアドレス、デフォルトベアラを管理する。また、ＵＥ１０は、ＰＤＮコネクションを確立した場合、ＰＤＮコネクション内でＥＰＳベアラ毎に管理される情報要素として、ＥＰＳベアラＩＤ、ＥＰＳベアラＱｏＳを管理する。
【００８４】
なお、ＵＥ１０は、ＡＰＮを複数保持し、各ＡＰＮに対応するＰＤＮコネクションを確立してもよい。さらに、これらのＰＤＮコネクション毎に管理する情報要素は、各ＡＰＮを用いて確立したＰＤＮコネクション毎に記憶してもよい。また、各情報要素は、ＰＤＮコネクション毎に異なる情報であってよい。このように、ＵＥ１０は、複数のＰＤＮコネクションを確立することができる。
【００８５】
例えば、ＡＰＮ１を用いて確立するオフロード用のＰＤＮコネクションと、ＡＰＮ３を用いて確立するコアネットワーク７を介した通信用のＰＤＮコネクションと、ＡＰＮ５を用いて確立するオフロードでき、かつ異なるゲートウェイへ複数の接続性をもつことができるＰＤＮコネクションを確立してもよい。なお、ＡＰＮ３は、ＬＧＷ４０をＰＤＮコネクションの端点として選択することは許されない、オフロード通信路の確立を許可されないＡＰＮであってよい。この場合、ＵＥ１０はＡＰＮ３を用いてＰＧＷ６０との間にＰＤＮコネクションを確立し、ＰＤＮと接続する。
【００８６】
なお、ＡＰＮを用いてＰＤＮコネクションを確立するとは、ＵＥ１０が少なくともＡＰＮをＭＭＥ３０に送信し、送信したアタッチ要求に基づいてＰＤＮコネクションを確立することであってよい。なお、ＵＥ１０は、アタッチ手続きを開始するためのアタッチ要求メッセージにＡＰＮを含めてＭＭＥ３０に送信してもよいし、その他のアタッチ手続き内の制御メッセージに含めてＡＰＮをＭＭＥに送信してもよい。
【００８７】
また、ＡＰＮを用いてＰＤＮコネクションを確立するとは、ＵＥ１０が少なくともＡＰＮをＭＭＥ３０に送信し、送信したＰＤＮ接続要求に基づいてＰＤＮコネクションを確立することであってよい。なお、ＵＥ１０は、ＰＤＮ接続手続きを開始するためのＰＤＮ接続要求メッセージにＡＰＮを含めてＭＭＥ３０に送信してもよいし、その他のＰＤＮ接続手続き内の制御メッセージに含めてＡＰＮをＭＭＥに送信してもよい。
【００８８】
また、割り当てられたＰＤＮタイプとは、ＵＥ１０に割り当てられるＩＰアドレスのバージョンを示す情報である。ＩＰアドレスのバージョンとして、ＩＰｖ４とＩＰｖ６がある。ここで、割り当てられるＰＤＮタイプはアタッチ受託にＩＰアドレスとともにＵＥ１０に通知され、ＵＥ１０は通知されたＰＤＮタイプを割り当てられるＰＤＮタイプとして管理する。
【００８９】
ここで、ＵＥ１０はアタッチ要求に、ＩＰアドレスのバージョンを示す情報であるＰＤＮタイプを含めることで、割り当てられるＩＰアドレスのバージョンを要求することができる。
【００９０】
また、割り当てられるＰＤＮタイプはＰＤＮ接続受託にＩＰアドレスとともにＵＥ１０に通知され、ＵＥ１０は通知されたＰＤＮタイプを割り当てられるＰＤＮタイプとして管理する。
【００９１】
ここで、ＵＥ１０はＰＤＮ接続要求に、ＩＰアドレスのバージョンを示す情報であるＰＤＮタイプを含めることで、割り当てられるＩＰアドレスのバージョンを要求することができる。
【００９２】
ＩＰアドレスは、ＵＥ１０に割り当てられたＩＰアドレスである。ＵＥ１０は割り当てられたＩＰアドレスを利用して、上りリンクデータの送信や下りリンクデータの受信を行う。なお、ＩＰアドレスは、有効なＰＤＮコネクション毎に、単一のＩＰアドレスを管理して良いし、複数のＩＰアドレスを管理して良い。また、ＩＰアドレスは、異なるゲートウェイへ複数の接続性をもつＰＤＮコネクションを確立した場合に、複数のＩＰアドレスを管理して良い。ここで、異なるゲートウェイへ複数の接続性をもつＰＤＮコネクションを確立した場合であっても、異なるゲートウェイに対して、同じＩＰアドレスを利用できる場合は、単一のＩＰアドレスを管理して良い。
【００９３】
デフォルトベアラは、ＵＥ１０がＬＴＥ  ＡＮ９内のｅＮＢ２０と接続する際に確立するＵＥ１０とｅＮＢ２０の間の無線通信路である無線ベアラを識別する情報である。
【００９４】
デフォルトベアラはＥＰＳベアラＩＤであっても良く、無線ベアラＩＤであっても良く、ＬＢＩ（Ｌｉｎｋｅｄ  Ｂｅａｒｅｒ  ＩＤ）であって良い。なお、ＬＢＩは、ベアラＩＤと関連付けられる情報である。
【００９５】
ＵＥ１０は、ＡＰＮと割り当てられるＰＤＮタイプとＩＰアドレスとデフォルトベアラと、を有効なＰＤＮコネクション毎に管理される情報要素として、関連付けて管理して良い。
【００９６】
ＥＰＳベアラＩＤはＵＥ１０がＬＴＥ  ＡＮ９内のｅＮＢ２０と接続する際に確立するＵＥ１０とｅＮＢ２０の間の無線通信路である無線ベアラを識別する情報である。
【００９７】
ＥＰＳベアラＩＤは無線ベアラＩＤであっても良く、ＬＢＩ（Ｌｉｎｋｅｄ  Ｂｅａｒｅｒ  ＩＤ）であって良い。なお、ＬＢＩは、ベアラＩＤと関連付けられる情報である。
【００９８】
また、ＵＥ１０は、最初にＰＤＮへ接続した場合に割り当てられるベアラに対するベアラＩＤをデフォルトベアラとして管理し、同じＰＤＮコネクションにおいて別のベアラが割り当てられた場合には、ＥＰＳベアラＩＤとして管理して良い。
【００９９】
ＥＰＳベアラＱｏＳは、ＥＰＳベアラＩＤとともに関連付けられるＱｏＳ（Ｑｕａｌｉｔｙ  ｏｆ  Ｓｅｒｖｉｃｅ）を示す情報である。ＥＰＳベアラＱｏＳはデフォルトベアラとは関連付けられず、ＰＤＮコネクション内においてデフォルトベアラとは別のＥＰＳベアラが割り当てられた場合におけるＱｏＳを示す情報である。
【０１００】
ＵＥ１０は、ＥＰＳベアラＩＤとＥＰＳベアラＱｏＳと、をＰＤＮコネクション内でＥＰＳベアラ毎に管理される情報要素として、関連付けて管理して良い。
【０１０１】
また、ＵＥ１０は、有効なＰＤＮコネクション毎に管理される情報要素と、ＰＤＮコネクション内でＥＰＳベアラ毎に管理される情報要素を関連付けて管理して良い。つまり、ＵＥ１０は、ＡＰＮと割り当てられるＰＤＮタイプとＩＰアドレスとデフォルトベアラとＥＰＳベアラＩＤとＥＰＳベアラＱｏＳを関連付けて管理して良い。
【０１０２】
なお、ＵＥ１０は、複数の通信路を確立してもよい。つまり、確立したＰＤＮコネクション毎にＵＥ通信路コンテキスト１４２を作成し、管理しても良い。
【０１０３】
また、ＵＥ１０は、上記で示した情報以外に基地局識別情報やサービス識別情報を管理しても良い。
【０１０４】
基地局識別情報は、ｅＮＢ２０を識別する情報であって良い。また、基地局識別情報は、通信サービスを提供する移動通信事業者を識別する事業者識別コードと、基地局識別コードを組み合わせて構成して良い。これにより、複数の移動通信事業者が提供する複数の移動通信ネットワークにおいて一意な識別情報とすることができる。
【０１０５】
サービス識別情報は、移動通信事業者がＩＰ通信ネットワーク５で提供するサービスを識別する情報である。サービス識別情報は、ＡＰＮであって良いし、ＦＱＤＮ（Ｆｕｌｌｙ  Ｑｕａｌｉｆｉｅｄ  Ｄｏｍａｉｎ  Ｎａｍｅ）などのサービスドメイン識別情報であって良い。これに限らずサービスと対応づけられた識別情報であって良い。さらに、サービスとはＩＭＳに基づいた音声通話サービスや、ビデオ配信サービスなどであって良いし、グループ通信を提供するサービスであって良い。サービス識別情報は、こうしたサービスを識別する識別情報である。
【０１０６】
[１．２．２  ｅＮＢの構成]
図４をもとに本実施形態におけるｅＮＢ２０の機能構成を示す。ｅＮＢ２０は、制御部２００に、第１インターフェース部２１０と第２インターフェース部２２０と、データ転送部２３０と、記憶部２４０とがバスを介して接続されている。
【０１０７】
制御部２００は、ｅＮＢ２０を制御するための機能部である。制御部２００は、記憶部２４０に記憶されている各種情報、各種プログラムを読みだして実行することにより各種処理を実現する。
【０１０８】
第１インターフェース部２１０は、ＬＴＥアクセス方式によりＵＥ１０と無線通信路を確立し、無線通信によるデータの送受信を実行する機能部である。第１インターフェース部２１０には、外部アンテナ２１２が接続されている。
【０１０９】
第２インターフェース部２２０は、有線接続によりコアネットワークにコアネットワーク７に接続している。コアネットワーク７への接続は、イーサネット（登録商標）や光ファイバケーブルなどにより接続して良い。
【０１１０】
記憶部２４０は、ｅＮＢ２０の各種動作に必要なプログラム、データ等を記憶する機能部である。記憶部２４０は、例えば、半導体メモリや、ＨＤＤ（Hard Disk Drive）等により構成されている。さらに、記憶部２４０には、ｅＮＢ通信路コンテキスト２４２が記憶されている。
【０１１１】
ｅＮＢ通信路コンテキスト２４２は、ｅＮＢ２０が確立する通信路に対応づけられて記憶される情報群である。図５にｅＮＢ通信路コンテキスト２４２の具体例を示す。図５は、ＡＰＮ５でＰＤＮコネクションを確立した場合における、ｅＮＢ２０が管理する情報要素を示している。
【０１１２】
図５に示すように、ｅＮＢ２０は、有効なＰＤＮコネクション毎に管理される情報要素として、ＭＭＥ  ＵＥ  Ｓ１  ＡＰ  ＩＤと、ＧＵＭＭＥＩと、グローバルｅＮＢ  ＩＤと、トラッキングエリアＩＤと、Ｅ−ＲＡＢ  ＩＤと、ＵＥ  ＩＤと、を管理する。
【０１１３】
また、ｅＮＢ２０は、ＰＤＮコネクションを確立した場合、ＰＤＮコネクション内でＥＰＳベアラ毎に管理される情報要素として、ＥＰＳベアラＩＤ、ＥＰＳベアラＱｏＳ、トランスポートアドレスを管理する。
【０１１４】
なお、ｅＮＢ２０は、単一のＰＤＮコネクションで、複数のＥＰＳベアラを管理して良い。ｅＮＢ２０が単一のＰＤＮコネクションで、複数のＥＰＳベアラを管理する場合、ＥＰＳベアラ毎に、ＥＰＳベアラＩＤ、ＥＰＳベアラＱｏＳ、トランスポートアドレスを管理して良い。
【０１１５】
ＭＭＥ  ＵＥ  Ｓ１  ＡＰ  ＩＤは、Ｓ１インターフェース上でＵＥを識別するために割り当てられる識別情報である。なお、ｅＮＢ２０は、ＭＭＥ３０からＭＭＥ  ＵＥ  Ｓ１  ＡＰ  ＩＤを受信し、ＭＭＥ  ＵＥ  Ｓ１  ＡＰ  ＩＤを管理して良い。ｅＮＢ２０はＭＭＥ３０からＳ１−ＡＰシグナリングで、ＭＭＥ  ＵＥ  Ｓ１  ＡＰ  ＩＤを受信して良い。
【０１１６】
ＧＵＭＭＥＩは、ＭＭＥ３０の識別番号である。ｅＮＢ２０は、ＧＵＭＭＥＩを利用して、ＵＥ１０からＭＭＥ３０へのメッセージを転送することができる。なお、ｅＮＢ２０が制御メッセージの送信先を選択する際にＭＭＥを選択するためのＭＭＥの識別情報は、ＧＵＭＭＥＩに限らず、ＭＭＥＩ（ＭＭＥ  ＩＤ）であってもよい。
【０１１７】
グローバルｅＮＢ  ＩＤは、ｅＮＢ２０を識別する識別情報である。また、グローバルｅＮＢ  ＩＤは、通信サービスを提供する移動通信事業者を識別する事業者識別コードと、基地局識別コードを組み合わせて構成して良い。これにより、複数の移動通信事業者が提供する複数の移動通信ネットワークにおいて一意な識別情報とすることができる。
【０１１８】
トラッキングエリアＩＤは、ｅＮＢ２０が属すトラッキングエリアを識別する識別情報である。トラッキングエリアは、ｅＮＢ２０の位置を示す情報である。
【０１１９】
Ｅ−ＲＡＢ  ＩＤ（Ｅ−ＵＴＲＡＮ  Ｒａｄｉｏ  Ａｃｃｅｓｓ  Ｂｅａｒｅｒ  ＩＤ）は、Ｅ−ＵＴＲＡＮにおける無線アクセスベアラを識別する識別情報である。ｅＮＢ２０は、ＵＥ１０と無線接続を確立する場合、ＵＥ１０にＥ−ＲＡＢ  ＩＤを割り当てる。なお、Ｅ−ＲＡＢ  ＩＤは、無線ベアラＩＤであって良く、ＥＰＳベアラＩＤであってよく、デフォルトベアラであって良い。
【０１２０】
ＵＥ  ＩＤはＵＥを識別する識別情報である。ｅＮＢ２０は、ＵＥ１０と無線接続を確立したＵＥ１０の識別情報を管理する。なお、具体的なＵＥ  ＩＤは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であってもよい。または、ＧＵＴＩ（Ｇｌｏｂａｌｌｙ  Ｕｎｉｑｕｅ  Ｔｅｍｐｏｒａｒｙ  Ｉｄｅｎｔｉｔｙ）であってもよい。または、Ｓ−ＴＭＳＩ（ＳＡＥ  Ｔｅｍｐｏｒａｒｙ  Ｍｏｂｉｌｅ  Ｓｕｂｓｃｒｉｂｅｒ  Ｉｄｅｎｔｉｔｙ）であってもよいし、ＵＥのＩＰアドレスであってもよい。また、これらの情報要素のうち少なくとも一つが記憶されてよい。または、これらの情報要素を組み合わせた情報要素であってもよい。なお、これらの識別情報は、コアネットワークから取得したものであってよい。
【０１２１】
ＥＰＳベアラＩＤは、ＥＰＳベアラを識別する識別情報である。ここで、ＥＰＳベアラＩＤは、ｅＮＢ２０とＳＧＷ５０間のＥＰＳベアラを示す識別子であって良い。また、ＥＰＳベアラＩＤは、ｅＮＢ２０とＬＧＷ４０間のＥＰＳベアラを示す識別子であって良い。
【０１２２】
トランスポートアドレスは、ＵＥ１０からの上りリンクデータの転送先を示す情報である。ｅＮＢ２０は、ＵＥ１０と無線接続を確立した場合、上りリンクデータの転送先を管理する。トランスポートアドレスは、ＳＧＷ５０のＩＰアドレスやＳＧＷ５０のＴＥＩＤ、ＬＧＷ４０のＩＰアドレスやＬＧＷ４０のＣｏｒｒｅｌａｔｉｏｎ  ＩＤやＬＨＮ  ＩＤであって良い。ＴＥＩＤ（Ｔｕｎｎｅｌ  Ｅｎｄｐｏｉｎｔ  ＩＤ）は、ＰＤＮコネクションを構成するユーザデータ配送のためのトンネル通信路の識別情報であり、ＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【０１２３】
Ｃｏｒｒｅｌａｔｉｏｎ  ＩＤは、ＳＧＷ５０におけるＴＥＩＤに対応するＬＧＷ４０におけるトンネル通信路の識別情報である。なお、Ｃｏｒｒｅｌａｔｉｏｎ  ＩＤはＳＩＰＴＯを提供することを明示した、ＳＩＰＴＯ  Ｃｏｒｒｅｌａｔｉｏｎ  ＩＤであっても良い。なお、本発明では、ＳＩＰＴＯを対象とした発明であるため、特に断らない限り、Ｃｏｒｒｅｌａｔｉｏｎ  ＩＤは、ＳＩＰＴＯを提供するＣｏｒｒｅｌａｔｉｏｎ  ＩＤである。
【０１２４】
ＬＨＮ  ＩＤ（Ｌｏｃａｌ  ＨｅＮＢ  Ｎｅｔｗｏｒｋ  ＩＤ）は、ＬＧＷ４０が属すネットワークを識別する識別情報である。
【０１２５】
ｅＮＢ２０は、ＬＧＷ４０を管理している場合、アタッチ手続きにおいて、ＬＧＷ４０の識別情報をＭＭＥ３０へ通知して良い。また、ｅＮＢ２０は、ＬＧＷ４０を管理している場合、サービス要求手続きにおいて、ＬＧＷ４０の識別情報をＭＭＥ３０へ通知して良い。ｅＮＢ２０は、ＬＧＷ４０を管理している場合、ＰＤＮ接続手続きにおいて、ＬＧＷ４０の識別情報をＭＭＥ３０へ通知して良い。
【０１２６】
ｅＮＢ通信路コンテキスト２４２は通信路毎に保持して良い。例えば、ＵＥ１０と確立する通信路が複数存在する場合、それぞれの通信路に対してそれぞれ保持して良い。
【０１２７】
ここでｅＮＢ通信路コンテキストの基地局情報は、ＵＥ１０を識別する情報と、ｅＮＢ２０を識別する情報とをそれぞれ記憶して良い。
【０１２８】
データ転送部２３０は、第１インターフェース部２１０を介して受信したＵＥ１０から受信データを、第２インターフェース部２２０を介してＩＰ移動通信ネットワークへ転送し、さらに、第２インターフェース部２２０を介して受信したＵＥ１０宛ての受信データを、第１インターフェース部２１０を用いてＵＥ１０へ転送する機能部である。
【０１２９】
なお、ｅＮＢ２０は、単一のＰＤＮコネクションに対して複数のベアラを確立し、ベアラごとに対応する情報要素を記憶してもよい。単一のＰＤＮコネクションに対して確立する第１のベアラは、オフロード通信ように構成するＬＧＷに接続するオフロード通信用のベアラであってよい。また、第２のベアラは、コアネットワーク７に含まれるＰＧＷに接続するベアラであってよい。
【０１３０】
なお、第１のベアラは、ｅＮＢ２０とＬＧＷ４０とを接続するベアラであってよいし、ｅＮＢとＳＧＷを接続するベアラとＳＧＷ５０とＬＧＷ４０を接続するベアラを組み合わせたものであったよい。
【０１３１】
また、第２のベアラは、ｅＮＢ２０とＳＧＷ５０を接続するベアラとＳＧＷ５０とＰＧＷ６０を組み合わせたベアラであってよい。
【０１３２】
もしくは、ｅＮＢ２０は、ＵＥ１０とｅＮＢ２０との間の無線ベアラ及び／又はｅＮＢ２０とＳＧＷ５０との間のベアラを、共通するベアラとして管理し、第１のベアラをＳＧＷ５０とＬＧＷ４０を接続するベアラとして管理し、第２のベアラをＳＧＷ５０とＰＧＷ６０を接続するベアラとして管理してもよい。このようにＭＭＥ３０は、異なるゲートウェイに接続するベアラをＰＤＮコネクションに対応付けて管理してもよい。
[１．２．３  ＭＭＥの構成]
ＭＭＥ３０は、ＵＥ１０の通信路確立やサービス提供に関して、許可または不許可を決定する制御装置である。
【０１３３】
図６にＭＭＥ３０の機能構成を示す。ＭＭＥ３０は、制御部４００に、ＩＰ移動通信ネットワークインターフェース部４１０と、記憶部４４０とがバスを介して接続されている。
【０１３４】
制御部３００は、ＵＥ１０を制御するための機能部である。制御部３００は、記憶部３４０に記憶されている各種プログラムを読みだして実行することにより各種処理を実現する。
【０１３５】
ＩＰ移動通信ネットワークインターフェース部３１０は、ＭＭＥ３０がＩＰ移動通信ネットワーク５に接続するための機能部である。
【０１３６】
記憶部３４０は、ＵＥ１０の各種動作に必要なプログラム、データ等を記録する機能部である。記憶部３４０は、例えば、半導体メモリや、ＨＤＤ（Ｈａｒｄ  Ｄｉｓｋ  Ｄｒｉｖｅ）等により構成される。さらに、記憶部３４０には、ＭＭＥ通信路コンテキスト３４２が記憶されている。
【０１３７】
ＭＭＥ通信路コンテキスト３４２は、ＵＥ１０とＰＧＷ６０の間に確立される通信路に対応づけられて記憶される情報群である。図７にＭＭＥ通信路コンテキスト３４２の具体例を示す。図７は、ＵＥ１０がＡＰＮ５を用いてＰＤＮコネクションを確立した場合における、ＭＭＥ３０が管理する情報要素を示している。
【０１３８】
図７に示すように、ＵＥ１０は、ＰＤＮコネクションを確立した場合、有効なＰＤＮコネクション毎に管理される情報要素として、ＡＰＮ、ＰＤＮタイプ、ＩＰアドレス、ＳＩＰＴＯの許可情報、ＬＨＮ  ＩＤ、ＰＤＮ  ＧＷアドレス（Ｃ−ｐｌａｎｅ）、ＰＧＷ  ＴＥＩＤ（Ｃ−ｐｌａｎｅ）、デフォルトベアラなどを管理して良い。
【０１３９】
また、ＭＭＥ３０は、ＰＤＮコネクションを確立した場合、ＰＤＮコネクション内でＥＰＳベアラ毎に管理される情報要素として、ＥＰＳベアラＩＤ、ＳＧＷ  ＩＰアドレス（Ｓ１−ｕ）、ＳＧＷ  ＴＥＩＤ（Ｓ１−ｕ）、ＰＧＷ  ＩＰアドレス（ｕ−ｐｌａｎｅ）、ＰＧＷ  ＴＥＩＤ（ｕ−ｐｌａｎｅ）、ＥＰＳベアラＱｏＳなどを管理して良い。
【０１４０】
なお、ＭＭＥ３０は、単一のＰＤＮコネクションで、複数のＥＰＳベアラを管理して良い。ＭＭＥ３０が単一のＰＤＮコネクションで、複数のＥＰＳベアラを管理する場合、ＥＰＳベアラ毎に、ＥＰＳベアラＩＤ、ＳＧＷ  ＩＰアドレス（Ｓ１−ｕ）、ＳＧＷ  ＴＥＩＤ（Ｓ１−ｕ）、ＰＧＷ  ＩＰアドレス（ｕ−ｐｌａｎｅ）、ＰＧＷ  ＴＥＩＤ（ｕ−ｐｌａｎｅ）、ＥＰＳベアラＱｏＳを管理して良い。
【０１４１】
なお、単一のＰＤＮコネクションに対して確立する第１のベアラは、オフロード通信用に構成するＬＧＷに接続するオフロード通信用のベアラであってよい。また、第２のベアラは、コアネットワーク７に含まれるＰＧＷに接続するベアラであってよい。
【０１４２】
なお、第１のベアラは、ｅＮＢ２０とＬＧＷ４０とを接続するベアラであってよいし、ｅＮＢとＳＧＷを接続するベアラとＳＧＷ５０とＬＧＷ４０を接続するベアラを組み合わせたものであったよい。
【０１４３】
また、第２のベアラは、ｅＮＢ２０とＳＧＷ５０を接続するベアラとＳＧＷ５０とＰＧＷ６０を組み合わせたベアラであってよい。
【０１４４】
もしくは、ＭＭＥ３０は、ｅＮＢ２０とＳＧＷ５０との間のベアラは、共通するベアラとして管理し、第１のベアラをＳＧＷ５０とＬＧＷ４０を接続するベアラとして管理し、第２のベアラをＳＧＷ５０とＰＧＷ６０を接続するベアラとして管理してもよい。
【０１４５】
このようにＭＭＥ３０は、異なるゲートウェイに接続するベアラをＰＤＮコネクションに対応付けて管理してもよい。
【０１４６】
ＡＰＮ（アクセスポイントネーム）は、ＩＰ移動通信ネットワーク５においてＵＥ１０が確立するＰＤＮコネクションの端点となるゲートウェイ装置を選択するために使用される識別情報である。また、ＡＰＮは、ＰＤＮ９０に対応づけた識別情報であったよい。ＩＭＳや映像配信など、サービスごとに異なるＰＤＮ９０が構成されている場合には、サービスを識別する識別情報としても使用することができる。なお、ＳＩＰＴＯ可能なＰＤＮコネクションを確立可能なオフロード通信用のＡＰＮと、オフロード通信を行わないＡＰＮとを、異なるＡＰＮとして管理してもよい。この場合、オフロード用のＡＰＮで選択されるゲートウェイは、ＬＧＷ４０であり、オフロード通信を行わないＡＰＮで選択されるゲートウェイは、コアネットワーク７に構成されるＰＧＷ６０であって良い。
【０１４７】
また、ＡＰＮは、異なるゲートウェイを端点としたＰＤＮコネクションへの切り替えを許可する許可情報と対応づけられていても良い。
【０１４８】
例えば、ＡＰＮ１は、ＳＩＰＴＯ用のＰＤＮコネクションが確立可能なＡＰＮであり、異なるゲートウェイを端点としたＰＤＮコネクションへの切り替えは許可されないＡＰＮであり、ＡＰＮ２は、ＳＩＰＴＯ用のＰＤＮコネクションが確立可能であり、且つ異なるゲートウェイを端点としたＰＤＮコネクションへの切り替えを許可するＡＰＮであり、ＡＰＮ３は、ＳＩＰＴＯ用のＰＤＮコネクションを確立することができず、且つ異なるゲートウェイを端点としたＰＤＮコネクションへの切り替えは許可されないＡＰＮであり、ＡＰＮ４は、ＳＩＰＴＯ用のＰＤＮコネクションを確立することができず、且つ異なるゲートウェイを端点としたＰＤＮコネクションへの切り替えは許可されているＡＰＮであり、ＡＰＮ５は、ＳＩＰＴＯ用のＰＤＮコネクションが確立可能であり、且つ異なるゲートウェイを端点として複数の接続性をもつことが許可されたＡＰＮなどであってよい。また、ＡＰＮ５は、１つのＰＤＮコネクションで異なるゲートウェイを端点とする複数のベアラを同時に確立するＡＰＮであってよい。
【０１４９】
ＭＭＥ３０は、ＵＥ毎に、ＵＥが使用可能なＡＰＮを管理する。ＵＥが使用可能なＡＰＮは複数あってよい。例えば、ＭＭＥ３０は、ＵＥ１０はＡＰＮ１とＡＰＮ３とＡＰＮ４とＡＰＮ５とを用いた接続を許可すると管理してよい。
【０１５０】
ＰＤＮタイプは、ＵＥ１０に割り当てられるＩＰアドレスのバージョンを示す情報である。ＩＰアドレスのバージョンとして、ＩＰｖ４とＩＰｖ６がある。ここで、ＭＭＥ３０は、アタッチ受託にＰＤＮタイプをＩＰアドレスとともにＵＥ１０に通知し、通知したＰＤＮタイプを管理してよい。また、ＭＭＥ３０は、ＰＤＮ接続受託にＰＤＮタイプをＩＰアドレスとともにＵＥ１０に通知し、通知したＰＤＮタイプを管理して良い。
【０１５１】
ＩＰアドレスは、ＵＥ１０に割り当てられたＩＰアドレスである。ＵＥ１０は割り当てられたＩＰアドレスを利用して、上りリンクデータの送信や下りリンクデータの受信を行うことができる。
【０１５２】
ＭＭＥ３０はあらかじめＵＥ１０のＩＰアドレスを管理しておいて良い。また、ＭＭＥ３０は、ＰＧＷ３０から通知されたＩＰアドレスを管理して良い。さらに、ＭＭＥ３０は、ＬＧＷ４０から通知されたＩＰアドレスを管理して良い。
【０１５３】
ＳＩＰＴＯの許可は、対応付けられるＡＰＮがＳＩＰＴＯを許可していることを示す情報が含まれる。ここで、ＳＩＰＴＯの許可情報は、さらに細分化された許可情報であってよい。たとえば、ＳＩＰＴＯのＰＤＮコネクションの確立が禁止されていることを示す許可情報または、ＳＩＰＴＯ＠ＬＮを除くＳＩＰＴＯのＰＤＮコネクションの確立が許可されていることを示す許可情報または、ＳＩＰＴＯ＠ＬＮを含むＳＩＰＴＯのＰＤＮコネクションの確立が許可されていることを示す許可情報または、ＳＩＰＴＯ＠ＬＮのみのＰＤＮコネクションの確立が許可されていることを示す許可情報が含まれてよい。
【０１５４】
ここで、ＳＩＰＴＯ＠ＬＮとは、ＵＥ１０がアクセスネットワークに含まれるＬＧＷと確立するＰＤＮコネクションを確立することを示しており、ＳＩＰＴＯ＠ＬＮを除くＳＩＰＴＯとは、ＵＥ１０がコアネットワークに含まれるＬＧＷと確立するＰＤＮコネクションを確立することであってよい。
【０１５５】
なお、本実施形態では、上記、ＳＩＰＴＯ＠ＬＮを含むＳＩＰＴＯのＰＤＮコネクションの確立が許可されていることを、ＳＩＰＴＯおよびＳＩＰＴＯ＠ＬＮを許可と表す。
【０１５６】
また、ＳＩＰＯＴＯの許可は、上記の許可情報に加え、ＳＩＰＴＯ＠ＬＮおよびＳＩＰＴＯのＰＤＮコネクションの確立可能であり、かつ、異なるゲートウェイを端点としたＰＤＮコネクションへの切り替えを許可する許可情報が含まれてよい。さらに、ＳＩＰＴＯの許可は、ＳＩＰＴＯ用のＰＤＮコネクションが確立可能であり、且つ異なるゲートウェイを端点として複数の接続性をもつことを許可されていることを示す許可情報が含まれてよい。
【０１５７】
なお、本実施形態では、上記、ＳＩＰＴＯ＠ＬＮおよびＳＩＰＴＯのＰＤＮコネクションの確立可能であり、かつ、異なるゲートウェイを端点として複数の接続性をもつことを許可する許可情報を、ＣＳＩＰＴＯ(Co-ordinated P-GW change for SIPTO)の許可と示す。
【０１５８】
ＬＨＮ  ＩＤは、ｅＮＢ２０が管理するＬＧＷ４０が属すネットワークを識別する識別情報である。ＭＭＥ３０は、ＵＥ１０が確立するＰＤＮコネクションにおいて、ゲートウェイの端点がＬＧＷ４０である場合に、ＬＨＮ  ＩＤを管理して良い。
【０１５９】
ＰＤＮ  ＧＷアドレス（Ｃ−ｐｌａｎｅ）は、ＰＧＷ６０における制御情報を送受信するＩＰアドレスである。ＭＭＥ３０は、ＰＤＮ  ＧＷアドレス（Ｃ−ｐｌａｎｅ）において、ＬＧＷ４０のＩＰアドレスやＰＧＷ６０のＩＰアドレスを管理する。ここで、Ｃ−ｐｌａｎｅとは、制御情報を示している。ＰＤＮ  ＧＷアドレス（Ｃ−ｐｌａｎｅ）は、制御情報を送受信するための、ＰＧＷ６０のＩＰアドレスである。また、ＰＧＷ６０は、制御情報を送受信するＰＧＷとユーザデータを送受信するＰＧＷは、同じ装置で構成されてよいし、別々の装置で構成されてよい。
【０１６０】
ＰＤＮ  ＧＷ  ＴＥＩＤ（Ｃ−ｐｌａｎｅ）は、ＰＧＷ６０におけるトンネル通信路の識別情報のことである。ＰＤＮ  ＧＷ  ＴＥＩＤはＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【０１６１】
また、ＰＤＮ  ＧＷ  ＴＥＩＤ（Ｃ−ｐｌａｎｅ）は、制御情報を送受信するための、ＰＧＷ６０のＴＥＩＤであってよい。つまり、ＰＧＷ６０は、制御情報を送受信するＰＧＷのＴＥＩＤとユーザデータを送受信するＰＧＷのＴＥＩＤが異なっていてよい。
【０１６２】
また、ＰＤＮ  ＧＷ  ＴＥＩＤ（Ｃ−ｐｌａｎｅ）には、Ｃｏｒｒｅｌａｔｉｏｎ  ＩＤが含まれてよい。Ｃｏｒｒｅｌａｔｉｏｎ  ＩＤは、ＬＧＷ４０におけるトンネル通信路の識別情報である。なお、Ｃｏｒｒｅｌａｔｉｏｎ  ＩＤはＳＩＰＴＯを提供することを明示した、ＳＩＰＴＯ  Ｃｏｒｒｅｌａｔｉｏｎ  ＩＤであっても良い。
【０１６３】
デフォルトベアラは、ＵＥ１０がＬＴＥ  ＡＮ９内のｅＮＢ２０と接続する際に確立するＵＥ１０とｅＮＢ２０の間の無線通信路である無線ベアラを識別する情報である。
【０１６４】
デフォルトベアラはＥＰＳベアラＩＤであっても良く、無線ベアラＩＤであっても良く、ＬＢＩ（Ｌｉｎｋｅｄ  Ｂｅａｒｅｒ  ＩＤ）であって良い。なお、ＬＢＩは、ベアラＩＤと関連付けられる情報である。
【０１６５】
ＭＭＥ３０は、ＡＰＮとＰＤＮタイプとＩＰアドレスとＳＩＰＴＯの許可情報と、ＬＨＮ  ＩＤと、ＰＤＮ  ＧＷアドレス（Ｃ−ｐｌａｎｅ）とＰＤＮ  ＧＷ  ＴＥＩＤ（Ｃ−ｐｌａｎｅ）とデフォルトベアラと、を有効なＰＤＮコネクション毎に管理される情報要素として、関連付けて管理して良い。
【０１６６】
ＥＰＳベアラＩＤはＵＥ１０がＬＴＥ  ＡＮ９内のｅＮＢ２０と接続する際に確立するＵＥ１０とｅＮＢ２０の間の無線通信路である無線ベアラを識別する情報であってよい。また、ＥＰＳベアラＩＤは、ｅＮＢ２０とＳＧＷ５０間のＥＰＳベアラを示す識別子であって良い。また、ＥＰＳベアラＩＤは、ｅＮＢ２０とＬＧＷ４０間のＥＰＳベアラを示す識別子であって良い。
【０１６７】
ＥＰＳベアラＩＤは無線ベアラＩＤであっても良く、ＬＢＩ（Ｌｉｎｋｅｄ  Ｂｅａｒｅｒ  ＩＤ）であって良い。なお、ＬＢＩは、ベアラＩＤと関連付けられる情報である。
【０１６８】
また、ＭＭＥ３０は、最初にＰＤＮへ接続した場合に割り当てられるベアラに対するベアラＩＤをデフォルトベアラとして管理し、同じＰＤＮコネクションにおいて別のベアラが割り当てられる場合には、ＥＰＳベアラＩＤとして管理して良い。
【０１６９】
ＳＧＷ  ＩＰアドレス（Ｓ１−ｕ）は、ユーザデータを送受信するＳＧＷ５０のＩＰアドレスである。Ｓ１−ｕは、ＳＧＷ５０とｅＮＢ２０間のユーザデータを送受信するインターフェースを示している。なお、ＳＧＷ５０はｅＮＢ２０とユーザデータを送受信するが、ｅＮＢ２０と制御情報を送受信しない。
【０１７０】
なお、確立したＰＤＮコネクションにおいてＳＧＷ５０が含まれない場合、ＳＧＷ５０のＩＰアドレスを管理しなくてよい。
【０１７１】
ＳＧＷ  ＴＥＩＤ（Ｓ１−ｕ）は、ユーザデータを送受信するｅＮＢ２０とＳＧＷ５０間におけるトンネル通信路の識別情報のことである。なお、ＳＧＷ５０はｅＮＢ２０とユーザデータを送受信するが、ｅＮＢ２０と制御情報を送受信しない。
【０１７２】
ＳＧＷ  ＴＥＩＤ（Ｓ１−ｕ）はＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。なお、確立したＰＤＮコネクションにおいてＳＧＷ５０が含まれない場合、ＳＧＷ５０のＴＥＩＤを管理しなくてよい。
【０１７３】
ＰＧＷ  ＩＰアドレス（Ｕ−ｐｌａｎｅ）は、ユーザデータを送受信するＰＧＷ６０のＩＰアドレスである。ＭＭＥ３０は、ＰＧＷ  ＩＰアドレス（Ｕ−ｐｌａｎｅ）において、ＬＧＷ４０のＩＰアドレスやＰＧＷ６０のＩＰアドレスを管理する。なお、ＰＧＷ６０は、ユーザデータを送受信するＰＧＷと制御情報を送受信するＰＧＷは同じ装置で構成されてよいし、別々の装置で構成されてよい。
【０１７４】
ＰＧＷ  ＴＥＩＤ（Ｕ−ｐｌａｎｅ）は、ユーザデータを送受信するＰＧＷ６０におけるトンネル通信路の識別情報のことである。ＰＧＷ  ＴＥＩＤ（Ｕ−ｐｌａｎｅ）はＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。なお、ＰＧＷ６０は、ユーザデータを送受信するＰＧＷと制御情報を送受信するＰＧＷは同じ装置で構成されてよいし、別々の装置で構成されてよい。
【０１７５】
なお、ＰＤＮ  ＧＷ  ＴＥＩＤ（Ｕ−ｐｌａｎｅ）には、ＰＧＷ  ＴＥＩＤやＣｏｒｒｅｌａｔｉｏｎ  ＩＤが含まれてよい。Ｃｏｒｒｅｌａｔｉｏｎ  ＩＤは、ＬＧＷ４０におけるトンネル通信路の識別情報である。なお、Ｃｏｒｒｅｌａｔｉｏｎ  ＩＤはＳＩＰＴＯを提供することを明示した、ＳＩＰＴＯ  Ｃｏｒｒｅｌａｔｉｏｎ  ＩＤであっても良い。
【０１７６】
ＥＰＳベアラＱｏＳは、ＥＰＳベアラＩＤとともに関連付けられるＱｏＳ（Ｑｕａｌｉｔｙ  ｏｆ  Ｓｅｒｖｉｃｅ）を示す情報である。ＥＰＳベアラＱｏＳはデフォルトベアラとは関連付けられず、ＰＤＮコネクション内においてデフォルトベアラとは別のＥＰＳベアラが割り当てられた場合におけるＱｏＳを示す情報である。
【０１７７】
ＭＭＥ３０は、ＥＰＳベアラＩＤと、ＳＧＷ  ＩＰアドレス（Ｓ１−ｕ）と、ＳＧＷ  ＴＥＩＤ（Ｓ１−ｕ）と、ＰＧＷ  ＩＰアドレス（Ｕ−ｐｌａｎｅ）と、ＰＧＷ  ＴＥＩＤ（Ｕ−ｐｌａｎｅ）と、ＥＰＳベアラＱｏＳと、をＰＤＮコネクション内でＥＰＳベアラ毎に管理される情報要素として、関連付けて管理して良い。
【０１７８】
また、ＭＭＥ３０は、有効なＰＤＮコネクション毎に管理される情報要素と、ＰＤＮコネクション内でＥＰＳベアラ毎に管理される情報要素を関連付けて管理して良い。つまり、ＭＭＥ３０は、ＡＰＮとＰＤＮタイプとＩＰアドレスとＳＩＰＴＯの許可と、ＬＨＮ  ＩＤと、ＰＤＮ  ＧＷアドレス（Ｃ−ｐｌａｎｅ）と、ＰＤＮ  ＧＷ  ＴＥＩＤ（Ｃ−ｐｌａｎｅ）と、デフォルトベアラと、ＥＰＳベアラＩＤと、ＳＧＷ  ＩＰアドレス（Ｓ１−ｕ）と、ＳＧＷ  ＴＥＩＤ（Ｓ１−ｕ）と、ＰＧＷ  ＩＰアドレス（Ｕ−ｐｌａｎｅ）と、ＰＧＷ  ＴＥＩＤ（Ｕ−ｐｌａｎｅ）と、ＥＰＳベアラＱｏＳを関連付けて管理して良い。
【０１７９】
なお、ＭＭＥ３０は、複数の通信路を確立してもよい。つまり、確立したＰＤＮコネクション毎にＭＭＥ通信路コンテキスト３４２を作成し、管理しても良い。
【０１８０】
また、ＭＭＥ３０は、上記で示した情報以外に基地局識別情報やサービス識別情報を管理しても良い。
【０１８１】
基地局識別情報は、ｅＮＢ２０を識別する情報であって良い。また、基地局識別情報は、通信サービスを提供する移動通信事業者を識別する事業者識別コードと、基地局識別コードを組み合わせて構成して良い。これにより、複数の移動通信事業者が提供する複数の移動通信ネットワークにおいて一意な識別情報とすることができる。
【０１８２】
サービス識別情報は、移動通信事業者がＩＰ通信ネットワーク５で提供するサービスを識別する情報である。サービス識別情報は、ＡＰＮであって良いし、ＦＱＤＮ（Ｆｕｌｌｙ  Ｑｕａｌｉｆｉｅｄ  Ｄｏｍａｉｎ  Ｎａｍｅ）などのサービスドメイン識別情報であって良い。これに限らずサービスと対応づけられた識別情報であって良い。さらに、サービスとはＩＭＳに基づいた音声通話サービスや、ビデオ配信サービスなどであって良いし、グループ通信を提供するサービスであって良い。サービス識別情報は、こうしたサービスを識別する識別情報である。
【０１８３】
ＭＭＥ通信路コンテキスト３４２は通信路毎に保持して良い。例えば、ＵＥ１０がｅＮＢ２０と複数の通信路を確立する場合、それぞれの通信路に対してそれぞれ保持して良い。
【０１８４】
［１．３  処理の説明］
続いて、上述した移動通信システムにおける具体的なＰＤＮコネクションの確立およびベアラの選択方法を説明する。図８を用いて本実施形態における確立されるＰＤＮコネクションとベアラ、およびベアラの選択方法を説明する。
【０１８５】
図８では、まずＵＥ１０はＰＤＮコネクションを確立し、ＰＤＮコネクションを用いてネットワーク上の通信相手となる端末とデータ通信を行う。
【０１８６】
ここで、ＰＤＮコネクションは、オフロード通信用のＰＤＮコネクションであってよい。なお、確立されるＰＤＮコネクションは、ｅＮＢ２０を介して、ＵＥ１０とＬＧＷ４０が確立する第一の接続、ＵＥ１０とＰＧＷ６０が確立する第二の接続で構成されてよい。また、確立されるＰＤＮコネクションは、ｅＮＢ２０を介して、ＵＥ１０とＬＧＷ４０が確立する第一のベアラ、ＵＥ１０とＰＧＷ６０が確立する第二のベアラで構成されてよい。
【０１８７】
ここで、ＭＭＥ３０は、まず単一のＰＤＮコネクションに対して、第一の最適なゲートウェイ（ＬＧＷ４０）に対して、セッション確立を要求する。ここで、ＭＭＥ３０は、選択した最適なゲートウェイ（ＬＧＷ４０）にＩＰアドレスの割り当てを要求して良い。
【０１８８】
次に、ＭＭＥ３０は、単一のＰＤＮコネクションに対して、第二の最適なゲートウェイ（ＰＧＷ６０）に対して、セッション確立を要求する。ここで、ＭＭＥ３０は、選択した最適なゲートウェイ（ＰＧＷ６０）にＩＰアドレスの割り当てを要求して良い。
【０１８９】
ここで、ＵＥ１０は少なくともｅＮＢ２０に在圏する場合、ｅＮＢ２０を介して、ｅＮＢ２０とＬＧＷ４０間の第一のベアラと、ＵＥ１０とＰＧＷ６０間の第二のベアラを含むＰＤＮコネクションを維持することができる。
【０１９０】
ここで、ＵＥ１０は、少なくともｅＮＢ２０に在圏する場合、最適なゲートウェイとしてＬＧＷ４０を経由する第一のベアラによるデータを送受信することができる。
【０１９１】
次に、ＵＥ１０は移動に伴い、在圏する基地局を変更する。例えば、在圏する基地局をｅＮＢ２０ＡからｅＮＢ２０Ｂに変更する。
【０１９２】
ＵＥ１０は、移動に伴い、在圏する基地局がｅＮＢ２０ＡからｅＮＢ２０Ｂに変更される。従来では、ＵＥ１０は、在圏する基地局がｅＮＢ２０ＡからｅＮＢ２０Ｂに変更されても、いったんＰＤＮコネクションを削除してＰＤＮコネクションを再確立しない限り、ＬＧＷ４０を選択されたＰＤＮコネクションを維持していた。つまり、ＵＥ１０は、ｅＮＢ２０Ｂを経由してＬＧＷ４０へのＰＤＮコネクションを維持する。ここで、ＵＥ１０がｅＮＢ２０Ｂに在圏する場合、ＬＧＷ４０は必ずしもオフロードするための最適なゲートウェイではない可能性があるため、ＬＧＷ４０へのＰＤＮコネクションは、最適なゲートウェイが選択されたＰＤＮコネクションではない場合がある。
【０１９３】
本実施形態では、ＵＥ１０は、従来のように単一のＰＤＮコネクションで単一のゲートウェイを端点とした接続性をもつのではなく、単一のＰＤＮコネクションで複数のゲートウェイを端点として複数の接続性をもつ。ここで確立されるＰＤＮコネクションは、ゲートウェイごとにベアラを確立して良い。
【０１９４】
つまり、ＵＥ１０は、単一のＰＤＮコネクションで、ｅＮＢ２０を介して、ＵＥ１０とＬＧＷ４０が確立する第一のベアラと、ＵＥ１０とＰＧＷ６０が確立する第二のベアラを確立して良い。
【０１９５】
ここで、ＵＥ１０がｅＮＢ２０Ｂへ移動した場合であっても、既に確立したＰＤＮコネクションにおいて、最適なゲートウェイではないＬＧＷ４０経由の接続を用いるのではなく、最適なゲートウェイを用いたＰＧＷ６０経由の接続へ切り替えてＵＥの通信を行うための最適な通信制御を行う。
【０１９６】
また、ＵＥ１０がｅＮＢ２０Ｂへ移動した場合であっても、既に確立したＰＤＮコネクションにおいて、最適なゲートウェイではない第一のベアラを用いるのではなく、最適なゲートウェイを用いた第二のベアラへ切り替えてＵＥの通信を行うための最適な通信制御を行ってよい。
【０１９７】
なお、従来では、ＭＭＥ３０が既に確立したＰＤＮコネクションにおいて、最適な通信路ではないことを検出した場合、ＵＥ１０へＰＤＮコネクションに対するＰＤＮコネクションの再確立要求を送信する。ＵＥ１０は、ＭＭＥ３０からＰＤＮコネクションの再確立要求を受信した場合、ＰＤＮコネクションの再確立手続きを行う。
【０１９８】
本実施形態では、ＭＭＥ３０が既に確立したＰＤＮコネクションにおいて、ＬＧＷ４０経由の接続が最適な通信路ではないことを検出した場合、ＵＥ１０にＰＤＮコネクションの再確立を要求するのではなく、確立したＰＤＮコネクションにおいて最適なゲートウェイとしてＰＧＷ５０を選択し、ＰＤＮコネクションにおけるゲートウェイを変更する手続きを行う。
【０１９９】
ここで、ＭＭＥ３０は、確立したＰＤＮコネクションにおける第一のＥＰＳベアラにおいて最適な通信路ではないことを検出した場合、ＵＥ１０のＰＤＮコネクションにおいて、第二のＥＰＳベアラを選択し、ＰＤＮコネクションにおけるゲートウェイを変更する手続きを行ってよい。
【０２００】
ここで、ＭＭＥ３０は、単一のＩＰアドレスで、ＬＧＷ４０を端点とする第一の接続（第一のベアラ）と、ＰＧＷ６０を端点とする第二の接続（第二のベアラ）を切り替えて良い。
【０２０１】
ここで、ＭＭＥ３０は、複数のＩＰアドレスで、ＬＧＷ４０を端点とする第一の接続（第一のベアラ）と、ＰＧＷ６０を端点とする第二の接続（第二のベアラ）を切り替えて良い。
【０２０２】
また、ＭＭＥ３０は、ＵＥ１０に最適なゲートウェイ（ＰＧＷ６０）から受信したＩＰアドレスを通知して良い。ＵＥ１０は、ＭＭＥ３０からＩＰアドレスを受信し、ＰＤＮコネクションで管理していた、ＩＰアドレスを更新して良い。
【０２０３】
以上の手続きにより、ＵＥ１０と、最適でないゲートウェイであるＬＧＷ４０におけるＰＤＮコネクションにおける第一のＥＰＳベアラから、ＵＥ１０と、最適なゲートウェイであるＰＧＷ６０におけるＰＤＮコネクションにおける第二のＥＰＳベアラへ変更することができる。
【０２０４】
つまり、ＵＥ１０は確立したＰＤＮコネクションにおいて、ＬＧＷ４０に対する通信路からＰＧＷ６０に対する通信路へ切り替えることができる。
【０２０５】
なお、ＵＥ１０は、コアネットワーク７内でＥＰＳベアラの変更中であっても、ＥＰＳベアラを変更しているＰＤＮコネクションに気付くことなく、通信路の切り替えによるパケットロス等やディレイを少なくすることができ、シームレス性が向上する。
【０２０６】
[１．３．１  アタッチ手続き]
まず、図９を用いて、ＵＥ１０におけるアタッチ手続きを説明する。なお、ＵＥ１０はアタッチ手続きにより、ＡＰＮ５を利用して、ＰＤＮコネクションを確立することができる。ＵＥ１０は、ＰＤＮコネクションを用いてＰＤＮ９０に含まれる通信装置（Ｃｏｒｒｅｓｐｏｎｄｉｎｇ  Ｎｏｄｅ）とデータ送受信を行うことができる。なお、ＡＰＮ５はＳＩＰＴＯ用のＰＤＮコネクションが確立可能であり、且つ異なるゲートウェイを端点として複数の接続性をもつことを許可されたＡＰＮである。
【０２０７】
まず、ＵＥ１０はｅＮＢ２０にアタッチ要求を送信し、アタッチ要求手続きを開始する（Ｓ９０２）。ＵＥ１０は、アタッチ要求に、ＡＰＮを含めて送信する。また、ＵＥ１０は、ＵＥ１０に割り当てられるＩＰアドレスのバージョンを規定するために、アタッチ要求に、ＰＤＮタイプを含めて送信しても良い。なお、ＵＥ１０は、アタッチ手続きを開始するためのアタッチ要求メッセージにＡＰＮを含めてＭＭＥ３０に送信してもよいし、その他のアタッチ手続き内の制御メッセージに含めてＡＰＮをＭＭＥに送信してもよい。
【０２０８】
ＵＥ１０は、ＡＰＮ５を用いて第二のＰＤＮコネクションの確立を要求し、ＳＩＰＴＯ用のＰＤＮコネクションであり、且つ、異なるゲートウェイを端点として複数の接続性をもつＰＤＮコネクションを確立してもよい。
【０２０９】
次に、ｅＮＢ２０は、ＭＭＥ３０へＵＥ１０が送信したアタッチ要求を送信する（Ｓ９０４）。ここで、ｅＮＢ２０は、ＭＭＥ３０へ送信するアタッチ要求に、ＬＧＷ４０など、ｅＮＢ２０が管理する近隣ゲートウェイの識別情報を含めて良い。また、ｅＮＢ２０はＭＭＥ３０へ送信するアタッチ要求に、ＬＧＷ４０のネットワークを示すＬＨＮ  ＩＤを含めて良い。
【０２１０】
また、ｅＮＢ２０は、アタッチ要求を用いるのではなく、予めこうした情報をＭＭＥ３０へ通知しておいてもよい。
【０２１１】
例えば、ｅＮＢ２０はＭＭＥ３０へアタッチ要求とは別に、初期ＵＥメッセージや上りリンクＮＡＳトランスポートメッセージに含めて、ＬＨＮ  ＩＤを通知しても良い。また、ｅＮＢ２０はＭＭＥ３０へアタッチ要求とは別に、初期ＵＥメッセージや上りリンクＮＡＳトランスポートメッセージに含めて、ＬＧＷ４０のＬＧＷアドレスなど、近隣ゲートウェイを識別する情報を通知してもよい。
【０２１２】
ＭＭＥ３０はＵＥ１０またはｅＮＢ２０からアタッチ要求を受信する。ＭＭＥ３０はアタッチ要求を受信し、ＵＥ１０がＰＤＮコネクションを確立することを検知する。
【０２１３】
ここで、ＵＥ１０がＰＤＮコネクションを確立することを示す情報は、アタッチ要求および又はアタッチ手続き内の制御メッセージに含まれるＡＰＮであってよい。つまり、ＭＭＥ３０は、アタッチ要求および又はアタッチ手続き内の制御メッセージに含まれるＡＰＮをもとに行ってよい。また、ＭＭＥ３０は、ＵＥ１０の許可情報や能力情報をもとに、ＰＤＮコネクションを確立することを検出して良い。
【０２１４】
さらに、ＭＭＥ３０は、アタッチ要求および又はアタッチ手続き内の制御メッセージに含まれるＡＰＮにより、ＰＤＮコネクションを確立するためのＧＷ選択をしてもよい。ここで、ＧＷ選択とは、ＵＥ１０が確立するＰＤＮコネクションの端点となるゲートウェイ装置を選択することである。
【０２１５】
ＭＭＥ３０は、ＬＧＷ４０など、ｅＮＢ２０の近傍のゲートウェイ装置を選択する。なお、ＭＭＥ３０は、ＡＰＮ５が、ＳＩＰＴＯが許可されていることにより、ＰＧＷ６０ではなく、ＬＧＷ４０などのｅＮＢ２０の近傍のゲートウェイ装置を選択してもよい。さらに、ＭＭＥ３０は、ＡＰＮ５など、ＳＩＰＴＯ用のＰＤＮコネクションの確立を許可し、且つ異なるゲートウェイを端点として複数の接続性をもつことを許可されたＡＰＮを受信した場合には、コアネットワーク７に含まれるＰＧＷ６０などのゲートウェイと、アクセスネットワーク９に含まれるＬＧＷ４０などのゲートウェイなど、複数のゲートウェイを選択してよい。
【０２１６】
ここで、ＭＭＥ３０はＨＳＳ７０に問い合わせを行うことにより、ゲートウェイを選択してもよい。ＭＭＥ３０は、ＡＰＮと位置情報をＨＳＳ７０に送信し、ＰＧＷ６０やＬＧＷ４０などの識別情報を受け取ってよい。
【０２１７】
なお、ＭＭＥ３０は、ｅＮＢ２０の近隣のゲートウェイを選択し、ＰＤＮコネクションを確立してもよい。ＭＭＥ３０は、ｅＮＢ２０から通知されたＬＧＷ４０のＬＧＷアドレスにより、ｅＮＢ２０の近隣ゲートウェイを選択して良い。ＭＭＥ３０は、ｅＮＢ２０から通知されたＬＧＷ４０のＬＨＮ  ＩＤにより、ｅＮＢ２０の近隣ゲートウェイを選択して良い。
【０２１８】
ここで、ＭＭＥ３０は、ｅＮＢ２０の近隣ゲートウェイであるＬＧＷ４０と
コアネットワーク７内のゲートウェイとしてＰＧＷ６０を選択する。
【０２１９】
次に、ＭＭＥ３０は選択したゲートウェイとセッション生成手続きを行う。なお、ＭＭＥ３０は、単一のＰＤＮコネクションの確立に対して複数のゲートウェイを選択した場合には、選択したゲートウェイごとにそれぞれセッション生成手続きを実行してもよい。
【０２２０】
すなわち、ＭＭＥ３０は、複数のセッション生成手続きを実行してもよい。これにより、ＭＭＥ３０は、単一のＰＤＮコネクションに対してゲートウェイの異なるベアラを複数確立してもよい。
【０２２１】
具体的には、ＭＭＥ３０は、ＬＧＷ４０とセッション生成手続き（Ｓ９１０）と、ＰＧＷ６０とセッション生成手続きを行って良い（Ｓ９０６）。なお、各セッション手続きは、どちらを先に実行してもよい。さらに、ＭＭＥ３０は、一つ目のセッション手続きの完了を待って、二つ目のセッション手続きを開始してもよいし、一つ目のセッション確立手続きの完了を待つことなく二つ目のセッション手続きを開始してもよい。
【０２２２】
図１０（ａ）を利用して、ＭＭＥ３０とＰＧＷ６０とセッション生成手続きの例を説明する。このセッション手続きにより、ＳＧＷ５０とＰＧＷ６０は、ＰＤＮコネクションに対応づけるベアラをＳＧＷ５０とＰＧＷ６０との間に確立する。
【０２２３】
まず、ＭＭＥ３０は、ＳＧＷ４０へセッション生成要求を送信する（Ｓ１００２）。ここで、ＭＭＥ３０はセッション生成要求を送信するＳＧＷ４０をＳＧＷ選択機能により、あらかじめ選択しておいて良い。ＳＧＷ選択機能では、ＵＥの位置情報を利用して、ＳＧＷ５０を選択して良い。また、ＳＧＷ５０の選択するために、移動通信事業者が規定するオペレータポリシーを利用しても良い。
【０２２４】
また、ＭＭＥ３０は、セッション生成要求に、ＰＧＷアドレス、ＡＰＮ、ＰＤＮタイプ、ＥＰＳベアラＩＤを含めて良い。
【０２２５】
ここで、ＰＤＮ  ＧＷアドレスはＭＭＥ３０がＧＷ選択で選択したゲートウェイの識別情報であって良い。具体的には、ＬＧＷ４０を識別する識別情報やＰＧＷ６０を識別する識別情報が含まれてよい。ここでは、ＰＧＷ６０を識別する識別情報を含める。
【０２２６】
ＭＭＥ３０は、ＡＰＮとしてＡＰＮ５を含めることとして説明する。なお、ＡＰＮ５は、ＳＩＰＴＯのＰＤＮコネクションであって、且つ異なるゲートウェイを端点として複数の接続性をもつＰＤＮコネクションを確立することを示していてよい。
【０２２７】
ＰＤＮタイプは、ＭＭＥ３０がＵＥ１０のユーザとの契約情報などにより、決定されて良い。また、ＭＭＥ３０は、ＵＥ１０から送信されたアタッチ要求に含まれたＰＤＮタイプを認証することにより、ＰＤＮタイプを決定して良い。
【０２２８】
ＥＰＳベアラＩＤは、ＭＭＥ３０がＵＥ１０に割り当てるベアラ識別情報であってよい。なお、ＥＰＳベアラＩＤはデフォルトベアラを識別する識別情報であってよい。
【０２２９】
ＳＧＷ５０はＰＧＷ４０へセッション生成要求を送信する（Ｓ１００４）。ここで、ＳＧＷ５０は、セッション生成要求を送信するＰＧＷ６０を、ＭＭＥ３０からＳＧＷ５０に送信されたセッション生成要求に含まれるＰＤＮ  ＧＷアドレスの識別情報により決定して良い。また、ＳＧＷ５０は、セッション生成要求に、ＡＰＮ、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＰＤＮタイプ、ＥＰＳベアラＩＤを含めて良い。
【０２３０】
ＡＰＮ、ＰＤＮタイプ、ＥＰＳベアラＩＤは、それぞれＭＭＥ３０から送信されたセッション生成要求に含まれるＡＰＮ、ＰＤＮタイプ、ＰＤＮアドレス、ＥＰＳベアラＩＤを利用して良い。
【０２３１】
なお、ＰＤＮアドレスとは、ＵＥ１０に割り当てるＩＰアドレスであり、ＵＥ１０がユーザデータの送受信に使用するＩＰアドレスである。
【０２３２】
ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）は、ＳＧＷ５０において、あらかじめ管理されている情報であって良い。
【０２３３】
セッション生成要求を受信したＰＧＷ６０はＩＰアドレス割り当て処理を行って良い（Ｓ１００６）。ここで、ＰＧＷ６０は、第３のサーバ装置（ＤＨＣＰやステートレスアドレス設定など）により、ＩＰアドレスの割り当てを委託している場合、第３のサーバ装置から割り当てを示す情報を示してよい。
【０２３４】
また、ＰＧＷ６０はセッション確立手続きを行って良い。ここで、ＰＧＷ６０は、セッション確立手続きにおいて、デフォルトのＱｏＳで通信路を確立して良いし、デフォルトＱｏＳとは異なるＥＰＳベアラＱｏＳで通信路を確立しても良い。
【０２３５】
ＰＧＷ６０はＳＧＷ５０へセッション生成応答を送信する（Ｓ１００８）。ＬＧＷ４０は、セッション生成応答に、ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）、ＰＤＮタイプ、ＰＤＮアドレス、ＥＰＳベアラＩＤ、ＥＰＳベアラＱｏＳを含めて良い。
【０２３６】
ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）は、ＰＧＷ６０があらかじめ管理している情報であってよい。
【０２３７】
ＰＤＮタイプはＳＧＷ５０から送信されたセッション生成要求（Ｓ１００４）に含まれるＰＤＮタイプであってよい。
【０２３８】
ＰＤＮアドレスは、ＰＧＷ６０がＵＥ１０に割り当てたＩＰアドレスであって良い。ここで、第３のサーバ装置により、ＩＰアドレスの割り当てを委託する場合、第３のサーバ装置から割り当てを示す情報を含めて良い。
【０２３９】
ＥＰＳベアラＩＤ、ＥＰＳベアラＱｏＳは、デフォルトベアラとは異なるＱｏＳが確立される場合に関する情報要素であって良い。
【０２４０】
さらに、ＳＧＷ５０はＭＭＥ３０へセッション生成応答を送信する（Ｓ１０１０）。ここで、ＳＧＷ５０は、セッション生成応答に、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを含めて良い。
【０２４１】
ここで、ＰＤＮタイプ、ＰＤＮアドレス、ＥＰＳベアラＩＤ、ＥＰＳベアラＱｏＳ、ＰＧＷアドレス（Ｕ−ｐｌａｎｅ）、ＰＧＷ  ＴＥＩＤは、ＰＧＷ６０から送信されたセッション生成応答（Ｓ１００８）に含まれる情報要素であってよい。
【０２４２】
ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）は、ＳＧＷ５０で管理される情報要素であって良い。
【０２４３】
ＭＭＥ３０は、セッション生成応答を受信する。ＭＭＥ３０はセッション生成応答に含まれる、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを、ＡＰＮ、ＳＩＰＴＯの許可情報、ＬＨＮ  ＩＤとともに管理して良い。
【０２４４】
ＭＭＥ３０は図７で示すＭＭＥ通信路コンテキスト３４２におけるＵＥの移動前の有効なＰＤＮコネクション毎に管理される情報要素と、ＰＤＮコネクション内で第二のＥＰＳベアラで管理される情報要素を管理することができる。
【０２４５】
次に、図１０（ｂ）を利用して、ＭＭＥ３０とＬＧＷ４０とセッション生成手続き（Ｓ９１０）の例を説明する。このセッション手続きにより、ＳＧＷ５０とＬＧＷ４０は、ＰＤＮコネクションに対応づけるベアラをＳＧＷ５０とＬＧＷ４０の間に確立する。
【０２４６】
まず、ＭＭＥ３０はＳＧＷ５０へセッション生成要求を送信する（Ｓ１０２０）。ここで、ＭＭＥ３０はセッション生成要求を送信するＳＧＷ５０をＳＧＷ選択機能により、あらかじめ選択しておいて良い。ＳＧＷ選択機能では、ＵＥの位置情報を利用して、ＳＧＷ５０を選択して良い。また、ＳＧＷ５０の選択するために、移動通信事業者が規定するオペレータポリシーを利用しても良い。
【０２４７】
また、ＭＭＥ３０は、セッション生成要求に、ＰＤＮ  ＧＷアドレス、ＡＰＮ、ＰＤＮタイプ、ＥＰＳベアラＩＤを含めて良い。
【０２４８】
ここで、ＰＤＮ  ＧＷアドレスはＭＭＥ３０がＧＷ選択で選択したゲートウェイの識別情報であって良い。具体的には、ＬＧＷ４０を識別する識別情報やＰＧＷ６０を識別する識別情報が含まれてよい。ここでは、ＬＧＷ４０を識別する識別情報を含める。
【０２４９】
ＭＭＥ３０は、ＡＰＮとしてＡＰＮ５を含めることとして説明する。なお、ＡＰＮ５は、ＳＩＰＴＯのＰＤＮコネクションであって、且つ異なるゲートウェイを端点として複数の接続性をもつＰＤＮコネクションを確立することを示していてよい。
【０２５０】
ＰＤＮタイプは、ＭＭＥ３０がＵＥ１０のユーザとの契約情報などにより、決定されて良い。また、ＭＭＥ３０は、ＵＥ１０から送信されたアタッチ要求に含まれたＰＤＮタイプを認証することにより、ＰＤＮタイプを決定して良い。
【０２５１】
ＥＰＳベアラＩＤは、ＭＭＥ３０がＵＥ１０に割り当てるベアラ識別情報であってよい。なお、ＥＰＳベアラＩＤはデフォルトベアラを識別する識別情報であってよい。
【０２５２】
また、ＭＭＥ３０は、ＬＧＷ４０にＩＰアドレスを割り当てるかどうかを示すインディケータを含めて良い。なお、ＩＰアドレスを割り当てるかどうかを示すインディケータは、ＰＧＷ６０が割り当てたＩＰアドレスであってよい。また、ＩＰアドレスを割り当てるかどうかを示すインディケータは、ＡＰＮであってよい。
【０２５３】
ＳＧＷ５０はＬＧＷ４０へセッション生成要求を送信する（Ｓ１０２２）。ここで、ＳＧＷ５０は、セッション生成要求を送信するＬＧＷ４０を、ＭＭＥ３０からＳＧＷ５０に送信されたセッション生成要求に含まれるＰＤＮ  ＧＷアドレスの識別情報により決定して良い。また、ＳＧＷ５０は、セッション生成要求に、ＡＰＮ、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＰＤＮタイプ、ＥＰＳベアラＩＤを含めて良い。
【０２５４】
ＡＰＮ、ＰＤＮタイプ、ＥＰＳベアラＩＤは、それぞれＭＭＥ３０から送信されたセッション生成要求に含まれるＡＰＮ、ＰＤＮタイプ、ＰＤＮアドレス、ＥＰＳベアラＩＤを利用して良い。
【０２５５】
ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）は、ＳＧＷ５０において、あらかじめ管理されている情報であって良い。
【０２５６】
セッション生成要求を受信したＬＧＷ４０はＩＰアドレス割り当て処理を行って良い（Ｓ１０２４）。ここで、ＬＧＷ４０はセッション生成要求に含まれるＡＰＮによって、ＩＰアドレスを割り当てないことを決定して良い。また、ＭＭＥ３０が送信したセッション生成要求に含まれる、インディケータにより、ＩＰアドレスを割り当てないことを決定して良い。
【０２５７】
また、ＬＧＷ４０は、ＭＭＥ３０が送信したセッション生成要求に含まれる、インディケータにより、ＩＰアドレスを割り当てることを決定して良い。
【０２５８】
ここで、ＬＧＷ４０は、ＩＰアドレスを割り当てる場合、第３のサーバ装置（ＤＨＣＰやステートレスアドレス設定など）により、ＩＰアドレスの割り当てを委託している場合、第３のサーバ装置から割り当てを示す情報を示してよい。
【０２５９】
また、ＬＧＷ４０はセッション確立手続きを行って良い。ここで、ＬＧＷ４０は、セッション確立手続きにおいて、デフォルトのＱｏＳで通信路を確立しても良いし、デフォルトＱｏＳとは異なるＥＰＳベアラＱｏＳで通信路を確立しても良い。
【０２６０】
ＬＧＷ４０はＳＧＷ５０へセッション生成応答を送信する（Ｓ１０２６）。ＬＧＷ４０は、セッション生成応答に、ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）、ＰＤＮタイプ、ＰＤＮアドレス、ＥＰＳベアラＩＤ、ＥＰＳベアラＱｏＳを含めて良い。
【０２６１】
ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）は、ＬＧＷ４０があらかじめ管理している情報であってよい。ここで、ＰＧＷアドレス（Ｕ−ｐｌａｎｅ）は、ＬＧＷ４０を識別する識別情報であって良い。また、ＰＧＷ  ＴＥＩＤ（Ｕ−ｐｌａｎｅ）、ＰＧＷ  ＴＥＩＤ（Ｃ−ｐｌａｎｅ）は、それぞれＣｏｒｒｅｌａｔｉｏｎ  ＩＤであってよい。Ｃｏｒｒｅｌａｔｉｏｎ  ＩＤは、ＬＧＷ４０におけるトンネル通信路の識別情報である。なお、Ｃｏｒｒｅｌａｔｉｏｎ  ＩＤはＳＩＰＴＯを提供することを明示した、ＳＩＰＴＯ  Ｃｏｒｒｅｌａｔｉｏｎ  ＩＤであっても良い。
【０２６２】
ＰＤＮタイプはＳＧＷ５０から送信されたセッション生成要求（Ｓ１０２２）に含まれるＰＤＮタイプであってよい。
【０２６３】
ＰＤＮアドレスは、ＬＧＷ４０がＵＥ１０に割り当てたＩＰアドレスであって良い。ここで、第３のサーバ装置により、ＩＰアドレスの割り当てを委託する場合、第３のサーバ装置から割り当てを示す情報を含めて良い。
【０２６４】
ＥＰＳベアラＩＤ、ＥＰＳベアラＱｏＳは、デフォルトベアラとは異なるＱｏＳが確立される場合に関する情報要素であって良い。
【０２６５】
さらに、ＳＧＷ５０はＭＭＥ３０へセッション生成応答を送信する（Ｓ１０２８）。ここで、ＳＧＷ５０は、セッション生成応答に、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを含めて良い。
【０２６６】
ここで、ＰＤＮタイプ、ＰＤＮアドレス、ＥＰＳベアラＩＤ、ＥＰＳベアラＱｏＳ、ＰＧＷアドレス（Ｕ−ｐｌａｎｅ）、ＰＧＷ  ＴＥＩＤは、ＬＧＷ４０から送信されたセッション生成応答（Ｓ１０２６）に含まれる情報要素であってよい。
【０２６７】
ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）は、ＳＧＷ５０で管理される情報要素であって良い。
【０２６８】
ＭＭＥ３０は、セッション生成応答を受信する。ＭＭＥ３０はセッション生成応答に含まれる、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを、ＡＰＮ、ＳＩＰＴＯの許可情報、ＬＨＮ  ＩＤとともに管理して良い。
【０２６９】
ＭＭＥ３０は図７で示すＭＭＥ通信路コンテキスト３４２におけるＵＥの移動前の有効なＰＤＮコネクション毎に管理される情報要素と、ＰＤＮコネクション内で第一のＥＰＳベアラ毎に管理される情報要素を管理することができる。
【０２７０】
なお、ＬＧＷ４０に対して確立するベアラは、ＳＧＷ５０とＬＧＷ４０との間のベアラでなくてもよい。例えば、ＬＧＷ４０に対して確立するベアラは、ｅＮＢ２０とＬＧＷ４０とが直接確立するベアラであってよい。
【０２７１】
こうした場合、ＭＭＥ３０が実行するセッション生成手続きは、図１０（ｂ）を用いて説明した手続きとは異なる手続きであってもよい。
【０２７２】
図１０（ｃ）を利用して、この場合のセッション生成手続き（Ｓ９１０）の例を説明する。図１０（ｂ）では、セッション生成要求をＳＧＷ５０経由でＬＧＷ４０へ送信していたが、ＭＭＥ３０は、ＬＧＷ４０へセッション生成要求を直接送信して良い。また、ＬＧＷ４０にＳＧＷ５０が同じ装置で構成されてよい。
【０２７３】
まず、ＭＭＥ３０はＬＧＷ４０へセッション生成要求を送信する（Ｓ１０３０）。ここで、ＭＭＥ３０は、セッション生成要求に、ＰＤＮ  ＧＷアドレス、ＡＰＮ、ＰＤＮタイプ、ＥＰＳベアラＩＤを含めて良い。
【０２７４】
ここで、ＰＤＮ  ＧＷアドレスはＭＭＥ３０がＧＷ選択で選択したゲートウェイの識別情報であって良い。具体的には、ＬＧＷ４０を識別する識別情報やＰＧＷ６０を識別する識別情報が含まれてよい。ここでは、ＬＧＷ４０を識別する識別情報を含める。
【０２７５】
ＭＭＥ３０は、ＡＰＮとしてＡＰＮ５を含めることとして説明する。なお、ＡＰＮ５は、ＳＩＰＴＯのＰＤＮコネクションであって、且つ異なるゲートウェイを端点として複数の接続性をもつＰＤＮコネクションを確立することを示していてよい。
【０２７６】
ＰＤＮタイプは、ＭＭＥ３０がＵＥ１０のユーザとの契約情報などにより、決定されて良い。また、ＭＭＥ３０は、ＵＥ１０から送信されたアタッチ要求に含まれたＰＤＮタイプを認証することにより、ＰＤＮタイプを決定して良い。
【０２７７】
ＥＰＳベアラＩＤは、ＭＭＥ３０がＵＥ１０に割り当てるベアラ識別情報であってよい。なお、ＥＰＳベアラＩＤはデフォルトベアラを識別する識別情報であってよい。
【０２７８】
また、ＭＭＥ３０は、ＬＧＷ４０にＩＰアドレスを割り当てるかどうかを示すインディケータを含めて良い。なお、ＩＰアドレスを割り当てるかどうかを示すインディケータは、ＰＧＷ６０が割り当てたＩＰアドレスであってよい。また、ＩＰアドレスを割り当てるかどうかを示すインディケータは、ＡＰＮであってよい。
【０２７９】
ここで、ＭＭＥ３０はＬＧＷ４０と同じ装置で構成されるＳＧＷ５０をＳＧＷ選択機能により、選択しておいて良い。ＳＧＷ選択機能では、ＵＥの位置情報を利用して、ＳＧＷ５０を選択して良い。また、ＳＧＷ５０の選択するために、移動通信事業者が規定するオペレータポリシーを利用しても良い。
【０２８０】
セッション生成要求を受信したＬＧＷ４０はＩＰアドレス割り当て処理を行って良い（Ｓ１０２４）。ここで、ＬＧＷ４０はセッション生成要求に含まれるＡＰＮによって、ＩＰアドレスを割り当てないことを決定して良い。また、ＭＭＥ３０が送信したセッション生成要求に含まれる、インディケータにより、ＩＰアドレスを割り当てないことを決定して良い。
【０２８１】
また、ＬＧＷ４０は、ＭＭＥ３０が送信したセッション生成要求に含まれる、インディケータにより、ＩＰアドレスを割り当てることを決定して良い。
【０２８２】
ここで、ＬＧＷ４０は、ＩＰアドレスを割り当てる場合、第３のサーバ装置（ＤＨＣＰやステートレスアドレス設定など）により、ＩＰアドレスの割り当てを委託している場合、第３のサーバ装置から割り当てを示す情報を示してよい。
【０２８３】
また、ＬＧＷ４０はセッション確立手続きを行って良い。ここで、ＬＧＷ４０は、セッション確立手続きにおいて、デフォルトのＱｏＳで通信路を確立しても良いし、デフォルトＱｏＳとは異なるＥＰＳベアラＱｏＳで通信路を確立しても良い。
【０２８４】
ＬＧＷ４０はＭＭＥ３０へセッション生成応答を送信する（Ｓ１０３２）。ＬＧＷ４０は、セッション生成応答に、ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）、ＰＤＮタイプ、ＰＤＮアドレス、ＥＰＳベアラＩＤ、ＥＰＳベアラＱｏＳを含めて良い。
【０２８５】
ＰＧＷアドレス（Ｕ−ｐｌａｎｅ）、ＰＧＷ  ＴＥＩＤ（Ｕ−ｐｌａｎｅ）、ＰＧＷ  ＴＥＩＤ（Ｃ−ｐｌａｎｅ）は、ＬＧＷ４０があらかじめ管理している情報であってよい。ここで、ＰＧＷアドレス（Ｕ−ｐｌａｎｅ）は、ＬＧＷ４０を識別する識別情報であって良い。また、ＰＧＷ  ＴＥＩＤ（Ｕ−ｐｌａｎｅ）、ＰＧＷ  ＴＥＩＤ（Ｃ−ｐｌａｎｅ）は、それぞれＣｏｒｒｅｌａｔｉｏｎ  ＩＤであってよい。Ｃｏｒｒｅｌａｔｉｏｎ  ＩＤは、ＬＧＷ４０におけるトンネル通信路の識別情報である。なお、Ｃｏｒｒｅｌａｔｉｏｎ  ＩＤはＳＩＰＴＯを提供することを明示した、ＳＩＰＴＯ  Ｃｏｒｒｅｌａｔｉｏｎ  ＩＤであっても良い。
【０２８６】
ＰＤＮタイプはＳＧＷ５０から送信されたセッション生成要求（Ｓ１０２２）に含まれるＰＤＮタイプであってよい。
【０２８７】
ＰＤＮアドレスは、ＬＧＷ４０がＵＥ１０に割り当てたＩＰアドレスであって良い。ここで、第３のサーバ装置により、ＩＰアドレスの割り当てを委託する場合、第３のサーバ装置から割り当てを示す情報を含めて良い。
【０２８８】
ＥＰＳベアラＩＤ、ＥＰＳベアラＱｏＳは、デフォルトベアラとは異なるＱｏＳが確立される場合に関する情報要素であって良い。
【０２８９】
さらに、ＳＧＷ５０はＭＭＥ３０へセッション生成応答を送信する（Ｓ１０２８）。ここで、ＳＧＷ５０は、セッション生成応答に、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを含めて良い。
【０２９０】
ここで、ＰＤＮタイプ、ＰＤＮアドレス、ＥＰＳベアラＩＤ、ＥＰＳベアラＱｏＳ、ＰＧＷアドレス（Ｕ−ｐｌａｎｅ）、ＰＧＷ  ＴＥＩＤは、ＬＧＷ４０から送信されたセッション生成応答（Ｓ１０２６）に含まれる情報要素であってよい。
【０２９１】
ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）は、ＬＧＷ４０で管理される情報要素であって良い。
【０２９２】
ＭＭＥ３０は、セッション生成応答を受信する。ＭＭＥ３０はセッション生成応答に含まれる、ＰＤＮタイプ、ＰＤＮアドレス、ＳＧＷアドレス（Ｕ−ｐｌａｎｅ）、ＳＧＷ  ＴＥＩＤ（Ｕ−ｐｌａｎｅ）、ＳＧＷ  ＴＥＩＤ（Ｃ−ｐｌａｎｅ）、ＥＰＳベアラＩＤ、ＥＰＳベアラＱｏＳ、ＰＧＷアドレス（Ｕ−ｐｌａｎｅ）、ＰＧＷ  ＴＥＩＤを、ＡＰＮ、ＳＩＰＴＯの許可情報、ＬＨＮ  ＩＤとともに管理して良い。
【０２９３】
ＭＭＥ３０は図７で示すＭＭＥ通信路コンテキスト３４２におけるＵＥの移動前の有効なＰＤＮコネクション毎に管理される情報要素と、ＰＤＮコネクション内で第一のＥＰＳベアラ毎に管理される情報要素を管理することができる。
【０２９４】
以上により、ＭＭＥ３０は、ＰＤＮコネクションに関する情報と第一のＥＰＳベアラ毎に管理される情報要素、第二のＥＰＳベアラ毎に管理される情報要素を管理することができる。
【０２９５】
なお、各セッション手続きは、ＵＥ１０に対して異なるＩＰアドレスを割り当ててもよい。このように、ＭＭＥ３０及び／又は各ゲートウェイは、単一のＰＤＮコネクションに対して複数のＩＰアドレスを割り当ててもよい。
【０２９６】
もしくは、各セッション手続きは、ＵＥ１０に対して同じＩＰアドレスを割り当ててもよい。このように、ＭＭＥ３０及び／又は各ゲートウェイは、単一のＰＤＮコネクションに対して単一のＩＰアドレスを割り当ててもよい。
【０２９７】
各セッション手続きがＵＥ１０に対して同じＩＰアドレスを割り当てる方法は、以下のような方法であってよい。
【０２９８】
例えばＤＨＣＰサーバなどの第３のサーバ装置から同じＩＰアドレスを取得するよう設定し、ゲートウェイ装置は同じＩＰアドレスを取得してもよい。
【０２９９】
もしくは、ＭＭＥ３０は一つ目のセッション手続きを完了した後に二つ目のセッション手続きを開始する際に、一つ目のセッション手続きで取得したＩＰアドレスを含めてセッション生成要求を送信し、同じＩＰアドレスを割り当てるよう要求してもよい。さらに、二つ目のセッション手続きでセッション生成要求を受信するゲートウェイは、ＭＭＥ３０が送信するＩＰアドレスを割り当ててもよい。
【０３００】
以上の手続きにより、ＳＧＷ５０は、ＰＤＮコネクションに対してＰＧＷ６０への通信路と、ＬＧＷ４０との通信路を確立してもよい。
【０３０１】
これらはＳＧＷ５０が選択可能な通信路であり、例えば、ＵＥ１０が送信するデータをｅＮＢ２０から受信して転送する際に、選択することができる通信路である。ＳＧＷ５０の通信路選択手段は、ＳＧＷの設定情報に基づいて実行してもよい。さらに、設定情報は、ＭＭＥ３０から取得した情報であってよい。より具体的には、ＭＭＥ３０がオフロード用の通信路を選択することを示す情報をＳＧＷ５０に送信してもよい。ＭＭＥ３０は、セッション生成メッセージに含めて送信するなど、ＰＤＮコネクションを確立する際に通知してもよい。
【０３０２】
もしくは、ＰＤＮコネクションを確立後、任意のタイミングで通知してもよい。
【０３０３】
より具体的には、ＭＭＥ３０がオフロード用の通信路を選択することを示す情報は、Ｃｏｒｒｅｌａｔｉｏｎ  ＩＤであってもよい。
【０３０４】
例えば、ＳＧＷ５０は、ＭＭＥ３０からＣｏｒｒｅｌａｔｉｏｎ  ＩＤを取得した場合には、ＬＧＷ４０への通信路を選択し、Ｃｏｒｒｅｌａｔｉｏｎ  ＩＤを受信していない場合には、ＰＧＷ６０への通信路を選択してもよい。
【０３０５】
もしくは、ＳＩＰＴＯ用のＣｏｒｒｅｌａｔｉｏｎ  ＩＤであってもよいし、ＳＩＰＴＯ用のＣｏｒｒｅｒａｔｉｏｎ  ＩＤとは異なる特別なＣＳＩＰＴＯ用のＣｏｒｒｅｌａｔｉｏｎ  ＩＤなどであってもよい。
【０３０６】
もしくは、オフロード通信路を選択することを示すその他の識別情報であってもよい。
【０３０７】
なお、これらの通信路はＬＧＷ４０やＰＧＷ６０などの各装置へ接続するベアラであってよい。
【０３０８】
以上の手続きにより、セッション生成手続きを完了する。
【０３０９】
図９に戻って、アタッチ手続きの続きを説明する。ＭＭＥ３０は、ｅＮＢ２０Ａへ初期コンテキスト設定要求/アタッチ受託を送信する（Ｓ９１４）。
【０３１０】
なお、ＭＭＥ３０は初期コンテキスト設定要求またはアタッチ受託に、新しく確立するＰＤＮコネクションにおける第一のＥＰＳベアラに関する情報と第二のＥＰＳベアラに関する情報を含めて通知する。
【０３１１】
アタッチ受託には、ＡＰＮ、ＰＤＮタイプ、ＰＤＮアドレス、ＥＰＳベアラＩＤ、ＥＰＳベアラＱｏＳが含まれてよい。ここで、ＰＤＮアドレスは第一のＥＰＳベアラと第二のＥＰＳベアラそれぞれに割り当てられたＩＰアドレスを含めてよい。
【０３１２】
また、初期コンテキスト設定要求には、ＥＰＳベアラＱｏＳ、ＥＰＳベアラＩＤ、ＳＧＷ  ＴＥＩＤ（Ｕ−ｐｌａｎｅ）、ＳＧＷアドレス（Ｕ−ｐｌａｎｅ）が含まれてよい。また、ＬＧＷを端点とするＰＤＮコネクション（ＳＩＰＴＯ＠ＬＮにおけるＰＤＮコネクション）が確立される場合、初期コンテキスト要求には、ＳＩＰＴＯ  Ｃｏｒｒｅｌａｔｉｏｎ  ＩＤが含まれてよい。
【０３１３】
ここで、初期コンテキスト設定要求に含まれるＥＰＳベアラＱｏＳ、ＥＰＳベアラＩＤ、ＳＧＷ  ＴＥＩＤ（Ｕ−ｐｌａｎｅ）、ＳＧＷアドレス（Ｕ−ｐｌａｎｅ）は、ＥＰＳベアラ毎に含めて良い。つまり、初期コンテキスト設定要求に、第一のＥＰＳベアラにおける、ＥＰＳベアラＱｏＳ、ＥＰＳベアラＩＤ、ＳＧＷ  ＴＥＩＤ（Ｕ−ｐｌａｎｅ）、ＳＧＷアドレス（Ｕ−ｐｌａｎｅ）と、第二のＥＰＳベアラにおける、ＥＰＳベアラＱｏＳ、ＥＰＳベアラＩＤ、ＳＧＷ  ＴＥＩＤ（Ｕ−ｐｌａｎｅ）、ＳＧＷアドレス（Ｕ−ｐｌａｎｅ）が含まれてよい。
【０３１４】
ｅＮＢ２０は初期コンテキスト設定要求/アタッチ受託を受信する。ｅＮＢ２０は初期コンテキスト設定要求に含まれる、ＥＰＳベアラＩＤ、ＥＰＳベアラＱｏＳに基づいて、ＵＥ１０との無線ベアラを確立することを決定する。ここで、ｅＮＢ２０は、ＥＰＳベアラＩＤ、ＥＰＳベアラＱｏＳに基づいて、Ｅ−ＲＡＢ  ＩＤを決定して良い。
【０３１５】
なお、ｅＮＢ２０は、近隣ゲートウェイとして、ＬＧＷ４０を管理している場合、ＬＧＷ４０と関連付けられる情報要素に基づいて、無線ベアラを確立して良い。ここでは、Ｃｏｒｒｅｌａｔｉｏｎ  ＩＤが含まれる、ＥＰＳベアラＩＤ、ＥＰＳベアラＱｏＳに基づいて、ＵＥ１０との無線ベアラを確立して良い。
【０３１６】
また、ｅＮＢ２０はベアラ変更要求に含まれる、ＳＧＷ  ＴＥＩＤ（Ｕ−ｐｌａｎｅ）、ＳＧＷアドレス（Ｕ−ｐｌａｎｅ）、ＳＩＰＴＯ  Ｃｏｒｒｅｌａｔｉｏｎ  ＩＤを管理して良い。
【０３１７】
以上により、ｅＮＢ２０は、図５で示す、ｅＮＢ通信路コンテキスト２４２におけるＰＤＮコネクション毎に管理される情報要素として、ＭＭＥ  ＵＥ  Ｓ１  ＡＰ  ＩＤ、ＧＵＭＭＥＩ、グローバルｅＮＢＩＤ、トラッキングエリアＩＤ、Ｅ−ＲＡＢ  ＩＤ、ＵＥ  ＩＤを管理することができる。また、ｅＮＢ２０は、ＰＤＮコネクション内でＥＰＳベアラ毎に管理される情報要素として、ＥＰＳベアラＩＤ、ＥＰＳベアラＱｏＳ、トランスポートアドレスを管理することができる。
【０３１８】
これにより、ｅＮＢ２０は、ＳＧＷ５０に対する通信路と、ＬＧＷ４０に対する通信路を確立してもよい。なお、ＬＧＷ４０に対する通信路は、Ｃｏｒｒｅｌａｔｉｏｎ  ＩＤをＭＭＥ３０から受信することに基づいて確立してもよい。
【０３１９】
これらはｅＮＢ２０が選択可能な通信路であり、例えば、ＵＥ１０が送信するデータを受信して転送する際に、選択することができる通信路である。ｅＮＢ２０の通信路選択手段は、ｅＮＢの設定情報に基づいて実行してもよい。さらに、設定情報は、ＭＭＥ３０から取得した情報であってよい。より具体的には、ＭＭＥ３０がオフロード用の通信路を選択することを示す情報をｅＮＢ２０に送信してもよい。ＭＭＥ３０は、セッション生成応答メッセージに含めて送信するなど、ＰＤＮコネクションを確立する際に通知してもよい。
【０３２０】
もしくは、ＰＤＮコネクションを確立後、任意のタイミングで通知してもよい。
【０３２１】
より具体的には、ＭＭＥ３０がオフロード用の通信路を選択することを示す情報は、Ｃｏｒｒｅｌａｔｉｏｎ  ＩＤであってもよい。
【０３２２】
例えば、ｅＮＢ２０は、ＭＭＥ３０からＣｏｒｒｅｌａｔｉｏｎ  ＩＤを取得した場合には、ＬＧＷ４０への通信路を選択し、Ｃｏｒｒｅｌａｔｉｏｎ  ＩＤを受信していない場合には、ＰＧＷ６０に接続されるＳＧＷ５０への通信路を選択してもよい。
【０３２３】
もしくは、ＳＩＰＴＯ用のＣｏｒｒｅｌａｔｉｏｎ  ＩＤであってもよいし、ＳＩＰＴＯ用のＣｏｒｒｅｒａｔｉｏｎ  ＩＤとは異なる特別なＣＳＩＰＴＯ用のＣｏｒｒｅｌａｔｉｏｎ  ＩＤなどであってもよい。
【０３２４】
もしくは、オフロード通信路を選択することを示すその他の識別情報であってもよい。
【０３２５】
なお、これらの通信路はＬＧＷ４０やＳＧＷ５０などの各装置へ接続するベアラであってよい。  次に、ｅＮＢ２０は、ＵＥ１０へＲＲＣ接続再設定を送信する（Ｓ９１６）。なお、ｅＮＢ２０はＵＥ１０へＲＲＣ接続再設定通知に、アタッチ受託を含める。ここで、ｅＮＢ２０はＵＥ１０へＲＲＣ接続再設定通知とは別にアタッチ受託を含めて良い。つまり、ｅＮＢ２０はアタッチ受託を転送することにより、新しく確立したＰＤＮコネクションに関する情報を通知する。
【０３２６】
ＵＥ１０はｅＮＢ２０からＲＲＣ接続再設定とアタッチ受託を受信する。ここで、ＵＥ１０はｅＮＢ２０からアタッチ受託に含まれる新しく確立したＰＤＮコネクションに関する情報を検知し、ＵＥ１０において管理する。
【０３２７】
なお、ＰＤＮコネクションに関する情報は、ＡＰＮ、ＰＤＮタイプ、ＰＤＮアドレス、ＥＰＳベアラＩＤ、ＥＰＳベアラＱｏＳであって良い。  次に、ＵＥ１０はＩＰアドレスの取得処理を行う（Ｓ９１７）。ここで、ＵＥ１０は、アタッチ受託に含まれるＰＤＮアドレスをＩＰアドレスとして取得して良い。なお、アタッチ受託メッセージに複数のＰＤＮアドレスが含まれる場合には、ＰＤＮコネクションに対して複数のＩＰアドレスを記憶してもよい。
【０３２８】
また、ＵＥ１０は、アタッチ受託に含まれるＰＤＮアドレスにＤＨＣＰによるＩＰアドレスを取得することを示す情報が含まれている場合には、ＤＨＣＰサーバから、ＩＰアドレスを取得して良い。ここで、ＤＨＣＰサーバは、コアネットワーク７とは異なる外部サーバであっても良いし、ＬＧＷ４０であっても良い。
【０３２９】
なお、ＵＥ１０は、ＤＨＣＰサーバからＰＤＮコネクションに対して複数のＩＰアドレスを取得し、記憶してもよい。
【０３３０】
また、ＵＥ１０は、アタッチ受託に含まれるＰＤＮアドレスにステートレスアドレス自動設定によりＩＰアドレスを取得することを示す情報が含まれている場合には、ＵＥ１０は、ルータ装置から、ルータ広告（ＲＡ）を受信して、ルータ広告に基づいてＩＰアドレスを取得しても良い。ここで、ルータ装置はコアネットワーク７とは異なる外部サーバであっても良いし、ＬＧＷ４０であっても良い。
【０３３１】
なお、ＵＥ１０は、ルータ装置からＰＤＮコネクションに対して複数のＩＰアドレスを取得し、管理してもよい。
【０３３２】
ＵＥ１０が単一のＰＤＮコネクションに対して複数のＩＰアドレスを記憶する場合、ＵＥ１０はユーザデータを送信する際にこれらのＩＰアドレスを選択して使用してもよい。
【０３３３】
ＩＰアドレスの選択手段は、ＵＥ１０の設定情報に基づいて実行してもよい。さらに、設定情報は、ＭＭＥ３０もしくはｅＮＢ２０から取得した情報であってよい。より具体的には、ＭＭＥ３０またはｅＮＢ２０がオフロード用の通信路を選択することを示す情報をＵＥ１０に送信してもよい。ＭＭＥ３０は、アタッチ受託メッセージに含めて送信するなど、ＰＤＮコネクションを確立する際に通知してもよい。
【０３３４】
もしくは、ＰＤＮコネクションを確立後、任意のタイミングで通知してもよい。
【０３３５】
より具体的には、ＭＭＥ３０がオフロード用の通信路を選択することを示す情報は、ＩＰアドレスごとに設定した優先度情報であってもよい。
【０３３６】
もしくは、ＳＩＰＴＯ用のＣｏｒｒｅｌａｔｉｏｎ  ＩＤであってもよいし、ＳＩＰＴＯ用のＣｏｒｒｅｒａｔｉｏｎ  ＩＤとは異なる特別なＣＳＩＰＴＯ用のＣｏｒｒｅｌａｔｉｏｎ  ＩＤなどであってもよい。
【０３３７】
もしくは、オフロード通信路を選択することを示すその他の識別情報であってもよい。
【０３３８】
ＵＥ１０はこうした情報に基づいてユーザデータの送信に用いるＩＰアドレスを選択してもよい。ＵＥ１０は、上記の方法により、ＩＰアドレスを取得し、ＵＥ１０においてＰＤＮコネクションとして管理する。ＵＥ１０は、図３（ａ）移動前で示す、ＵＥ通信路コンテキスト１４２において、ＰＤＮコネクションに関する情報を管理することができ、ＰＤＮコネクションにおいて上りリンクデータを送信することができる。
【０３３９】
また、ＵＥ１０は、ＲＲＣ接続再設定完了を送信する（Ｓ９１８）。ｅＮＢ２０は、ＲＲＣ接続再設定（Ｓ９１６）に対する応答としてＲＲＣ接続再設定完了を受信し、初期コンテキスト設定応答をＭＭＥ３０へ送信する（Ｓ９２０）。
【０３４０】
また、ＵＥ１０はｅＮＢ２０へ直接転送を送信する（Ｓ９２２）。ここで、直接転送には、アタッチ完了を含めて良い。アタッチ完了には、ＥＰＳベアラＩＤを含めて良い。
【０３４１】
ｅＮＢ２０はＵＥ１０から直接転送を受信し、直接転送に含まれるアタッチ完了をＭＭＥ３０へ転送する（Ｓ９２４）。初期コンテキスト設定応答と、アタッチ完了を受信したＭＭＥ３０は、ＳＧＷ５０へベアラ変更要求を送信する（Ｓ９２６）。ＳＧＷ５０は、ＭＭＥ３０からベアラ変更要求を受信し、ＭＭＥ３０へベアラ変更応答を送信する（Ｓ９２８）。
【０３４２】
以上の手続きにより、ＵＥ１０とＰＧＷ６０およびＬＧＷ４０間におけるＰＤＮコネクションを確立することができる。つまり、ＵＥ１０は、ＰＤＮコネクションに関する情報として、図３で示すＵＥ通信路コンテキスト１４２において、ＡＰＮ、割り当てられるＰＤＮタイプ、ＩＰアドレス、デフォルトベアラ、ＥＰＳベアラＩＤ、ＥＰＳベアラＱｏＳを管理することができる。
【０３４３】
また、ｅＮＢ２０は、ＰＤＮコネクションに関する情報として、図５で示すｅＮＢ通信路コンテキスト２４２においてＭＭＥ  ＵＥ  Ｓ１  ＡＰ  ＩＤ、ＧＵＭＭＥＩ、グローバルｅＮＢ  ＩＤ、トラッキングエリアＩＤ、Ｅ−ＲＡＢ  ＩＤ、ＵＥ  ＩＤを管理することができる。また、ＰＤＮコネクション内でＥＰＳベアラに管理される情報要素として、ＥＰＳベアラＩＤ、ＥＳＰベアラＱｏＳ、トランスポートアドレスを管理することができる。なお、トランスポートアドレスは、ＳＧＷのＩＰアドレスやＳＧＷのＴＥＩＤ、ＬＧＷのＩＰアドレスやＣｏｒｒｅｌａｔｉｏｎ  ＩＤであってよい。
【０３４４】
さらに、ＭＭＥ３０は、ＰＤＮコネクションに関する情報として、図７で示すＭＭＥ通信路コンテキスト３４２において、ＡＰＮ、ＰＤＮタイプ、ＩＰアドレス、ＳＩＰＴＯの許可（情報）、ＬＨＮ  ＩＤ、ＰＤＮ  ＧＷアドレス（Ｃ−ｐｌａｎｅ）、ＰＤＮ  ＧＷ  ＴＥＩＤ（Ｃ−ｐｌａｎｅ）、デフォルトベアラを管理することができる。
【０３４５】
また、ＭＭＥ３０は、ＰＤＮコネクションにおけるＥＰＳベアラ毎に管理される情報要素として、ＥＰＳベアラＩＤ、ＳＧＷ  ＩＰアドレス（Ｓ１−ｕ）、ＳＧＷ  ＴＥＩＤ（Ｓ１−ｕ）、ＰＧＷ  ＩＰアドレス（Ｕ−ｐｌａｎｅ）、ＰＧＷ  ＴＥＩＤ（Ｕ−ｐｌａｎｅ）、ＥＰＳベアラＱｏＳを管理することができる。
【０３４６】
以上により、ＵＥ１０は、ＰＤＮコネクションを用いてＰＧＷ６０または、ＬＧＷ４０経由のデータの送受信を行うことができる。つまり、ＵＥ１０及び／又はｅＮＢ２０及び／又はＳＧＷ５０は、ＬＧＷ４０に対する通信路と、ＰＧＷ６０に対する通信路で構成されるＰＤＮコネクションを確立することができる。
【０３４７】
なお、ＵＥ１０及び／又はｅＮＢ２０及び／又はＳＧＷ５０の設定情報に基づいて、ＵＥ１０のＰＤＮコネクションを用いた通信は、ＬＧＷ４０へ接続される通信路を優先して選択することができる。したがって、ＵＥ１０及び／又はｅＮＢ２０及び／又はＳＧＷ５０の設定情報に基づいて、ＵＥ１０のＰＤＮコネクションを用いた通信をＬＧＷ４０へ接続される通信路を用いて実行することができる。
【０３４８】
なお、ＵＥ１０は、ＡＰＮ５を用いてアタッチ手続きを実行し、ＰＤＮコネクションを確立した場合、図３におけるＵＥ通信路コンテキスト１４２で示すように、ＡＰＮとしてＡＰＮ５、割り当てられるＰＤＮタイプとしてＰＤＮタイプ１、ＩＰアドレスとしてＩＰアドレス１とＩＰアドレス２、デフォルトベアラとしてＥＰＳベアラＩＤ１を管理し、ＰＤＮコネクション内でＥＰＳベアラ毎に管理される情報要素において、ＥＰＳベアラＩＤとしてＥＰＳベアラＩＤ５、ＥＰＳベアラＱｏＳとしてＥＰＳベアラＱｏＳ１を管理する。
【０３４９】
なお、ＰＤＮコネクションを確立する際、複数のＩＰアドレスを取得していない場合には、ＩＰアドレス１のみを管理すればよい。
【０３５０】
このとき、ｅＮＢ２０は、図５におけるｅＮＢ通信路コンテキスト２４２で示すように、ＭＭＥ  ＵＥ  Ｓ１  ＡＰ  ＩＤとして、ＭＭＥ  ＵＥ  Ｓ１  ＡＰ  ＩＤ１、ＧＵＭＭＥＩとしてＧＵＭＭＥＩ１、グローバルｅＮＢ  ＩＤ１、トラッキングエリアＩＤとしてトラッキングエリアＩＤ１、Ｅ−ＲＡＢ  ＩＤとしてＥ−ＲＡＢ  ＩＤ１、ＵＥ  ＩＤとしてＵＥ  ＩＤ１を管理し、第一のＥＰＳベアラで管理される情報要素において、ＥＰＳベアラＩＤとしてＥＰＳベアラＩＤ１、ＥＰＳベアラＱｏＳとして、ＥＰＳベアラＱｏＳ１、トランスポートアドレスとして、トランスポートアドレス１（ＰＧＷアドレス、ＰＧＷ  ＴＥＩＤ、ＬＧＷアドレス、Ｃｏｒｒｅｌａｔｉｏｎ  ＩＤなど）を管理し、第二のＥＰＳベアラで管理される情報要素において、ＥＰＳベアラＩＤとしてＥＰＳベアラＩＤ２、ＥＰＳベアラＱｏＳとして、ＥＰＳベアラＱｏＳ２、トランスポートアドレスとして、トランスポートアドレス２（ＰＧＷアドレス、ＰＧＷ  ＴＥＩＤ、ＬＧＷアドレス、Ｃｏｒｒｅｌａｔｉｏｎ  ＩＤなど）を管理する。
【０３５１】
また、ＭＭＥ３０は、図７におけるＭＭＥ通信路コンテキスト３４２で示すように、ＡＰＮとしてＡＰＮ５、ＰＤＮタイプとしてＰＤＮタイプ１、ＩＰアドレスとしてＩＰアドレス１とＩＰアドレス２、ＳＩＰＴＯの許可として、ＣＳＩＰＴＯを許可、ＬＨＮ  ＩＤとしてＬＨＮ  ＩＤ１、ＰＤＮ  ＧＷアドレス（Ｃ−ｐｌａｎｅ）としてＬＧＷアドレス１とＰＧＷアドレス１、ＰＤＮ  ＧＷ  ＴＥＩＤ（Ｃ−ｐｌａｎｅ）としてＣｏｒｒｅｌａｔｉｏｎ  ＩＤ１とＰＧＷ  ＴＥＩＤ１、デフォルトベアラとしてＥＰＳベアラＩＤ１を管理し、第一のＥＰＳベアラで管理される情報要素において、ＥＰＳベアラＩＤとしてＥＰＳベアラＩＤ５、ＰＧＷ  ＩＰアドレス（Ｕ−ｐｌａｎｅ）としてＬＧＷ  ＩＰアドレス１、ＰＧＷ  ＴＥＩＤ（Ｕ−ｐｌａｎｅ）としてＣｏｒｒｅｌａｔｉｏｎ  ＩＤ１、ＥＰＳベアラＱｏＳとしてＥＰＳベアラＱｏＳ１を管理し、第二のＥＰＳベアラで管理される情報要素において、ＥＰＳベアラＩＤとしてＥＰＳベアラＩＤ７、ＳＧＷ  ＩＰアドレス（Ｓ１−ｕ）として、ＳＧＷ  ＩＰアドレス１、ＳＧＷ  ＴＥＩＤ（Ｓ１−ｕ）として、ＳＧＷ  ＴＥＩＤ１、ＰＧＷ  ＩＰアドレス（Ｕ−ｐｌａｎｅ）としてＰＧＷ  ＩＰアドレス１、ＰＧＷ  ＴＥＩＤ（Ｕ−ｐｌａｎｅ）としてＰＧＷ  ＴＥＩＤ１、ＥＰＳベアラＱｏＳとしてＥＰＳベアラＱｏＳ２を管理する。
【０３５２】
[１．３．２  ＰＤＮ接続手続き]
ＡＰＮ５を用いたＰＤＮコネクションの確立は、アタッチ手続きに限らず、ＰＤＮ接続手続きによって確立することもできる。なお、アタッチ手続きにおいて、ＳＩＰＴＯ用のＰＤＮコネクションが確立可能であり、且つ異なるゲートウェイを端点として複数の接続性をもつＰＤＮコネクションを確立した場合、ＰＤＮ接続手続きを行わなくて良い。
【０３５３】
図１１を用いて、ＵＥ主導によるＰＤＮ接続手続きを説明する。まず、ＵＥ１０は、ＭＭＥ３０へＰＤＮ接続要求を送信する（Ｓ１１０２）。
【０３５４】
ＵＥ１０は、ＰＤＮ接続要求に、ＰＤＮコネクションを確立した場合において含めたＡＰＮ、ＰＤＮタイプを含めて送信してよい。
【０３５５】
ここで、ＵＥ１０は、ＡＰＮ５を用いて第二のＰＤＮコネクションの確立を要求し、ＳＩＰＴＯ用のＰＤＮコネクションであり、且つ、異なるゲートウェイを端点として複数の接続性をもつことを許可されるＰＤＮコネクションを確立してもよい。
【０３５６】
なお、ＵＥ１０が送信するＰＤＮ接続要求はｅＮＢ２０経由で送信される。ここで、ｅＮＢ２０は、ＭＭＥ３０へ送信するＰＤＮ接続要求に、ＬＧＷ４０など、ｅＮＢ２０が管理する近隣ゲートウェイの識別情報を含めて良い。また、ｅＮＢ２０はＭＭＥ３０へ送信するＰＤＮ接続要求に、ＬＧＷ４０のネットワークを示すＬＨＮ  ＩＤを含めて良い。
【０３５７】
ここで、ｅＮＢ２０は、ＬＧＷ４０を管理していない場合、近隣ゲートウェイの識別情報を含めなくてよい。また、ｅＮＢ２０は、ＬＧＷ４０を管理していない場合、ＰＤＮ接続要求に、ＬＧＷ４０のネットワークを示すＬＨＮ  ＩＤを含めなくてよい。
【０３５８】
また、ｅＮＢ２０は、ＰＤＮ接続要求を用いるのではなく、予めこうした情報をＭＭＥ３０へ通知しておいてもよい。
【０３５９】
例えば、ｅＮＢ２０はＭＭＥ３０へＰＤＮ接続要求メッセージとは別に、初期ＵＥメッセージや上りリンクＮＡＳトランスポートメッセージに含めて、ＬＨＮ  ＩＤを通知しても良い。また、ｅＮＢ２０はＭＭＥ３０へＰＤＮ接続要求メッセージとは別に、初期ＵＥメッセージや上りリンクＮＡＳトランスポートメッセージに含めて、ＬＧＷ４０のＬＧＷアドレスなど、近隣ゲートウェイを識別する情報を通知してもよい。
【０３６０】
ＭＭＥ３０はＵＥ１０またはｅＮＢ２０からＰＤＮ接続要求を受信する。ＭＭＥ３０は、ＰＤＮ接続要求に含まれるＡＰＮにより、ＰＤＮコネクションを確立するためのＧＷ選択をしてもよい。また、ＭＭＥ３０は、ＵＥ１０の許可情報や能力情報をもとに、ＰＤＮコネクションを確立することを検出して良い。
【０３６１】
ＭＭＥ３０は、ＬＧＷ４０など、ｅＮＢ２０の近傍のゲートウェイ装置を選択する。なお、ＭＭＥ３０は、ＡＰＮ５が、ＳＩＰＴＯが許可されていることにより、ＰＧＷ６０ではなく、ＬＧＷ４０などのｅＮＢ２０の近傍のゲートウェイ装置を選択してもよい。さらに、ＭＭＥ３０は、ＡＰＮ５など、ＳＩＰＴＯ用のＰＤＮコネクションの確立を許可し、且つ異なるゲートウェイを端点として複数の接続性をもつことを許可されたＡＰＮを受信した場合には、コアネットワーク７に含まれるＰＧＷ６０などのゲートウェイと、アクセスネットワーク９に含まれるＬＧＷ４０などのゲートウェイなど、複数のゲートウェイを選択してよい。
【０３６２】
また、ＭＭＥ３０はＨＳＳ７０に問い合わせを行うことにより、ゲートウェイを選択してもよい。ＭＭＥ３０は、ＡＰＮをＨＳＳ７０に送信し、ＰＧＷ６０の識別情報を受け取ってよい。
【０３６３】
なお、ＭＭＥ３０は、ｅＮＢ２０の近隣のゲートウェイを選択し、ＰＤＮコネクションを確立してもよい。ＭＭＥ３０は、ｅＮＢ２０から通知されたＬＧＷ４０のＬＧＷアドレスにより、ｅＮＢ２０の近隣ゲートウェイを選択して良い。ＭＭＥ３０は、ｅＮＢ２０から通知されたＬＧＷ４０のＬＨＮ  ＩＤにより、ｅＮＢ２０の近隣ゲートウェイを選択して良い。
【０３６４】
ここで、ＭＭＥ３０は、ｅＮＢ２０の近隣ゲートウェイであるＬＧＷ４０とコアネットワーク７内のゲートウェイとしてＰＧＷ６０を選択する。
【０３６５】
次に、ＭＭＥ３０は選択したゲートウェイとセッション生成手続きを行う。なお、ＭＭＥ３０は、単一のＰＤＮコネクションの確立に対して複数のゲートウェイを選択した場合には、選択したゲートウェイごとにそれぞれセッション生成手続きを実行してもよい。
【０３６６】
すなわち、ＭＭＥ３０は、複数のセッション生成手続きを実行してもよい。これにより、ＭＭＥ３０は、単一のＰＤＮコネクションに対してゲートウェイの異なるベアラを複数確立してもよい。
【０３６７】
具体的には、ＭＭＥ３０は、ＬＧＷ４０とセッション生成手続き（Ｓ１１０８）と、ＰＧＷ６０とセッション生成手続きを行って良い（Ｓ１１０６）。なお、各セッション手続きは、どちらを先に実行してもよい。さらに、ＭＭＥ３０は、一つ目のセッション手続きの完了を待って、二つ目のセッション手続きを開始してもよいし、一つ目のセッション確立手続きの完了を待つことなく二つ目のセッション手続きを開始してもよい。
【０３６８】
なお、ＭＭＥ３０とＰＧＷ６０とセッション生成手続き（Ｓ１１０６）は、図１０（ａ）で説明した手続きと同じ手続きが利用できるため、その詳細な説明は省略する。また、ＭＭＥ３０とＬＧＷ４０とセッション生成手続き（Ｓ１１０８）は、図１０（ｂ）または、図１０（ｃ）で説明した手続きと同じ手続きが利用できるため、その詳細な説明は省略する。
【０３６９】
次に、ＭＭＥ３０は、ｅＮＢ２０Ｂへベアラ設定要求/ＰＤＮ接続受託を送信する（Ｓ１１１２）。なお、ＭＭＥ３０はベアラ設定要求/ＰＤＮ接続受託に、新しく確立するＰＤＮコネクションにおける第一のＥＰＳベアラに関する情報と第二のＥＰＳベアラに関する情報を含めて通知する。
【０３７０】
ベアラ生成要求には、ＥＰＳベアラＱｏＳ、ＰＤＮ接続受託、ＳＧＷ  ＴＥＩＤ（Ｕ−ｐｌａｎｅ）、ＳＧＷアドレス（Ｕ−ｐｌａｎｅ）を含めて良い。
【０３７１】
また、ＬＧＷを端点とするＰＤＮコネクション（ＳＩＰＴＯ＠ＬＮにおけるＰＤＮコネクション）が確立される場合、初期コンテキスト要求には、ＳＩＰＴＯ  Ｃｏｒｒｅｌａｔｉｏｎ  ＩＤが含まれてよい。
【０３７２】
ここで、初期コンテキスト設定要求に含まれるＥＰＳベアラＱｏＳ、ＥＰＳベアラＩＤ、ＳＧＷ  ＴＥＩＤ（Ｕ−ｐｌａｎｅ）、ＳＧＷアドレス（Ｕ−ｐｌａｎｅ）は、ＥＰＳベアラ毎に含めて良い。つまり、初期コンテキスト設定要求に、第一のＥＰＳベアラにおける、ＥＰＳベアラＱｏＳ、ＥＰＳベアラＩＤ、ＳＧＷ  ＴＥＩＤ（Ｕ−ｐｌａｎｅ）、ＳＧＷアドレス（Ｕ−ｐｌａｎｅ）と、第二のＥＰＳベアラにおける、ＥＰＳベアラＱｏＳ、ＥＰＳベアラＩＤ、ＳＧＷ  ＴＥＩＤ（Ｕ−ｐｌａｎｅ）、ＳＧＷアドレス（Ｕ−ｐｌａｎｅ）、第二のＥＰＳベアラにおける、ＥＰＳベアラＱｏＳ、ＥＰＳベアラＩＤ、ＳＧＷ  ＴＥＩＤ（Ｕ−ｐｌａｎｅ）、ＳＧＷアドレス（Ｕ−ｐｌａｎｅ）と、第二のＥＰＳベアラにおける、ＥＰＳベアラＱｏＳ、ＥＰＳベアラＩＤ、ＳＧＷ  ＴＥＩＤ（Ｕ−ｐｌａｎｅ）、ＳＧＷアドレス（Ｕ−ｐｌａｎｅ）が含まれてよい。
【０３７３】
またＰＤＮ接続受託には、ＡＰＮ、ＰＤＮタイプ、ＰＤＮアドレス、ＥＰＳベアラＩＤを含めて良い。
【０３７４】
ｅＮＢ２０はベアラ設定要求/ＰＤＮ接続受託を受信する。ｅＮＢ２０Ｂはベアラ生成要求に含まれる、ＥＰＳベアラＩＤ、ＥＰＳベアラＱｏＳに基づいて、ＵＥ１０との無線ベアラを確立することを決定する。ここで、ｅＮＢ２０Ａは、ＥＰＳベアラＩＤ、ＥＰＳベアラＱｏＳに基づいて、Ｅ−ＲＡＢ  ＩＤを決定して良い。
【０３７５】
なお、ｅＮＢ２０は、近隣ゲートウェイとして、ＬＧＷ４０を管理している場合、ＬＧＷ４０と関連付けられる情報要素に基づいて、無線ベアラを確立して良い。ここでは、Ｃｏｒｒｅｌａｔｉｏｎ  ＩＤが含まれる、ＥＰＳベアラＩＤ、ＥＰＳベアラＱｏＳに基づいて、ＵＥ１０との無線ベアラを確立して良い。
【０３７６】
また、ｅＮＢ２０はベアラ変更要求に含まれる、ＳＧＷ  ＴＥＩＤ（Ｕ−ｐｌａｎｅ）、ＳＧＷアドレス（Ｕ−ｐｌａｎｅ）を管理して良い。
【０３７７】
以上により、ｅＮＢ２０は、図５で示す、ｅＮＢ通信路コンテキスト２４２におけるＰＤＮコネクション毎に管理される情報要素として、ＭＭＥ  ＵＥ  Ｓ１  ＡＰ  ＩＤ、ＧＵＭＭＥＩ、グローバルｅＮＢＩＤ、トラッキングエリアＩＤ、Ｅ−ＲＡＢ  ＩＤ、ＵＥ  ＩＤを管理することができる。また、ｅＮＢ２０は、ＰＤＮコネクション内でＥＰＳベアラ毎に管理される情報要素として、ＥＰＳベアラＩＤ、ＥＰＳベアラＱｏＳ、トランスポートアドレスを管理することができる。
【０３７８】
これにより、ｅＮＢ２０は、ＳＧＷ５０に対する通信路と、ＬＧＷ４０に対する通信路を確立してもよい。なお、ＬＧＷ４０に対する通信路は、Ｃｏｒｒｅｌａｔｉｏｎ  ＩＤをＭＭＥ３０から受信することに基づいて確立してもよい。
【０３７９】
これらはｅＮＢ２０が選択可能な通信路であり、例えば、ＵＥ１０が送信するデータを受信して転送する際に、選択することができる通信路である。ｅＮＢ２０の通信路選択手段は、ｅＮＢの設定情報に基づいて実行してもよい。さらに、設定情報は、ＭＭＥ３０から取得した情報であってよい。より具体的には、ＭＭＥ３０がオフロード用の通信路を選択することを示す情報をｅＮＢ２０に送信してもよい。ＭＭＥ３０は、セッション生成応答メッセージに含めて送信するなど、ＰＤＮコネクションを確立する際に通知してもよい。
【０３８０】
もしくは、ＰＤＮコネクションを確立後、任意のタイミングで通知してもよい。
【０３８１】
より具体的には、ＭＭＥ３０がオフロード用の通信路を選択することを示す情報は、Ｃｏｒｒｅｌａｔｉｏｎ  ＩＤであってもよい。
【０３８２】
例えば、ｅＮＢ２０は、ＭＭＥ３０からＣｏｒｒｅｌａｔｉｏｎ  ＩＤを取得した場合には、ＬＧＷ４０への通信路を選択し、Ｃｏｒｒｅｌａｔｉｏｎ  ＩＤを受信していない場合には、ＰＧＷ６０に接続されるＳＧＷ５０への通信路を選択してもよい。
【０３８３】
もしくは、ＳＩＰＴＯ用のＣｏｒｒｅｌａｔｉｏｎ  ＩＤであってもよいし、ＳＩＰＴＯ用のＣｏｒｒｅｒａｔｉｏｎ  ＩＤとは異なる特別なＣＳＩＰＴＯ用のＣｏｒｒｅｌａｔｉｏｎ  ＩＤなどであってもよい。
【０３８４】
もしくは、オフロード通信路を選択することを示すその他の識別情報であってもよい。
【０３８５】
なお、これらの通信路はＬＧＷ４０やＳＧＷ５０などの各装置へ接続するベアラであってよい。
【０３８６】
次に、ｅＮＢ２０Ｂは、ＵＥ１０へＲＲＣ接続再設定を送信する（Ｓ１１１４）。なお、ｅＮＢ２０ＢはＵＥ１０へＲＲＣ接続再設定にＰＤＮ接続受託を含める。ここで、ｅＮＢ２０ＢはＵＥ１０へＲＲＣ接続再設定通知とは別にＰＤＮ接続受託を含めて良い。つまり、ｅＮＢ２０はＰＤＮ接続受託を転送することにより、新しく確立するＰＤＮコネクションに関する情報を通知する。
【０３８７】
ＵＥ１０はｅＮＢ２０からＲＲＣ接続再設定とＰＤＮ接続受託を受信する。ここで、ＵＥ１０はｅＮＢ２０ＢからＰＤＮ接続受託に含まれる新しく確立するＰＤＮコネクションに関する情報を検知し、ＵＥ１０において管理する。
【０３８８】
なお、ＰＤＮコネクションに関する情報は、ＡＰＮ、ＰＤＮタイプ、ＰＤＮアドレス、ＥＰＳベアラＩＤ、ＥＰＳベアラＱｏＳであって良い。
【０３８９】
次に、ＵＥ１０はＩＰアドレスの取得処理を行う（Ｓ１１１５）。ここで、ＵＥ１０は、ＰＤＮ接続受託に含まれるＰＤＮアドレスをＩＰアドレスとして取得して良い。ここで、ＵＥ１０は複数のＩＰアドレスを取得して良い。なお、アタッチ受託メッセージに複数のＰＤＮアドレスが含まれる場合には、ＰＤＮコネクションに対して複数のＩＰアドレスを記憶してもよい。
【０３９０】
また、ＵＥ１０は、ＰＤＮ接続受託に含まれるＰＤＮアドレスにＤＨＣＰによるＩＰアドレスを取得することを示す情報が含まれている場合には、ＤＨＣＰサーバから、ＩＰアドレスを取得して良い。ここで、ＤＨＣＰサーバは、コアネットワーク７とは異なる外部サーバであっても良いし、ＰＧＷ６０であっても良い。
【０３９１】
なお、ＵＥ１０は、ＤＨＣＰサーバからＰＤＮコネクションに対して複数のＩＰアドレスを取得し、記憶してもよい。
【０３９２】
また、ＵＥ１０は、ＰＤＮ接続受託に含まれるＰＤＮアドレスにステートレスアドレス自動設定によりＩＰアドレスを取得することを示す情報が含まれている場合には、ＵＥ１０は、ルータ装置から、ルータ広告（ＲＡ）を受信して、ルータ広告に基づいてＩＰアドレスを取得しても良い。ここで、ルータ装置はコアネットワーク７とは異なる外部サーバであっても良いし、ＰＧＷ６０であっても良い。
【０３９３】
なお、ＵＥ１０は、ルータ装置からＰＤＮコネクションに対して複数のＩＰアドレスを取得し、記憶してもよい。
【０３９４】
ＵＥ１０が単一のＰＤＮコネクションに対して複数のＩＰアドレスを記憶する場合、ＵＥ１０はユーザデータを送信する際にこれらのＩＰアドレスを選択して使用してもよい。
【０３９５】
ＩＰアドレスの選択手段は、ＵＥ１０の設定情報に基づいて実行してもよい。さらに、設定情報は、ＭＭＥ３０もしくはｅＮＢ２０から取得した情報であってよい。より具体的には、ＭＭＥ３０またはｅＮＢ２０がオフロード用の通信路を選択することを示す情報をＵＥ１０に送信してもよい。ＭＭＥ３０は、アタッチ受託メッセージに含めて送信するなど、ＰＤＮコネクションを確立する際に通知してもよい。
【０３９６】
もしくは、ＰＤＮコネクションを確立後、任意のタイミングで通知してもよい。
【０３９７】
より具体的には、ＭＭＥ３０がオフロード用の通信路を選択することを示す情報は、ＩＰアドレスごとに設定した優先度情報であってもよい。
【０３９８】
もしくは、ＳＩＰＴＯ用のＣｏｒｒｅｌａｔｉｏｎ  ＩＤであってもよいし、ＳＩＰＴＯ用のＣｏｒｒｅｒａｔｉｏｎ  ＩＤとは異なる特別なＣＳＩＰＴＯ用のＣｏｒｒｅｌａｔｉｏｎ  ＩＤなどであってもよい。
【０３９９】
もしくは、オフロード通信路を選択することを示すその他の識別情報であってもよい。
【０４００】
ＵＥ１０はこうした情報に基づいてユーザデータの送信に用いるＩＰアドレスを選択してもよい。
【０４０１】
ＵＥ１０は、上記の方法により、ＩＰアドレスを取得し、ＵＥ１０において第二のＰＤＮコネクションとして管理する。ＵＥ１０は、図３で示す、ＵＥ通信路コンテキスト１４２において、ＰＤＮコネクションに関する情報を管理することができ、第二のＰＤＮコネクションにおいて上りリンクデータを送信することができる。
【０４０２】
また、ＵＥ１０は、ｅＮＢ２０ＢへＲＲＣ接続再設定完了を送信する（Ｓ１１１６）。ｅＮＢ２０Ｂは、ＲＲＣ接続再設定（Ｓ１１１４）に対する応答としてＲＲＣ接続再設定完了を受信し、ベアラ設定応答をＭＭＥ３０へ送信する（Ｓ１１１８）。
【０４０３】
また、ＵＥ１０はｅＮＢ２０Ｂへ直接転送を送信する（Ｓ１１２０）。ここで、直接転送には、ＰＤＮ接続完了を含めて良い。ＰＤＮ接続完了には、ＥＰＳベアラＩＤを含めて良い。
【０４０４】
ｅＮＢ２０ＢはＵＥ１０から直接転送を受信し、直接転送に含まれるＰＤＮ接続完了をＭＭＥ３０へ転送する（Ｓ１１２２）。ベアラ設定応答と、ＰＤＮ接続完了を受信したＭＭＥ３０は、ＳＧＷ５０へベアラ変更要求を送信する（Ｓ１１２４）。
【０４０５】
さらに、ＳＧＷ５０は、ベアラ変更要求の受信に基づいて、ＰＧＷ６０にベアラ変更要求を送信する（Ｓ１１２６）。
【０４０６】
ＰＧＷ６０は、ベアラ変更要求を受信し、ベアラ変更要求に対する応答として、ベアラ変更応答をＳＧＷ５０に送信する（Ｓ１１２８）。
【０４０７】
さらに、ＳＧＷ５０は、ＭＭＥ３０の送信するベアラ変更要求の応答として、ＭＭＥ３０へベアラ変更応答を送信する（Ｓ１１３０）。
【０４０８】
以上の手続きにより、ＵＥ１０は、ＵＥ１０とＰＧＷ６０およびＬＧＷ４０間にＰＤＮコネクションを確立することができる。つまり、ＵＥ１０は、第二のＰＤＮコネクションに関する情報として、図３で示すＵＥ通信路コンテキスト１４２において、ＡＰＮ、割り当てられるＰＤＮタイプ、ＩＰアドレス、デフォルトベアラ、ＥＰＳベアラＩＤ、ＥＰＳベアラＱｏＳを管理することができる。
【０４０９】
また、ｅＮＢ２０は、第二のＰＤＮコネクションに関する情報として、図５で示すｅＮＢ通信路コンテキスト２４２においてＭＭＥ  ＵＥ  Ｓ１  ＡＰ  ＩＤ、ＧＵＭＭＥＩ、グローバルｅＮＢ  ＩＤ、トラッキングエリアＩＤ、Ｅ−ＲＡＢ  ＩＤ、ＵＥ  ＩＤ、トランスポートアドレスを管理することができる。また、ＰＤＮコネクション内でＥＰＳベアラに管理される情報要素として、ＥＰＳベアラＩＤ、ＥＳＰベアラＱｏＳ、トランスポートアドレスを管理することができる。なお、トランスポートアドレスは、ＳＧＷのＩＰアドレスやＳＧＷのＴＥＩＤ、ＬＧＷのＩＰアドレスやＣｏｒｒｅｌａｔｉｏｎ  ＩＤであってよい。
【０４１０】
さらに、ＭＭＥ３０は、ＰＤＮコネクションに関する情報として、図７で示すＭＭＥ通信路コンテキスト３４２において、ＡＰＮ、ＰＤＮタイプ、ＩＰアドレス、ＳＩＰＴＯの許可（情報）、ＰＤＮ  ＧＷアドレス（Ｃ−ｐｌａｎｅ）、ＰＤＮ  ＧＷ  ＴＥＩＤ（Ｃ−ｐｌａｎｅ）、デフォルトベアラを管理することができる。
【０４１１】
また、ＭＭＥ３０は、ＰＤＮコネクションにおけるＥＰＳベアラ毎に管理される情報要素として、ＥＰＳベアラＩＤ、ＳＧＷ  ＩＰアドレス（Ｓ１−ｕ）、ＳＧＷ  ＴＥＩＤ（Ｓ１−ｕ）、ＰＧＷ  ＩＰアドレス（Ｕ−ｐｌａｎｅ）、ＰＧＷ  ＴＥＩＤ（Ｕ−ｐｌａｎｅ）、ＥＰＳベアラＱｏＳを管理することができる。
【０４１２】
以上により、ＵＥ１０は、第二のＰＤＮコネクションを用いてＰＧＷ６０またはＬＧＷ４０経由のデータの送受信を行うことができる。つまり、ＵＥ１０及び／又はｅＮＢ２０及び／又はＳＧＷ５０は、ＬＧＷ４０に対する通信路と、ＰＧＷ６０に対する通信路で構成されるＰＤＮコネクションを確立することができる。
【０４１３】
なお、ＵＥ１０及び／又はｅＮＢ２０及び／又はＳＧＷ５０の設定情報に基づいて、ＵＥ１０のＰＤＮコネクションを用いた通信は、ＬＧＷ４０へ接続される通信路を優先して選択することができる。したがって、ＵＥ１０及び／又はｅＮＢ２０及び／又はＳＧＷ５０の設定情報に基づいて、ＵＥ１０のＰＤＮコネクションを用いた通信をＬＧＷ４０へ接続される通信路を用いて実行することができる。  なお、ＵＥ１０は、ＡＰＮ５を用いてＰＤＮ接続手続きを実行し、ＰＤＮコネクションを確立した場合、図３におけるＵＥ通信路コンテキスト１４２で示すように、ＡＰＮとしてＡＰＮ５、割り当てられるＰＤＮタイプとしてＰＤＮタイプ１、ＩＰアドレスとしてＩＰアドレス１とＩＰアドレス２、デフォルトベアラとしてＥＰＳベアラＩＤ１を管理し、ＰＤＮコネクション内でＥＰＳベアラ毎に管理される情報要素において、ＥＰＳベアラＩＤとしてＥＰＳベアラＩＤ５、ＥＰＳベアラＱｏＳとしてＥＰＳベアラＱｏＳ１を管理する。
【０４１４】
なお、ＰＤＮコネクションを確立する際、複数のＩＰアドレスを取得していない場合には、ＩＰアドレス１のみを記憶すればよい。
【０４１５】
このとき、ｅＮＢ２０は、図５におけるｅＮＢ通信路コンテキスト２４２で示すように、ＭＭＥ  ＵＥ  Ｓ１  ＡＰ  ＩＤとして、ＭＭＥ  ＵＥ  Ｓ１  ＡＰ  ＩＤ１、ＧＵＭＭＥＩとしてＧＵＭＭＥＩ１、グローバルｅＮＢ  ＩＤ１、トラッキングエリアＩＤとしてトラッキングエリアＩＤ１、Ｅ−ＲＡＢ  ＩＤとしてＥ−ＲＡＢ  ＩＤ１、ＵＥ  ＩＤとしてＵＥ  ＩＤ１を管理し、第一のＥＰＳベアラで管理される情報要素において、ＥＰＳベアラＩＤとしてＥＰＳベアラＩＤ１、ＥＰＳベアラＱｏＳとして、ＥＰＳベアラＱｏＳ１、トランスポートアドレスとして、トランスポートアドレス１（ＰＧＷアドレス、ＰＧＷ  ＴＥＩＤ、ＬＧＷアドレス、Ｃｏｒｒｅｌａｔｉｏｎ  ＩＤなど）を管理し、第二のＥＰＳベアラで管理される情報要素において、ＥＰＳベアラＩＤとしてＥＰＳベアラＩＤ２、ＥＰＳベアラＱｏＳとして、ＥＰＳベアラＱｏＳ２、トランスポートアドレスとして、トランスポートアドレス２（ＰＧＷアドレス、ＰＧＷ  ＴＥＩＤ、ＬＧＷアドレス、Ｃｏｒｒｅｌａｔｉｏｎ  ＩＤなど）を管理する。
【０４１６】
また、ＭＭＥ３０は、図７におけるＭＭＥ通信路コンテキスト３４２で示すように、ＡＰＮとしてＡＰＮ５、ＰＤＮタイプとしてＰＤＮタイプ１、ＩＰアドレスとしてＩＰアドレス１とＩＰアドレス２、ＳＩＰＴＯの許可として、ＣＳＩＰＴＯを許可、ＬＨＮ  ＩＤとしてＬＨＮ  ＩＤ１、ＰＤＮ  ＧＷアドレス（Ｃ−ｐｌａｎｅ）としてＬＧＷアドレス１とＰＧＷアドレス１、ＰＤＮ  ＧＷ  ＴＥＩＤ（Ｃ−ｐｌａｎｅ）としてＣｏｒｒｅｌａｔｉｏｎ  ＩＤ１とＰＧＷ  ＴＥＩＤ１、デフォルトベアラとしてＥＰＳベアラＩＤ１を管理し、第一のＥＰＳベアラで管理される情報要素において、ＥＰＳベアラＩＤとしてＥＰＳベアラＩＤ５、ＰＧＷ  ＩＰアドレス（Ｕ−ｐｌａｎｅ）としてＬＧＷ  ＩＰアドレス１、ＰＧＷ  ＴＥＩＤ（Ｕ−ｐｌａｎｅ）としてＣｏｒｒｅｌａｔｉｏｎ  ＩＤ１、ＥＰＳベアラＱｏＳとしてＥＰＳベアラＱｏＳ１を管理し、第二のＥＰＳベアラで管理される情報要素において、ＥＰＳベアラＩＤとしてＥＰＳベアラＩＤ７、ＳＧＷ  ＩＰアドレス（Ｓ１−ｕ）として、ＳＧＷ  ＩＰアドレス１、ＳＧＷ  ＴＥＩＤ（Ｓ１−ｕ）として、ＳＧＷ  ＴＥＩＤ１、ＰＧＷ  ＩＰアドレス（Ｕ−ｐｌａｎｅ）としてＰＧＷ  ＩＰアドレス１、ＰＧＷ  ＴＥＩＤ（Ｕ−ｐｌａｎｅ）としてＰＧＷ  ＴＥＩＤ１、ＥＰＳベアラＱｏＳとしてＥＰＳベアラＱｏＳ２を管理する。
【０４１７】
[１．３．３  サービス要求手続き]
続いて、アタッチ手続きまたはＰＤＮ接続手続きでＵＥ１０とＰＧＷ６０およびＬＧＷ４０が確立したＰＤＮコネクションを利用したデータの送受信を再開するために、ＵＥ１０はサービス要求手続きを行う。ここで、ＵＥ１０は、ＰＤＮコネクションにおいて、データの送受信を完了した場合、接続状態（アクティブ状態）からアイドル状態へ遷移する。また、ＵＥ１０はサービス要求手続きを行うことで、アイドル状態から接続状態へ遷移し、ＰＤＮコネクションによりデータの送受信を開始することができる。なお、アイドル状態は、ＵＥ１０とｅＮＢ２０との間の無線ベアラ及び／又は無線リソースを解放した状態であってよい。
【０４１８】
なお、本実施形態で説明するサービス要求手続きでは、ＵＥ１０及び／又はｅＮＢ２０及び／又はＳＧＷ５０及び／又はＭＭＥ３０は、ＰＤＮコネクションを構成する複数のベアラのうち、ユーザデータを配送するベアラを選択することができる。言い換えると、ＵＥ１０及び／又はｅＮＢ２０及び／又はＳＧＷ５０及び／又はＭＭＥ３０は、ユーザデータを配送するベアラを変更することができる。  図１２を用いて、ＵＥ１０におけるサービス要求手続きを説明する。
【０４１９】
まず、ＵＥ１０は、ｅＮＢ２０にサービス要求を送信する（Ｓ１２０２）。ここで、ＵＥ１０は、サービス要求を、ｅＮＢ２０へ送信するＲＲＣメッセージに含めて送信して良い。ここで、サービス要求はトラッキングエリア更新要求であってよい。
【０４２０】
次に、ｅＮＢ２０はサービス要求をＭＭＥ３０に転送する（Ｓ１２０４）。ここで、ｅＮＢ２０は、サービス要求を、ＭＭＥ３０へ送信する初期ＵＥメッセージに含めて送信して良い。また、初期ＵＥメッセージに、ｅＮＢ２０が管理するＳＩＰＴＯ  ＬＧＷトランスポートアドレス、ＬＨＮ  ＩＤを含めて良い。ここで、ｅＮＢ２０が、ＬＧＷ４０を管理していない場合、ＳＩＰＴＯ  ＬＧＷトランスポートアドレス（ＬＧＷ４０のＬＧＷアドレス）、ＬＨＮ  ＩＤを含めなくてよい。ここで、サービス要求はトラッキングエリア更新要求であってよい。
【０４２１】
ＭＭＥ３０はＵＥ１０またはｅＮＢ２０からサービス要求または、トラッキングエリア更新要求を受信する。ここで、ＭＭＥ３０はＰＤＮコネクション変更検出処理を行う（Ｓ１２０６）。ここで、ＭＭＥ３０は、ＵＥ１０から送信されたサービス要求に基づいて、ＰＤＮコネクションの通信に使用するベアラを変更するかを決定する。具体的には、ＰＤＮコネクションに用いる通信路を、第一のＥＰＳベアラから第二のＥＰＳベアラに変更するかを決定する。
【０４２２】
なお、第一のベアラは、ＬＧＷ４０に対して確立されているオフロード通信用のベアラであり、第二のベアラはＰＧＷ６０に対して確立されているベアラであってよい。
【０４２３】
より具体的には、第一のベアラは、ＳＧＷ５０とＬＧＷ４０が確立するベアラであり、第二のベアラはＳＧＷ５０とＰＧＷ６０、が確立するベアラであってよい。その他のＰＤＮコネクションを構成するその他のベアラおよびベアラに関する情報は変更しなくてもよい。
【０４２４】
もしくは、第一のベアラは、ｅＮＢ２０とＬＧＷ４０が確立するベアラであり、第二のベアラはＳＧＷ５０とＰＧＷ６０、が確立するベアラであってよい。その他のＰＤＮコネクションを構成するその他のベアラおよびベアラに関する情報は変更しなくてもよい。
【０４２５】
このように、変更するベアラは、ＰＤＮコネクションを用いた通信でデータ送受信を行うために構成される一部のベアラであってよい。
【０４２６】
さらに、変更することができるベアラは、個別のセッション生成手続きにより確立されており、各ベアラはそれぞれことなるセッションとして管理されてよい。そのため、本手続により実行するベアラの変更は、ＰＤＮコネクションを構成する一部のセッションを変更すると言い換えることができる。
【０４２７】
ここで、ＭＭＥ３０は、ベアラを変更するかの決定を、ＰＤＮコネクションにおける第一のＥＰＳベアラが有効であることを検出することにより決定して良い。ここで、ＰＤＮコネクションおける第一のＥＰＳベアラが有効であるとは、ＵＥ１０が接続する基地局装置を変更していないことや、ＵＥ１０が接続する基地局装置を変更していたとしても、ＬＧＷ４０がオフロードのための最適なゲートウェイ装置であることに基づいて、ＰＤＮコネクションが有効であると検出してもよい。
【０４２８】
より具体的には、ＰＤＮコネクションおける第一のＥＰＳベアラが有効であるかは、ｅＮＢ２０から送信された初期ＵＥメッセージに含まれるＬＨＮ  ＩＤやＳＩＰＴＯ  ＬＧＷトランスポートアドレス（ＬＧＷ４０のＬＧＷアドレス）により検出して良い。
【０４２９】
また、ＭＭＥ３０は、ＭＭＥ３０が管理するＭＭＥ通信路コンテキスト３４２において管理されているＬＨＮ  ＩＤやＰＧＷ  ＩＰアドレス（Ｕ−ｐｌａｎｅ）におけるＬＧＷ  ＩＰアドレスにより検出して良い。
【０４３０】
また、ＭＭＥ３０は、ｅＮＢ２０から送信される初期ＵＥメッセージに含まれるＬＨＮ  ＩＤやＳＩＰＴＯ  ＬＧＷトランスポートアドレス（ＬＧＷ４０のＬＧＷアドレス）と、ＭＭＥ通信路コンテキスト３４２において管理されているＬＨＮ  ＩＤやＰＧＷ  ＩＰアドレス（Ｕ−ｐｌａｎｅ）におけるＬＧＷ  ＩＰアドレスを比較して、ＰＤＮコネクションおける第一のＥＰＳベアラが有効であることを検出して良い。
【０４３１】
ここで、ＭＭＥ３０は、ＰＤＮコネクションおける第一のＥＰＳベアラが有効であることを検出しなかった場合、ＰＤＮコネクションおける第一のＥＰＳベアラから第二のＥＰＳベアラへの変更することを決定して良い。
【０４３２】
例えば、ＭＭＥ３０は、ＬＧＷ４０がオフロードのための最適なゲートウェイはないと検出した場合や、ＬＧＷ４０とは異なる最適なゲートウェイ装置を検出した場合や、ＵＥ１０が接続する基地局装置がＬＧＷを端点としたＳＩＰＴＯ用のＰＤＮコネクションの確立が許されていないなどの要因に基づいて、ＰＤＮコネクションおける第一のＥＰＳベアラが有効でないと検出してもよい。
【０４３３】
一方、ＭＭＥ３０が、ＭＭＥ通信路コンテキスト３４２において管理されているＡＰＮがＡＰＮ５であって、ＳＩＰＴＯの許可がＣＳＩＰＴＯを許可することを示す情報が含まれている場合、ＰＤＮコネクションおける第一のＥＰＳベアラから第二のＥＰＳベアラへ変更することを決定して良い。このように、ＰＤＮコネクションがＡＰＮ５を用いて確立したＰＤＮコネクションであることにより、ＥＰＳベアラを変更することを実行してもよい。ここで、ＰＤＮコネクションおける第一のＥＰＳベアラから第二のＥＰＳベアラへ変更することは、ゲートウェイ装置の端点をＬＧＷ４０（またはＬＧＷ４０に対する通信路）からＰＧＷ６０（またはＰＧＷ６０に対する通信路）へ変更することであって良い。
【０４３４】
なお、ＰＤＮコネクションがどのＡＰＮを用いて確立したかに関わらず、通信事業者のポリシーなど、事業者の決定に基づいてＰＤＮコネクションおける第一のＥＰＳベアラから第二のＥＰＳベアラへ変更する変更手続きを実行してもよい。
【０４３５】
[１．３．３．１  サービス要求手続きの継続]
ＭＭＥ３０が、ベアラ変更検出処理（Ｓ１２０６）において、ＰＤＮコネクションにおける第一のＥＰＳベアラが有効であることを検出し、サービス要求手続きを継続することを決定した場合について説明する。図１３を用いて、サービス要求手続きの続きを説明する。
【０４３６】
図１３では、ＵＥ１０は、アタッチ手続きまたはＰＤＮ接続手続きを行ったｅＮＢ２０から移動しない場合において、サービス要求手続きを継続する手続きについて説明するが、ＰＤＮコネクションにおける第一のＥＰＳベアラが有効であれば、ＵＥ１０は他のｅＮＢ２０へ移動してもサービス要求手続きを開始して良い。
【０４３７】
ＰＤＮコネクションにおける第一のＥＰＳベアラが有効であることを検出したＭＭＥ３０はｅＮＢ２０へ初期コンテキスト設定要求を送信する（Ｓ１３０２）。初期コンテキスト設定要求には、ＳＧＷアドレス、ＳＧＷ  ＴＥＩＤ、ＥＰＳベアラＱｏＳ、ＳＩＰＴＯ  Ｃｏｒｒｅｌａｔｉｏｎ  ＩＤを含めて良い。ここで、ＭＭＥ３０は初期コンテキスト要求に、ベアラを選択するための識別情報及び／又は選択するベアラを変更することを要求する識別情報を含めて送信してもよい。具体的には、識別情報は、第一のＥＰＳベアラから変更しないことを示す情報であってよい。また、識別情報は、第一のＥＰＳベアラを識別する情報であってもよい。また、識別情報は、第一のＥＰＳベアラと関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレスを含めて良い。
【０４３８】
ｅＮＢ２０は初期コンテキスト設定要求を受信する。ｅＮＢ２０は、受信した識別情報に基づいてベアラを選択してもよい。なお、ｅＮＢ２０は、初期コンテキスト設定要求に含まれる、ＳＧＷアドレス、ＳＧＷ  ＴＥＩＤ、ＥＰＳベアラＱｏＳ、ＳＩＰＴＯ  Ｃｏｒｒｅｌａｔｉｏｎ  ＩＤを管理して良い。
【０４３９】
なおｅＮＢ２０は、初期コンテキスト設定要求に含まれる、第一のＥＰＳベアラから変更しないことを示す情報や、第一のＥＰＳベアラを示す情報、第一のＥＰＳベアラと関連付けられる情報により、第一のＥＰＳベアラによるＥＰＳベアラを利用することを決定して良い。
【０４４０】
次に、ｅＮＢ２０は、ＵＥ１０と無線ベアラを確立する（Ｓ１３０４）。ｅＮＢ２０は、ＥＰＳベアラＱｏＳに基づいて、無線ベアラを確立して良い。さらに、ＥＰＳベアラＱｏＳに基づいて、無線ベアラを確立するための無線パラメータを生成して良い。
【０４４１】
ここで、ｅＮＢ２０は、ＩＰアドレスを選択するための識別情報及び／又は選択するＩＰアドレスを変更することを要求する識別情報をＵＥ１０送信してもよい。具体的には、識別情報は、第一のＩＰアドレスから変更しないことを示す情報であってよい。また、識別情報は、ＩＰアドレス１を識別する情報であってもよい。また、識別情報は、ＩＰアドレス１と関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレス１を含めて良い。このとき、ＭＭＥ３０は、無線リンク確立するためにＵＥ１０に送信する制御情報に、にこうした識別情報を含めてＵＥ１０に送信してもよい。
【０４４２】
ＵＥ１０は、識別情報を受信し、受信した識別情報に基づいてＩＰアドレスを選択してもよい。
【０４４３】
無線ベアラを確立したＵＥ１０はｅＮＢ２０へ上りリンクデータを送信する。なお、ｅＮＢ２０は、ＵＥ１０からの上りリンクデータをＬＧＷ４０へ転送する。ＬＧＷ４０は、ｅＮＢ２０からの上りリンクデータをＰＤＮ９０へ転送する。
【０４４４】
無線ベアラを確立したｅＮＢ２０は、初期コンテキスト設定完了をＭＭＥ３０へ送信する（Ｓ１３０６）。
【０４４５】
ｅＮＢ２０は、初期コンテキスト設定完了にベアラを選択するための識別情報及び／又は選択するベアラを変更することを要求する識別情報を含めて送信してもよい。具体的には、識別情報は、第一のＥＰＳベアラから変更しないことを示す情報であってよい。また、識別情報は、第一のＥＰＳベアラを識別する情報であってもよい。また、識別情報は、第一のＥＰＳベアラと関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレスを含めて良い。
【０４４６】
さらに、初期コンテキスト設定完了には、ｅＮＢアドレス、受託されたＥＰＳベアラのリスト、拒絶されたＥＰＳベアラのリスト、ＳＧＷ  ＴＥＩＤを含めて良い。ここで、ｅＮＢ２０は、受託されたＥＰＳベアラのリストに、少なくともＰＤＮコネクションを識別する識別情報を含めて良い。
【０４４７】
ＭＭＥ３０は、ｅＮＢ２０から初期コンテキスト設定完了を受信する。ここで、拒絶されたＥＰＳベアラのリストが含まれている場合、対応するＰＤＮコネクションに関する情報を削除して良い。
【０４４８】
次に、ＭＭＥ３０は、ベアラ変更要求を送信する（Ｓ１３０８）。
【０４４９】
ＭＭＥ３０はベアラ変更要求に、ベアラを選択するための識別情報及び／又は選択するベアラを変更することを要求する識別情報を含めて送信してもよい。具体的には、識別情報は、第一のＥＰＳベアラから変更しないことを示す情報であってよい。また、識別情報は、第一のＥＰＳベアラを識別する情報であってもよい。また、識別情報は、第一のＥＰＳベアラと関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレスを含めて良い。
【０４５０】
さらに、ＭＭＥ３０は、ベアラ変更要求に、ｅＮＢアドレス、Ｓ１  ＴＥＩＤを含めて良い。なお、ベアラ変更要求に含むｅＮＢアドレス、Ｓ１  ＴＥＩＤは、ＭＭＥ３０がＰＤＮコネクションと関連付けられる情報要素であって良い。
【０４５１】
ＳＧＷ５０は、ＭＭＥ３０からベアラ変更要求を受信する。ＳＧＷ５０は、受信した識別情報に基づいてベアラを選択してもよい。より具体的には、ＳＧＷ５０は、ＰＤＮコネクションを用いた通信の際、第一のベアラを選択してもよい。
【０４５２】
ＳＧＷ５０は、ベアラ変更要求に含まれる、ｅＮＢアドレス、Ｓ１  ＴＥＩＤにより、ｅＮＢアドレス、Ｓ１  ＴＥＩＤに対応するＰＤＮコネクションにおけるＵＥ１０宛の下りリンクデータを送信することができる。
【０４５３】
また、ＳＧＷ５０は、ＭＭＥ３０へベアラ変更要求の応答として、ベアラ変更応答を送信する（Ｓ１３１０）。
【０４５４】
以上の手続きにより、ＵＥ１０とＬＧＷ４０間におけるＰＤＮコネクションにおける第一のＥＰＳベアラにおいて、データを送受信することができる。
【０４５５】
[１．３．３．２  サービス要求手続きにおけるベアラの変更]
ＭＭＥ３０が、ベアラ変更検出処理（Ｓ１２０６）において、ＰＤＮコネクションにおける第一のＥＰＳベアラが有効であることを検出せず、サービス要求手続きにおける第一のベアラから第二のベアラへ変更することを決定した場合について説明する。図１４を用いて、サービス要求手続きを用いたＥＰＳベアラの変更手続きを説明する。
【０４５６】
図１４では、ＵＥ１０は、アタッチ手続きまたはＰＤＮ接続手続きを行ったｅＮＢ２０から移動した場合において、サービス要求手続きによるＥＰＳベアラ変更手続きについて説明するが、ＰＤＮコネクションにおける第一のＥＰＳベアラが有効でなければ、ＵＥ１０は他のｅＮＢ２０へ移動してもサービス要求手続きによるＥＰＳベアラの変更を行って良い。
【０４５７】
ここで、第一のベアラを変更するとは、ＰＤＮコネクションにおけるＬＧＷ４０を端点とする第一のＥＰＳベアラからＰＤＮコネクションにおけるＰＧＷ６０を端点とする第二のＥＰＳベアラへ変更することであって良い。
【０４５８】
さらに、サービス要求手続きにおいてＥＰＳベアラ変更手続きを行うことによって、確立したＰＤＮコネクションを用いて、ＬＧＷ４０を端点とする第一のＥＰＳベアラによるユーザデータの送受信ではなく、ＰＧＷ６０を端点とする第二のＥＰＳベアラによるユーザデータの送受信を行うことができる。
【０４５９】
ＰＤＮコネクションにおける第一のＥＰＳベアラが有効であることを検出しなかったＭＭＥ３０はｅＮＢ２０へ初期コンテキスト設定要求を送信する（Ｓ１４０２）。
【０４６０】
初期コンテキスト設定要求には、ＳＧＷアドレス、ＳＧＷ  ＴＥＩＤ、ＥＰＳベアラＱｏＳを含めて良い。ここで、ＭＭＥ３０は初期コンテキスト要求に、ベアラを選択するための識別情報及び／又は選択するベアラを変更することを要求する識別情報を含めて送信してもよい。具体的には、識別情報は、第二のＥＰＳベアラへ変更することを示す情報であってよい。また、識別情報は、第二のＥＰＳベアラを識別する情報であってもよい。また、識別情報は、第二のＥＰＳベアラと関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレスを含めて良い。
【０４６１】
ｅＮＢ２０は初期コンテキスト設定要求を受信する。ｅＮＢ２０は、受信した識別情報に基づいてベアラを選択してもよい。なお、ｅＮＢ２０は、初期コンテキスト設定要求に含まれる、ＳＧＷアドレス、ＳＧＷ  ＴＥＩＤ、ＥＰＳベアラＱｏＳを管理して良い。
【０４６２】
なおｅＮＢ２０は、初期コンテキスト設定要求に含まれる、第一のＥＰＳベアラから変更することを示す情報や、第二のＥＰＳベアラを示す情報、第二のＥＰＳベアラと関連付けられる情報により、第二のＥＰＳベアラによるＥＰＳベアラを利用することを決定して良い。
【０４６３】
次に、ｅＮＢ２０は、ＵＥ１０と無線ベアラを確立する（Ｓ１４０４）。ｅＮＢ２０は、ＥＰＳベアラＱｏＳに基づいて、無線ベアラを確立して良い。さらに、ＥＰＳベアラＱｏＳに基づいて、無線ベアラを確立するための無線パラメータを生成して良い。
【０４６４】
ここで、ｅＮＢ２０は、ＩＰアドレスを選択するための識別情報及び／又は選択するＩＰアドレスを変更することを要求する識別情報をＵＥ１０送信してもよい。具体的には、識別情報は、第一のＩＰアドレスから変更することを示す情報であってよい。また、識別情報は、ＩＰアドレス２を識別する情報であってもよい。また、識別情報は、ＩＰアドレス２と関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレス２を含めて良い。このとき、ＭＭＥ３０は、無線リンクを確立するためにＵＥ１０に送信する制御情報に、識別情報を含めてＵＥ１０に送信してもよい。
【０４６５】
ＵＥ１０は、識別情報を受信し、受信した識別情報に基づいてＩＰアドレスを選択してもよい。
【０４６６】
ここで、ｅＮＢ２０は、ＵＥ１０に初期コンテキスト設定要求に含まれる、ＩＰアドレスを通知して良い。
【０４６７】
一方、ＵＥ１０は、ｅＮＢ２０と無線ベアラの確立にあたって、ＵＥ１０は、ＩＰアドレスの変更処理を行って良い（Ｓ１４０５）。ここで、ＵＥ１０はｅＮＢ２０からＩＰアドレスを通知されることにより、ＰＤＮコネクションで管理される情報要素におけるＩＰアドレスを変更して良い。また、ＵＥ１０は、通知されたＩＰアドレスを利用してデータの送受信を行って良い。
【０４６８】
無線ベアラを確立したＵＥ１０はｅＮＢ２０へ上りリンクデータを送信する。なお、ｅＮＢ２０は、ＵＥ１０からの上りリンクデータをＬＧＷ４０へ転送する。ＬＧＷ４０は、ｅＮＢ２０からの上りリンクデータをＰＤＮ９０へ転送する。
【０４６９】
無線ベアラを確立したｅＮＢ２０は、初期コンテキスト設定完了をＭＭＥ３０へ送信する（Ｓ１４０６）。
【０４７０】
ｅＮＢ２０は、初期コンテキスト設定完了にベアラを選択するための識別情報及び／又は選択するベアラを変更することを要求する識別情報を含めて送信してもよい。具体的には、識別情報は、第一のＥＰＳベアラから変更することを示す情報であってよい。また、識別情報は、第二のＥＰＳベアラを識別する情報であってもよい。また、識別情報は、第二のＥＰＳベアラと関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレスを含めて良い。
【０４７１】
さらに、初期コンテキスト設定完了には、ｅＮＢアドレス、受託されたＥＰＳベアラのリスト、拒絶されたＥＰＳベアラのリスト、ＳＧＷ  ＴＥＩＤを含めて良い。ここで、ｅＮＢ２０は、受託されたＥＰＳベアラのリストに、少なくともＰＤＮコネクションを識別する識別情報を含めて良い。
【０４７２】
ＭＭＥ３０は、ｅＮＢ２０から初期コンテキスト設定完了を受信する。ここで、拒絶されたＥＰＳベアラのリストが含まれている場合、対応するＰＤＮコネクションに関する情報を削除して良い。
【０４７３】
次に、ＭＭＥ３０は、ベアラ変更要求を送信する（Ｓ１４０８）。
【０４７４】
ＭＭＥ３０はベアラ変更要求に、ベアラを選択するための識別情報及び／又は選択するベアラを変更することを要求する識別情報を含めて送信してもよい。具体的には、識別情報は、第一のＥＰＳベアラから変更することを示す情報であってよい。また、識別情報は、第二のＥＰＳベアラを識別する情報であってもよい。また、識別情報は、第二のＥＰＳベアラと関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレスを含めて良い。
【０４７５】
さらに、ＭＭＥ３０は、ベアラ変更要求に、ｅＮＢアドレス、Ｓ１  ＴＥＩＤを含めて良い。なお、ベアラ変更要求に含むｅＮＢアドレス、Ｓ１  ＴＥＩＤは、ＭＭＥ３０がＰＤＮコネクションと関連付けられる情報要素であって良い。
【０４７６】
ＳＧＷ５０は、ＭＭＥ３０からベアラ変更要求を受信する。ＳＧＷ５０は、受信した識別情報に基づいてベアラを選択してもよい。より具体的には、ＳＧＷ５０は、ＰＤＮコネクションを用いた通信の際、第二のベアラを選択してもよい。
【０４７７】
ＳＧＷ５０は、ベアラ変更要求に含まれる、ｅＮＢアドレス、Ｓ１  ＴＥＩＤにより、ｅＮＢアドレス、Ｓ１  ＴＥＩＤに対応するＰＤＮコネクションにおけるＵＥ１０宛の下りリンクデータを送信することができる。
【０４７８】
また、ＳＧＷ５０は、ＭＭＥ３０へベアラ変更要求の応答として、ベアラ変更応答を送信する（Ｓ１４１０）。
【０４７９】
以上の手続きにより、ＵＥ１０とＬＧＷ４０間におけるＰＤＮコネクションにおける第二のＥＰＳベアラにおいて、データを送受信することができる。
【０４８０】
[１．３．３．３  トラッキングエリア更新手続きにおけるベアラの変更]
ＵＥ１０が送信するサービス要求（Ｓ１２０２）は、トラッキングエリア更新要求であってよく、ｅＮＢ２０が送信するサービス要求は、トラッキングエリア更新要求であってよい。
【０４８１】
トラッキングエリア更新要求を受信したＭＭＥ３０において、ＰＤＮコネクション変更処理を行ってよい（Ｓ１２０６）。なお、ＰＤＮコネクション変更処理は既に説明したため、詳細な説明は省略する。
【０４８２】
ＭＭＥ３０は、トラッキングエリア更新要求の受信に基づいて、ＳＧＷ５０にベアラを選択するための識別情報及び／又は選択するベアラを変更することを要求する識別情報を送信してもよい。具体的には、識別情報は、第一のＥＰＳベアラから変更しないことを示す情報であってよい。また、識別情報は、第一のＥＰＳベアラを識別する情報であってもよい。また、識別情報は、第一のＥＰＳベアラと関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレスを含めて良い。
【０４８３】
より具体的には、ＭＭＥ３０は、識別情報をセッション生成要求またはベアラ変更要求に含めて送信してもよい（Ｓ１５０８）。
【０４８４】
ＳＧＷ５０は、識別情報をＭＭＥ３０から受信する。ＳＧＷ５０は、受信した識別情報に基づいてベアラを選択してもよい。より具体的には、ＳＧＷ５０は、ＰＤＮコネクションを用いた通信の際、第一のベアラを選択してもよい。
【０４８５】
ＳＧＷ５０は、ＭＭＥ３０からベアラ変更要求またはセッション生成要求を受信し、ＭＭＥ３０へベアラ変更応答またはセッション生成応答を送信する（Ｓ１５１０）。
【０４８６】
さらに、ＭＭＥ３０は、ｅＮＢ２０へベアラを選択するための識別情報及び／又は選択するベアラを変更することを要求する識別情報を送信してもよい。具体的には、識別情報は、第一のＥＰＳベアラから変更しないことを示す情報であってよい。また、識別情報は、第一のＥＰＳベアラを識別する情報であってもよい。また、識別情報は、第一のＥＰＳベアラと関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレスを含めて良い。
【０４８７】
ｅＮＢ２０は初期コンテキスト設定要求を受信する。ｅＮＢ２０は、受信した識別情報に基づいてベアラを選択してもよい。
【０４８８】
ｅＮＢ２０は、識別情報を受信し、受信した識別情報に基づいてベアラを選択してもよい。
【０４８９】
次に、ＭＭＥ３０はＵＥ１０へトラッキングエリア受託を送信する（Ｓ１５０６）。
【０４９０】
ここで、ＭＭＥ３０はトラッキングエリア受託に含まれる情報要素は、ＰＤＮコネクションにおいて、第一のＥＰＳベアラを利用するか、第二のＥＰＳベアラを利用するかによって異なってよい。
【０４９１】
まず、第一のＥＰＳベアラを利用する場合について説明する。なお、第一のＥＰＳベアラを利用することの決定は、ＰＤＮコネクション変更検出処理（Ｓ１２０６）で説明したため、その詳細な説明は省略する。
【０４９２】
ＭＭＥ３０は、ＩＰアドレスを選択するための識別情報及び／又は選択するＩＰアドレスを変更することを要求する識別情報を送信してもよい。具体的には、識別情報は、第一のＩＰアドレスから変更しないことを示す情報であってよい。また、識別情報は、ＩＰアドレス１を識別する情報であってもよい。また、識別情報は、ＩＰアドレス１と関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレス１を含めて良い。  このとき、ＭＭＥ３０は、トラッキングエリア受託にこうした識別情報を含めてＵＥ１０に送信してもよい。
【０４９３】
ＵＥ１０は、識別情報を受信し、受信した識別情報に基づいてＩＰアドレスを選択してもよい。
【０４９４】
第一のＥＰＳベアラから変更しないことを示す情報を含めて良い。また、ＭＭＥ３０はトラッキングエリア受託に、第一のＥＰＳベアラであることを示す情報を含めて良い。また、ＭＭＥ３０はトラッキングエリア受託に、第一のＥＰＳベアラと関連づけられる情報要素を含めて良い。例えば、ＥＰＳベアラＩＤやＩＰアドレスを含めて良い。
【０４９５】
以上により、ＵＥ１０とＬＧＷ４０間のＰＤＮコネクションにおける第一のＥＰＳベアラへ変更することができる。
【０４９６】
一方、第二のＥＰＳベアラを利用する場合について説明する。なお、第二のＥＰＳベアラを利用することの決定は、ＰＤＮコネクション変更検出処理（Ｓ１２０６）で説明したため、その詳細な説明は省略する。
【０４９７】
ＭＭＥ３０は、トラッキングエリア更新要求の受信に基づいて、ＳＧＷ５０にベアラを選択するための識別情報及び／又は選択するベアラを変更することを要求する識別情報を送信してもよい。具体的には、識別情報は、第一のＥＰＳベアラから変更することを示す情報であってよい。また、識別情報は、第二のＥＰＳベアラを識別する情報であってもよい。また、識別情報は、第二のＥＰＳベアラと関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレスを含めて良い。
【０４９８】
より具体的には、ＭＭＥ３０は、識別情報をセッション生成要求またはベアラ変更要求に含めて送信してもよい（Ｓ１５０８）。
【０４９９】
ＳＧＷ５０は、識別情報をＭＭＥ３０から受信する。ＳＧＷ５０は、受信した識別情報に基づいてベアラを選択してもよい。より具体的には、ＳＧＷ５０は、ＰＤＮコネクションを用いた通信の際、第一のベアラを選択してもよい。
【０５００】
ＳＧＷ５０は、ＭＭＥ３０からベアラ変更要求またはセッション生成要求を受信し、ＭＭＥ３０へベアラ変更応答またはセッション生成応答を送信する（Ｓ１５１０）。
【０５０１】
さらに、ＭＭＥ３０は、ｅＮＢ２０へベアラを選択するための識別情報及び／又は選択するベアラを変更することを要求する識別情報を送信してもよい。具体的には、識別情報は、第一のＥＰＳベアラから変更することを示す情報であってよい。また、識別情報は、第二のＥＰＳベアラを識別する情報であってもよい。また、識別情報は、第二のＥＰＳベアラと関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレスを含めて良い。
【０５０２】
ｅＮＢ２０は初期コンテキスト設定要求を受信する。ｅＮＢ２０は、受信した識別情報に基づいてベアラを選択してもよい。
【０５０３】
ｅＮＢ２０は、識別情報を受信し、受信した識別情報に基づいてベアラを選択してもよい。
【０５０４】
次に、ＭＭＥ３０はＵＥ１０へトラッキングエリア受託を送信する（Ｓ１５０６）。
【０５０５】
このとき、ＭＭＥ３０は、ＩＰアドレスを選択するための識別情報及び／又は選択するＩＰアドレスを変更することを要求する識別情報を送信してもよい。具体的には、識別情報は、第一のＩＰアドレスから変更することを示す情報であってよい。また、識別情報は、ＩＰアドレス２を識別する情報であってもよい。また、識別情報は、ＩＰアドレス２と関連づけられる情報要素群であってもよい。例えば、ＥＰＳベアラＩＤやＳＧＷ  ＩＰアドレス、ＳＧＷ  ＴＥＩＤ、ＰＧＷ  ＩＰアドレス、ＰＧＷ  ＴＥＩＤ（ＳＩＰＴＯ  Ｃｏｒｒｅｌａｔｉｏｎ  ＩＤ）、ＥＰＳベアラＱｏＳ、ＩＰアドレス２を含めて良い。
【０５０６】
ｅＮＢ２０は初期コンテキスト設定要求を受信する。ｅＮＢ２０は、受信した識別情報に基づいてベアラを選択してもよい。  このとき、ＭＭＥ３０は、トラッキングエリア受託にこうした識別情報を含めてＵＥ１０に送信してもよい。
【０５０７】
ＵＥ１０は、識別情報を受信し、受信した識別情報に基づいてＩＰアドレスを選択してもよい。なお、ＭＭＥ３０はトラッキングエリア受託に、こうした識別情報を含めて送信しても良い。
【０５０８】
以上により、ＵＥ１０とＰＧＷ６０間のＰＤＮコネクションにおける第二のＥＰＳベアラへ変更することができる。ここで、第二のベアラへ変更するとは、ＰＤＮコネクションにおけるＬＧＷ４０を端点とする第一のＥＰＳベアラからＰＤＮコネクションにおけるＰＧＷ６０を端点とする第二のＥＰＳベアラへ変更することであって良い。
【０５０９】
さらに、サービス要求手続きにおいてＥＰＳベアラ変更手続きを行うことによって、確立したＰＤＮコネクションを用いて、ＬＧＷ４０を端点とする第一のＥＰＳベアラによるユーザデータの送受信ではなく、ＰＧＷ６０を端点とする第二のＥＰＳベアラによるユーザデータの送受信を行うことができる。  本実施形態を通してこれまで説明してきた手続きを用いて、ＵＥ１０及び／又はＭＭＥ３０及び／又はｅＮＢ２０及び／又は、ＳＧＷ３０及び／又はＬＧＷ４０やＰＧＷ６０などのゲートウェイ装置は、ＰＤＮコネクションの通信に用いる通信路の一部、及び／又はセッションの一部を変更することができる。さらに、変更によりゲートウェイを変更することができる。より具体的には、異なるゲートウェイに対する通信路及び／又はセッションへ変更することができる。
【０５１０】
なお、こうした変更は、ＵＥ１０が主導して開始するサービス要求手続き及び／又はトラッキングエリア更新手続きを契機に実行することができる。
【０５１１】
また、こうした変更を実行するＰＤＮコネクションは、ＡＰＮ５など、特別な許可情報に対応づけられたＡＰＮを用いて確立されたＰＤＮコネクションであってよい。  したがって、ＡＰＮ１など、こうした変更に対応する許可情報に対応づけられていないＡＰＮを用いて確立したＰＤＮコネクションは、サービス要求手続き及び／又はトラッキングエリア更新手続きを実行する際に、異なるゲートウェイに対する通信路及び／又はセッションへ変更しなくてもよい。
【０５１２】
このように、変更を実行するかしないかは、ＡＰＮや許可情報を基に決定されてもよい。
【０５１３】
なお、ＵＥ１０は、複数のＡＰＮを用いて、ＡＰＮ毎に複数のＰＤＮコネクションを確立しても良い。
【０５１４】
［２  変形例］
このように、ＵＥ１０をはじめとする各装置における記憶情報および処理は、これまで説明した実施形態で説明した方法を適用できるため、詳細な説明は省略する。
【０５１５】
以上、実施形態およびそれに関わる複数の変形例を説明してきたが、各変形例はそれぞれ独立して実施形態に適用されて良い。また、この発明の実施形態について図面を参照して詳述してきたが、具体的な構成はこの実施形態に限られるものではなく、この発明の要旨を逸脱しない範囲の設計等も特許請求の範囲に含まれる。
【０５１６】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０５１７】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであって良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０５１８】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０５１９】
また、上述した実施形態における各装置の一部又は全部を典型的には集積回路であるＬＳＩ（Large Scale Integration）として実現して良い。各装置の各機能ブロックは個別にチップ化して良いし、一部、または全部を集積してチップ化して良い。また、集積回路化の手法はＬＳＩに限らず専用回路、または汎用プロセッサで実現して良い。また、半導体技術の進歩によりＬＳＩに代替する集積回路化の技術が出現した場合、当該技術による集積回路を用いることも可能であることは勿論である。
【符号の説明】
【０５２０】
１  移動通信システム
５  ＩＰ移動通信ネットワーク
７  コアネットワーク
９  ＬＴＥアクセスネットワーク
１０  ＵＥ
２０  ｅＮＢ
３０  ＭＭＥ
４０  ＬＧＷ
５０  ＳＧＷ
６０  ＰＧＷ
７０  ＨＳＳ
８０  ＰＣＲＦ
９０  ＰＤＮ
【図１】
2019221000.tif 000003
【図２】
2019221000.tif 000004
【図３】
2019221000.tif 000005
【図４】
2019221000.tif 000006
【図５】
2019221000.tif 000007
【図６】
2019221000.tif 000008
【図７】
2019221000.tif 000009
【図８】
2019221000.tif 000010
【図９】
2019221000.tif 000011
【図１０】
2019221000.tif 000012
【図１１】
2019221000.tif 000013
【図１２】
2019221000.tif 000014
【図１３】
2019221000.tif 000015
【図１４】
2019221000.tif 000016
【図１５】
2019221000.tif 000017
【図１６】
2019221000.tif 000018
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
ＵＥ（User Equipment）であって、
送受信部と制御部とを備え、
第１のコネクションは、前記ＵＥによって確立された、コアネットワークに配置される２以上の端点を介してデータネットワークへ接続する２以上のコネクションであり、
前記第１のコネクションの端点を切り替えるための第１の手続きにおいて、
前記送受信部は、前記コアネットワークから第１の制御情報を受信し、
前記第１の制御情報の受信後、前記制御部は、第１のＩＰアドレスを用いた前記第１のコネクションによるデータの送受信の代わりに、第２のＩＰアドレスを用いた前記第１のコネクションによるデータの送受信を実行する、
ことを特徴とするＵＥ。
【請求項２】
前記送受信部は、前記第１のコネクションを確立するための第２の手続きにおいて、前記コアネットワークから第２の制御情報を受信し、
前記第２の制御情報の受信後、前記送受信部は、前記第１のコネクションにおいて前記第１の手続きを実行可能であり、
前記第２の制御情報は、前記第１のコネクションのタイプがＩＰｖ４又はＩＰｖ６であることを示す情報を含む、
ことを特徴とする請求項１に記載のＵＥ。
【請求項３】
前記制御部は、ＡＰＮ（Access Point Name）を用いた第１の端点を介する接続性と、前記ＡＰＮを用いた第２の端点を介する接続性と、を含む前記第１のコネクションを確立する、
ことを特徴とする請求項１又は２に記載のＵＥ。
【請求項４】
前記制御部は、前記第１の制御情報の受信後、前記第１のＩＰアドレスと前記第２のＩＰアドレスとを維持する、
ことを特徴とする請求項１に記載のＵＥ。
【請求項５】
ＵＥ（User Equipment）であって、
送受信部と制御部とを備え、
第２のコネクションは、前記ＵＥによって確立された、コアネットワークに配置される１以上の端点を介してデータネットワークへ接続するコネクションであり、
前記第２のコネクションの端点を追加する又は切り替えるための第３の手続きにおいて、
前記送受信部は、前記コアネットワークから第３の制御情報を受信し、
前記第３の制御情報の受信後、前記制御部は、第３のＩＰアドレスを用いた前記第２のコネクションによるデータの送受信に加えて、第４のＩＰアドレスを用いた前記第２のコネクションによるデータの送受信を実行する、又は、
前記第３の制御情報の受信後、前記制御部は、第３のＩＰアドレスを用いた前記第２のコネクションによるデータの送受信の代わりに、第４のＩＰアドレスを用いた前記第２のコネクションによるデータの送受信を実行する、
ことを特徴とするＵＥ。
【請求項６】
前記送受信部は、前記第２のコネクションを確立するための第４の手続きにおいて、前記コアネットワークから第４の制御情報を受信し、
前記第４の制御情報の受信後、前記送受信部は、前記第２のコネクションにおいて前記第３の手続きを実行可能であり、
前記第４の制御情報は、前記第２のコネクションのタイプがＩＰｖ６であることを示す情報を含む、
ことを特徴とする請求項５に記載のＵＥ。
【請求項７】
前記制御部は、ＡＰＮ（Access Point Name）を用いた第３の端点を介する接続性と、前記ＡＰＮを用いた第４の端点を介する接続性と、を含む前記第２のコネクションを確立する、
ことを特徴とする請求項５又は６に記載のＵＥ。
【請求項８】
前記制御部は、前記第３のＩＰアドレスを用いた前記第２のコネクションによるデータの送受信の代わりに前記第４のＩＰアドレスを用いた前記第２のコネクションによるデータの送受信を実行する場合であっても、前記第３のＩＰアドレスと前記第４のＩＰアドレスとを維持する、
ことを特徴とする請求項５に記載のＵＥ。
【請求項９】
ＵＥ（User Equipment）の通信制御方法であって、
第１のコネクションは、前記ＵＥによって確立された、コアネットワークに配置される２以上の端点を介してデータネットワークへ接続する２以上のコネクションであり、
前記第１のコネクションの端点を切り替えるための第１の手続きにおいて、該通信制御方法は、
前記コアネットワークから第１の制御情報を受信し、
前記第１の制御情報の受信後、第１のＩＰアドレスを用いた前記第１のコネクションによるデータの送受信の代わりに、第２のＩＰアドレスを用いた前記第１のコネクションによるデータの送受信を行う、
ことを特徴とする通信制御方法。
【請求項１０】
ＵＥ（User Equipment）の通信制御方法であって、
第２のコネクションは、前記ＵＥによって確立された、コアネットワークに配置される１以上の端点を介してデータネットワークへ接続するコネクションであり、
前記第２のコネクションの端点を追加する又は切り替えるための第３の手続きにおいて、該通信制御方法は、
前記コアネットワークから第３の制御情報を受信し、
前記第３の制御情報の受信後、第３のＩＰアドレスを用いた前記第２のコネクションによるデータの送受信に加えて、第４のＩＰアドレスを用いた前記第２のコネクションによるデータの送受信を行う、又は、前記第３の制御情報の受信後、第３のＩＰアドレスを用いた前記第２のコネクションによるデータの送受信の代わりに、第４のＩＰアドレスを用いた前記第２のコネクションによるデータの送受信を行う、
ことを特徴とする通信制御方法。
【請求項１１】
コアネットワーク内の制御装置であって、前記制御装置は、
送受信部を備え、
第１のコネクションは、ＵＥ（User Equipment）によって確立された、コアネットワークに配置される２以上の端点を介してデータネットワークへ接続する２以上のコネクションであり、
前記第１のコネクションの端点を切り替えるための第１の手続きにおいて、前記送受信部は前記ＵＥに第１の制御情報を送信し、
前記第１の制御情報は、第１の端点に関連する第１のＩＰアドレスを用いてデータの送受信を実行する前記ＵＥに、第２の端点に関連する第２のＩＰアドレスを用いたデータの送受信が実行可能であることを通知するための制御情報である、
ことを特徴とする制御装置。
【請求項１２】
コアネットワーク内の制御装置であって、前記制御装置は、
送受信部を備え、
第２のコネクションは、ＵＥ（User Equipment）によって確立された、コアネットワークに配置される１以上の端点を介してデータネットワークへ接続性を持つコネクションであり、
前記第２のコネクションの端点を追加する又は切り替えるための第３の手続きにおいて、前記送受信部は第３の制御情報を前記ＵＥに送信し、
前記第３の制御情報は、第３の端点に関連する第３のＩＰアドレスを用いてデータの送受信を実行する前記ＵＥに、第４の端点に関連する第４のＩＰアドレスを用いたデータの送受信が実行可能であることを通知するための制御情報である、
ことを特徴とする制御装置。
【請求項１３】
コアネットワークの通信制御方法であって、
第１のコネクションは、ＵＥ（User Equipment）によって確立された、コアネットワークに配置される２以上の端点を介してデータネットワークへ接続する２以上のコネクションであり、該通信制御方法は、
前記第１のコネクションの端点を切り替えるための第１の手続きにおいて、前記ＵＥに第１の制御情報を送信し、
前記第１の制御情報は、第１の端点に関連する第１のＩＰアドレスを用いてデータの送受信を実行する前記ＵＥに、第２の端点に関連する第２のＩＰアドレスを用いたデータの送受信が実行可能であることを通知するための制御情報である、
ことを特徴とする通信制御方法。
【請求項１４】
コアネットワークの通信制御方法であって、
第２のコネクションは、ＵＥ（User Equipment）によって確立された、コアネットワークに配置される１以上の端点を介してデータネットワークへ接続性を持つコネクションであり、
前記第２のコネクションの端点を追加する又は切り替えるための第３の手続きにおいて、該通信制御方法は、
第３の制御情報を前記ＵＥに送信し、
前記第３の制御情報は、第３の端点に関連する第３のＩＰアドレスを用いてデータの送受信を実行する前記ＵＥに、第４の端点に関連する第４のＩＰアドレスを用いたデータの送受信が実行可能であることを通知するための制御情報である、
ことを特徴とする通信制御方法。
【手続補正３】
【補正対象書類名】明細書
【補正対象項目名】０００１
【補正方法】変更
【補正の内容】
【０００１】
本発明は、ＵＥ（Ｕｓｅｒ  Ｅｑｕｉｐｍｅｎｔ）、ＵＥ（Ｕｓｅｒ  Ｅｑｕｉｐｍｅｎｔ）の通信制御方法、制御装置及び制御装置の通信制御方法に関する。